(57)【要約】  本発明は、少なくとも１つの２，５−フランジカルボキシレートポリエステルと少なくとも１つの発光材料とを含むポリマーマトリックス材料を含む色変換体、および前記色変換体の使用に関する。また、本発明は、少なくとも１つの２，５−フランジカルボキシレートポリエステルと少なくとも１つの発光材料とを含むポリマー混合物、少なくとも１つのＬＥＤと前記色変換体とを含む照明装置、および照光時に電力を生成する、光電池と前記色変換体とを含む装置に関する。【特許請求の範囲】
【請求項１】
以下：
−  （ｉ）脂肪族Ｃ２−Ｃ２０−ジオールおよび脂環式Ｃ３−Ｃ２０−ジオールから選択される少なくとも１つのジオールと、（ｉｉ）２，５−フランジカルボン酸および／またはそのエステル形成性誘導体と、（ｉｉｉ）任意に、１，２−シクロヘキサンジカルボン酸、１，４−シクロヘキサンジカルボン酸、３，４−フランジカルボン酸、テレフタル酸および２，６−ナフタル酸および／またはそのエステル形成性誘導体から選択される少なくとも１つのさらなるジカルボン酸との反応により得ることができる少なくとも１つの２，５−フランジカルボキシレートポリエステル（Ａ）を含むポリマーマトリックス材料と、
−  少なくとも１つの発光材料と
を含む、色変換体。
【請求項２】
前記２，５−フランジカルボキシレートポリエステル（Ａ）は、ポリ（エチレン−２，５−フランジカルボキシレート）、ポリ（プロピレン−２，５−フランジカルボキシレート）、ポリ（エチレン−ｃｏ−プロピレン−２，５−フランジカルボキシレート）、ポリ（ブチレン−２，５−フランジカルボキシレート）、ポリ（ペンチレン−２，５−フランジカルボキシレート）、ポリ（ネオペンチレン−２，５−フランジカルボキシレート）およびそれらの混合物、好ましくはポリ（エチレン−２，５−フランジカルボキシレート）から選択される、請求項１記載の色変換体。
【請求項３】
前記２，５−フランジカルボキシレートポリエステル（Ａ）は、ポリ（エチレン−２，５−フランジカルボキシレート−ｃｏ−テレフタレート）、ポリ（エチレン−２，５−フランジカルボキシレート−ｃｏ−２，６−ナフタレート）またはポリ（エチレン−２，５−フランジカルボキシレート−ｃｏ−３，４−フランジカルボキシレート）である、請求項１記載の色変換体。
【請求項４】
前記ポリマーマトリックス材料は、少なくとも２つのポリエステルのブレンドであり、ポリ（エチレン−２，５−フランジカルボキシレート）である第１のポリエステルと、ポリ（エチレンテレフタレート）、ポリ（ブチレンテレフタレート）、ポリ（エチレン２，６−ナフタレート）、ポリ（ブチレン２，６−ナフタレート）およびポリ（プロピレン−２，５−フランジカルボキシレート）から選択される少なくとも１つの第２のポリエステルとのブレンドである、請求項１から３までのいずれか１項記載の色変換体。
【請求項５】
前記少なくとも１つの発光材料は、（Ｂ１）、（Ｂ２）、（Ｂ３）、（Ｂ４）、（Ｂ５）、（Ｂ６）、（Ｂ７）、（Ｂ８）、（Ｂ９）、（Ｂ１０）、（Ｂ１１）、（Ｂ１２）、（Ｂ１３）、（Ｂ１４）、（Ｂ１５）、およびそれらの混合物から選択される有機蛍光着色剤であり、ここで、（Ｂ１）、（Ｂ２）、（Ｂ３）、（Ｂ４）、（Ｂ５）、（Ｂ６）、（Ｂ７）、（Ｂ８）、（Ｂ９）、（Ｂ１０）、（Ｂ１１）、（Ｂ１２）、（Ｂ１３）、（Ｂ１４）および（Ｂ１５）は、以下のように定められる、請求項１から４までのいずれか１項記載の色変換体：
（Ｂ１）式（Ｉ）
【化１】
2020515890.tif 000044
［式中、
基Ｒ１、Ｒ２、Ｒ３、Ｒ４、Ｒ５、Ｒ６、Ｒ７、Ｒ８、Ｒ９およびＲ１０の少なくとも１つは、それぞれ独立して、１、２または３つのシアノ基および０、１、２、３または４つの置換基ＲＡｒを有するアリールであり、残りの基Ｒ１、Ｒ２、Ｒ３、Ｒ４、Ｒ５、Ｒ６、Ｒ７、Ｒ８、Ｒ９およびＲ１０は、それぞれ独立して、水素および非置換であるかまたは１、２、３、４もしくは５つの置換基ＲＡｒを有するアリールから選択され、
ＲＡｒは、各出現においてそれぞれ独立して、ハロゲン、Ｃ１−Ｃ３０−アルキル、Ｃ２−Ｃ３０−アルケニル、Ｃ２−Ｃ３０−アルキニル（３つの後者の基は、非置換であるかまたは１つ以上のＲａ基を有する）、Ｃ３−Ｃ８−シクロアルキル、３〜８員のヘテロシクリル（２つの後者の基は、非置換であるかまたは１つ以上のＲｂ基を有する）、アリールおよびヘテロアリール（２つの後者の基は、非置換であるかまたは１つ以上のＲｃ基を有する）から選択され、
Ｒａは、各出現においてそれぞれ独立して、シアノ、ハロゲン、Ｃ３−Ｃ８−シクロアルキル、３〜８員のヘテロシクリル、アリールおよびヘテロアリールから選択され、Ｃ３−Ｃ８−シクロアルキル、３〜８員のヘテロシクリルは、非置換であるかまたは１つ以上のＲｂ１基を有し、アリールおよびヘテロアリールは、非置換であるかまたは１つ以上のＲｃ１基を有し、
Ｒｂは、各出現においてそれぞれ独立して、シアノ、ハロゲン、Ｃ１−Ｃ１８−アルキル、Ｃ３−Ｃ８−シクロアルキル、３〜８員のヘテロシクリル、アリールおよびヘテロアリールから選択され、Ｃ３−Ｃ８−シクロアルキル、３〜８員のヘテロシクリルは、非置換であるかまたは１つ以上のＲｂ１基を有し、アリールおよびヘテロアリールは、非置換であるかまたは１つ以上のＲｃ１基を有し、
Ｒｃは、各出現においてそれぞれ独立して、シアノ、ハロゲン、Ｃ１−Ｃ１８−アルキル、Ｃ３−Ｃ８−シクロアルキル、３〜８員のヘテロシクリル、アリールおよびヘテロアリールから選択され、Ｃ３−Ｃ８−シクロアルキル、３〜８員のヘテロシクリルは、非置換であるかまたは１つ以上のＲｂ１基を有し、アリールおよびヘテロアリールは、非置換であるかまたは１つ以上のＲｃ１基を有し、
Ｒｂ１は、各出現においてそれぞれ独立して、ハロゲン、Ｃ１−Ｃ１８−アルキルおよびＣ１−Ｃ１８−ハロアルキルから選択され、
Ｒｃ１は、各出現においてそれぞれ独立して、ハロゲン、Ｃ１−Ｃ１８−アルキルおよびＣ１−Ｃ１８−ハロアルキルから選択される］
で示されるナフトイルベンゾイミダゾール化合物またはそれらの混合物；
（Ｂ２）式（ＩＩ）
【化２】
2020515890.tif 000045
［式中、
Ｒ２１、Ｒ２２、Ｒ２３、Ｒ２４、Ｒ２５、Ｒ２６、Ｒ２７、Ｒ２８、Ｒ２９およびＲ２１０は、それぞれ独立して、水素、シアノまたはアリールであり、該アリールは、非置換であるかまたは１つ以上の同一もしくは異なる置換基Ｒ２Ａｒを有し、
各Ｒ２Ａｒは、シアノ、ヒドロキシル、メルカプト、ハロゲン、Ｃ１−Ｃ２０−アルコキシ、Ｃ１−Ｃ２０−アルキルチオ、ニトロ、−ＮＲ２Ａｒ２Ｒ２Ａｒ３、−ＮＲ２Ａｒ２ＣＯＲ２Ａｒ３、−ＣＯＮＲ２Ａｒ２Ｒ２Ａｒ３、−ＳＯ２ＮＲ２Ａｒ２Ｒ２Ａｒ３、−ＣＯＯＲ２Ａｒ２、−ＳＯ３Ｒ２Ａｒ２、Ｃ１−Ｃ３０−アルキル、Ｃ２−Ｃ３０−アルケニル、Ｃ２−Ｃ３０−アルキニル（後者の３つの基は、非置換であるかまたは１つ以上のＲ２ａ基を有する）、Ｃ３−Ｃ８−シクロアルキル、３〜８員のヘテロシクリル（後者の２つの基は、非置換であるかまたは１つ以上のＲ２ｂ基を有する）、アリール、Ｕ−アリール、ヘテロアリールおよびＵ−ヘテロアリール（後者の４つの基は、非置換であるかまたは１つ以上のＲ２ｂ基を有する）から独立して選択され、
各Ｒ２ａは、シアノ、ヒドロキシル、オキソ、メルカプト、ハロゲン、Ｃ１−Ｃ２０−アルコキシ、Ｃ１−Ｃ２０−アルキルチオ、ニトロ、−ＮＲ２Ａｒ２ＲＡｒ３、−ＮＲ２Ａｒ２ＣＯＲ２Ａｒ３、−ＣＯＮＲ２Ａｒ２ＲＡｒ３、−ＳＯ２ＮＲ２Ａｒ２ＲＡｒ３、−ＣＯＯＲ２Ａｒ２、−ＳＯ３Ｒ２Ａｒ２、Ｃ３−Ｃ８−シクロアルキル、３〜８員のヘテロシクリル、アリールおよびヘテロアリールから独立して選択され、シクロアルキル、ヘテロシクリル、アリールおよびヘテロアリール基は、非置換であるかまたは１つ以上のＲ２ｂ基を有し、
各Ｒ２ｂは、シアノ、ヒドロキシル、オキソ、メルカプト、ハロゲン、Ｃ１−Ｃ２０−アルコキシ、Ｃ１−Ｃ２０−アルキルチオ、ニトロ、−ＮＲ２Ａｒ２Ｒ２Ａｒ３、−ＮＲ２Ａｒ２ＣＯＲ２Ａｒ３、−ＣＯＮＲ２Ａｒ２Ｒ２Ａｒ３、−ＳＯ２ＮＲ２Ａｒ２Ｒ２Ａｒ３、−ＣＯＯＲ２Ａｒ２、−ＳＯ３Ｒ２Ａｒ２、Ｃ１−Ｃ１８−アルキル、Ｃ２−Ｃ１８−アルケニル、Ｃ２−Ｃ１８−アルキニル、Ｃ３−Ｃ８−シクロアルキル、３〜８員のヘテロシクリル、アリールおよびヘテロアリールから独立して選択され、後者の４つの基は、非置換であるかまたは１つ以上のＲ２ｂ１基を有し、
各Ｒ２ｂ１は、シアノ、ヒドロキシル、メルカプト、オキソ、ニトロ、ハロゲン、−ＮＲ２Ａｒ２Ｒ２Ａｒ３、−ＮＲ２Ａｒ２ＣＯＲ２Ａｒ３、−ＣＯＮＲ２Ａｒ２Ｒ２Ａｒ３、−ＳＯ２ＮＲ２Ａｒ２Ｒ２Ａｒ３、−ＣＯＯＲ２Ａｒ２、−ＳＯ３Ｒ２Ａｒ２、−ＳＯ３Ｒ２Ａｒ２、Ｃ１−Ｃ１８−アルキル、Ｃ２−Ｃ１８−アルケニル、Ｃ２−Ｃ１８−アルキニル、Ｃ１−Ｃ１２−アルコキシおよびＣ１−Ｃ１２−アルキルチオから独立して選択され、
Ｕは、−Ｏ−、−Ｓ−、−ＮＲ２Ａｒ１−、−ＣＯ−、−ＳＯ−または−ＳＯ２−部分であり、
Ｒ２Ａｒ１、Ｒ２Ａｒ２、Ｒ２Ａｒ３は、それぞれ独立して、水素、Ｃ１−Ｃ１８−アルキル、３〜８員のシクロアルキル、３〜８員のヘテロシクリル、アリールまたはヘテロアリールであり、アルキルは、非置換であるかまたは１つ以上のＲ２ａ基を有し、３〜８員のシクロアルキル、３〜８員のヘテロシクリル、アリールおよびヘテロアリールは、非置換であるかまたは１つ以上のＲ２ｂ基を有するが、
ただし、式ＩＩで示される化合物が、少なくとも１つのシアノ基を含むことを条件とする］
で示されるシアン化ナフトイルベンゾイミダゾール化合物またはそれらの混合物；
（Ｂ３）式（ＩＩＩ）
【化３】
2020515890.tif 000046
［式中、
Ｚ３置換基の一方は、シアノであり、他方のＺ３置換基は、ＣＯ２Ｒ３９、ＣＯＮＲ３１０Ｒ３１１、Ｃ１−Ｃ１８−アルキル、Ｃ２−Ｃ１８−アルケニル、Ｃ２−Ｃ１８−アルキニル、Ｃ３−Ｃ１２−シクロアルキルまたはＣ６−Ｃ１４−アリールであり、Ｃ１−Ｃ１８−アルキル、Ｃ２−Ｃ１８−アルケニル、Ｃ２−Ｃ１８−アルキニルは、非置換であるかまたは１つ以上の同一もしくは異なるＺ３ａ置換基を有し、Ｃ３−Ｃ１２−シクロアルキルは、非置換であるかまたは１つ以上の同一もしくは異なるＺ３ｂ置換基を有し、Ｃ６−Ｃ１４−アリールは、非置換であるかまたは１つ以上の同一もしくは異なるＺ３Ａｒ置換基を有し、
Ｚ３＊置換基の一方は、シアノであり、他方のＺ３＊置換基は、ＣＯ２Ｒ３９、ＣＯＮＲ３１０Ｒ３１１、Ｃ１−Ｃ１８−アルキル、Ｃ２−Ｃ１８−アルケニル、Ｃ２−Ｃ１８−アルキニル、Ｃ３−Ｃ１２−シクロアルキルまたはＣ６−Ｃ１４−アリールであり、Ｃ１−Ｃ１８−アルキル、Ｃ２−Ｃ１８−アルケニル、Ｃ２−Ｃ１８−アルキニルは、非置換であるかまたは１つ以上の同一もしくは異なるＺ３ａ置換基を有し、Ｃ３−Ｃ１２−シクロアルキルは、非置換であるかまたは１つ以上の同一もしくは異なるＺ３ｂ置換基を有し、Ｃ６−Ｃ１４−アリールは、非置換であるかまたは１つ以上の同一もしくは異なるＺ３Ａｒ置換基を有し、
Ｒ３１、Ｒ３２、Ｒ３３、Ｒ３４、Ｒ３５、Ｒ３６、Ｒ３７およびＲ３８は、それぞれ独立して、水素、シアノ、臭素および塩素から選択されるが、
ただし、Ｒ３１、Ｒ３２、Ｒ３３、Ｒ３４、Ｒ３５、Ｒ３６、Ｒ３７またはＲ３８置換基のうちの１、２、３、４、５、６、７または８個が、シアノであることを条件とし、
Ｒ３９は、水素、Ｃ１−Ｃ１０−アルキル、Ｃ２−Ｃ１０−アルケニル、Ｃ２−Ｃ１０−アルキニル、Ｃ３−Ｃ１２−シクロアルキルまたはＣ６−Ｃ１４−アリールであり、Ｃ１−Ｃ１０−アルキル、Ｃ２−Ｃ１０−アルケニル、Ｃ２−Ｃ１０−アルキニルは、非置換であるかまたは１つ以上の同一もしくは異なるＲ３ａ置換基を有し、Ｃ３−Ｃ１２−シクロアルキルは、非置換であるかまたは１つ以上の同一もしくは異なるＲ３ｂ置換基を有し、Ｃ６−Ｃ１４−アリールは、非置換であるかまたは１つ以上の同一もしくは異なるＲ３Ａｒ置換基を有し、
Ｒ３１０およびＲ３１１は、それぞれ独立して、水素、Ｃ１−Ｃ１０−アルキル、Ｃ２−Ｃ１０−アルケニル、Ｃ２−Ｃ１０−アルキニル、Ｃ３−Ｃ１２−シクロアルキルまたはＣ６−Ｃ１４−アリールであり、Ｃ１−Ｃ１０−アルキル、Ｃ２−Ｃ１０−アルケニル、Ｃ２−Ｃ１０−アルキニルは、非置換であるかまたは１つ以上の同一もしくは異なるＲ３ａ置換基を有し、Ｃ３−Ｃ１２−シクロアルキルは、非置換であるかまたは１つ以上の同一もしくは異なるＲ３ｂ置換基を有し、Ｃ６−Ｃ１４−アリールは、非置換であるかまたは１つ以上の同一もしくは異なるＲ３Ａｒ置換基を有し、
各Ｚ３ａは、独立して、ハロゲン、ヒドロキシル、ＮＲ３１０ａＲ３１１ａ、Ｃ１−Ｃ１０−アルコキシ、Ｃ１−Ｃ１０−ハロアルコキシ、Ｃ１−Ｃ１０−アルキルチオ、Ｃ３−Ｃ１２−シクロアルキル、Ｃ６−Ｃ１４−アリール、Ｃ（＝Ｏ）Ｒ３９ａ、Ｃ（＝Ｏ）ＯＲ３９ａまたはＣ（Ｏ）ＮＲ３１０ａＲ３１１ａであり、Ｃ３−Ｃ１２−シクロアルキルは、非置換であるかまたは１つ以上の同一もしくは異なるＲ３ｂ置換基を有し、Ｃ６−Ｃ１４−アリールは、非置換であるかまたは１つ以上の同一もしくは異なるＲ３Ａｒ置換基を有し、
各Ｚ３ｂおよび各Ｚ３Ａｒは、独立して、ハロゲン、ヒドロキシル、ＮＲ３１０ａＲ３１１ａ、Ｃ１−Ｃ１０−アルキル、Ｃ１−Ｃ１０−アルコキシ、Ｃ１−Ｃ１０−ハロアルコキシ、Ｃ１−Ｃ１０−アルキルチオ、Ｃ（＝Ｏ）Ｒ３９ａ、Ｃ（＝Ｏ）ＯＲ３９ａまたはＣ（Ｏ）ＮＲ３１０ａＲ３１１ａであり、
各Ｒ３ａは、独立して、ハロゲン、ヒドロキシル、Ｃ１−Ｃ１０−アルコキシ、Ｃ３−Ｃ１２−シクロアルキルまたはＣ６−Ｃ１４−アリールであり、
各Ｒ３ｂは、独立して、ハロゲン、ヒドロキシル、Ｃ１−Ｃ１０−アルキル、Ｃ１−Ｃ１０−アルコキシ、Ｃ１−Ｃ１０−ハロアルコキシ、Ｃ１−Ｃ１０−アルキルチオ、Ｃ２−Ｃ１０−アルケニル、Ｃ２−Ｃ１０−アルキニル、Ｃ３−Ｃ１２−シクロアルキルまたはＣ６−Ｃ１４−アリールであり、
各Ｒ３Ａｒは、独立して、ハロゲン、ヒドロキシル、Ｃ１−Ｃ１０−アルキル、Ｃ１−Ｃ１０−アルコキシ、Ｃ１−Ｃ１０−ハロアルコキシ、Ｃ１−Ｃ１０−アルキルチオ、Ｃ２−Ｃ１０−アルケニル、Ｃ２−Ｃ１０−アルキニル、Ｃ３−Ｃ１２−シクロアルキルまたはＣ６−Ｃ１４−アリールであり、
Ｒ３９ａは、水素、Ｃ１−Ｃ１０−アルキル、Ｃ２−Ｃ１０−アルケニル、Ｃ２−Ｃ１０−アルキニル、Ｃ３−Ｃ１２−シクロアルキルまたはＣ６−Ｃ１４−アリールであり、
Ｒ３１０ａ、Ｒ３１１ａは、それぞれ独立して、水素、Ｃ１−Ｃ１０−アルキル、Ｃ２−Ｃ１０−アルケニル、Ｃ２−Ｃ１０−アルキニル、Ｃ３−Ｃ１２−シクロアルキルまたはＣ６−Ｃ１４−アリールである］
で示されるシアン化ペリレン化合物またはそれらの混合物；
（Ｂ４）式（ＩＶ）
【化４】
2020515890.tif 000047
［式中、
ｍ４は、０、１、２、３または４であり、
各Ｒ４１は、それぞれ独立して、臭素、塩素、シアノ、−ＮＲ４ａＲ４ｂ、Ｃ１−Ｃ２４−アルキル、Ｃ１−Ｃ２４−ハロアルキル、Ｃ１−Ｃ２４−アルコキシ、Ｃ１−Ｃ２４−ハロアルコキシ、Ｃ３−Ｃ２４−シクロアルキル、ヘテロシクロアルキル、ヘテロアリール、Ｃ６−Ｃ２４−アリール、Ｃ６−Ｃ２４−アリールオキシ、Ｃ６−Ｃ２４−アリール−Ｃ１−Ｃ１０−アルキレンから選択され、最後に言及された６つの基におけるシクロアルキル、ヘテロシクロアルキル、ヘテロアリール、アリール、アリールオキシの環は、非置換であるかまたは１、２、３、４もしくは５つの同一もしくは異なる基Ｒ４１ａにより置換されており、Ｃ１−Ｃ２４−アルキル、Ｃ１−Ｃ２４−ハロアルキル、Ｃ１−Ｃ２４−アルコキシおよびＣ６−Ｃ２４−アリール−Ｃ１−Ｃ１０−アルキレンのアルキレン部分は、Ｏ、ＳおよびＮＲ４ｃから選択される１つ以上の基により中断されていてもよく、
基Ｒ４２、Ｒ４３、Ｒ４４およびＲ４５の少なくとも１つは、ＣＮであり、残りの基は、それぞれ独立して、水素、塩素および臭素から選択され、
Ｘ４０は、Ｏ、Ｓ、ＳＯまたはＳＯ２であり、
Ａは、一般式（Ａ．１）、（Ａ．２）、（Ａ．３）および（Ａ．４）
【化５】
2020515890.tif 000048
［式中、
＊は、それぞれ分子の残り部分への結合部位を指し、
ｎ４は、０、１、２、３または４であり、
ｏ４は、０、１、２または３であり、
ｐ４は、０、１、２または３であり、
Ｒ４６は、水素、Ｃ１−Ｃ２４−アルキル、Ｃ１−Ｃ２４−ハロアルキル、Ｃ３−Ｃ２４−シクロアルキル、Ｃ６−Ｃ２４−アリールまたはＣ６−Ｃ２４−アリール−Ｃ１−Ｃ１０−アルキレンであり、最後に言及された３つの基におけるシクロアルキル、アリールおよびアリール−アルキレンの環は、非置換であるかまたは１、２、３、４もしくは５つの同一もしくは異なる基Ｒ４６ａにより置換されており、Ｃ１−Ｃ２４−アルキル、Ｃ１−Ｃ２４−ハロアルキルおよびＣ６−Ｃ２４−アリール−Ｃ１−Ｃ１０−アルキレンのアルキレン部分は、Ｏ、ＳおよびＮＲ４ｃから選択される１つ以上のヘテロ原子またはヘテロ原子基により中断されていてもよく、
各Ｒ４７は、それぞれ独立して、臭素、塩素、シアノ、−ＮＲ４ａＲ４ｂ、Ｃ１−Ｃ２４−アルキル、Ｃ１−Ｃ２４−ハロアルキル、Ｃ１−Ｃ２４−アルコキシ、Ｃ１−Ｃ２４−ハロアルコキシ、Ｃ３−Ｃ２４−シクロアルキル、ヘテロシクロアルキル、ヘテロアリール、Ｃ６−Ｃ２４−アリール、Ｃ６−Ｃ２４−アリールオキシ、Ｃ６−Ｃ２４−アリール−Ｃ１−Ｃ１０−アルキレンから選択され、最後に言及された６つの基におけるシクロアルキル、ヘテロシクロアルキル、ヘテロアリール、アリールおよびアリール−アルキレンの環は、非置換であるかまたは１、２、３、４もしくは５つの同一もしくは異なる基Ｒ４７ａにより置換されており、Ｃ１−Ｃ２４−アルキル、Ｃ１−Ｃ２４−ハロアルキル、Ｃ１−Ｃ２４−アルコキシ、Ｃ１−Ｃ２４−ハロアルコキシおよびＣ６−Ｃ２４−アリール−Ｃ１−Ｃ１０−アルキレンのアルキレン部分は、Ｏ、ＳおよびＮＲ４ｃから選択される１つ以上の基により中断されていてもよく、
各Ｒ４８は、それぞれ独立して、臭素、塩素、シアノ、ＮＲ４ａＲ４ｂ、Ｃ１−Ｃ２４−アルキル、Ｃ１−Ｃ２４−ハロアルキル、Ｃ１−Ｃ２４−アルコキシ、Ｃ１−Ｃ２４−ハロアルコキシ、Ｃ３−Ｃ２４−シクロアルキル、ヘテロシクロアルキル、ヘテロアリール、Ｃ６−Ｃ２４−アリール、Ｃ６−Ｃ２４−アリールオキシ、Ｃ６−Ｃ２４−アリール−Ｃ１−Ｃ１０−アルキレンから選択され、最後に言及された６つの基におけるシクロアルキル、ヘテロシクロアルキル、ヘテロアリール、アリールおよびアリール−アルキレンの環は、非置換であるかまたは１、２、３、４もしくは５つの同一もしくは異なる基Ｒ４８ａにより置換されており、Ｃ１−Ｃ２４−アルキル、Ｃ１−Ｃ２４−ハロアルキル、Ｃ１−Ｃ２４−アルコキシ、Ｃ１−Ｃ２４−ハロアルコキシおよびＣ６−Ｃ２４−アリール−Ｃ１−Ｃ１０−アルキレンのアルキレン部分は、Ｏ、ＳおよびＮＲ４ｃから選択される１つ以上の基により中断されていてもよく、
各Ｒ４９は、それぞれ独立して、臭素、塩素、シアノ、ＮＲ４ａＲ４ｂ、Ｃ１−Ｃ２４−アルキル、Ｃ１−Ｃ２４−ハロアルキル、Ｃ１−Ｃ２４−アルコキシ、Ｃ１−Ｃ２４−ハロアルコキシ、Ｃ３−Ｃ２４−シクロアルキル、ヘテロシクロアルキル、ヘテロアリール、Ｃ６−Ｃ２４−アリール、Ｃ６−Ｃ２４−アリールオキシ、Ｃ６−Ｃ２４−アリール−Ｃ１−Ｃ１０−アルキレンから選択され、最後に言及された６つの基におけるシクロアルキル、ヘテロシクロアルキル、ヘテロアリール、アリールおよびアリール−アルキレンの環が、非置換であるかまたは１、２、３、４もしくは５つの同一もしくは異なる基Ｒ４９ａにより置換されており、Ｃ１−Ｃ２４−アルキル、Ｃ１−Ｃ２４−ハロアルキル、Ｃ１−Ｃ２４−アルコキシ、Ｃ１−Ｃ２４−ハロアルコキシおよびＣ６−Ｃ２４−アリール−Ｃ１−Ｃ１０−アルキレンのアルキレン部分は、Ｏ、ＳおよびＮＲ４ｃから選択される１つ以上の基により中断されていてもよく、
Ｒ４１ａ、Ｒ４６ａ、Ｒ４７ａ、Ｒ４８ａ、Ｒ４９ａは、それぞれ独立して、Ｃ１−Ｃ２４−アルキル、Ｃ１−Ｃ２４−フルオロアルキル、Ｃ１−Ｃ２４−アルコキシ、フッ素、塩素および臭素から選択され、
Ｒ４ａ、Ｒ４ｂ、Ｒ４ｃは、それぞれ独立して、水素、Ｃ１−Ｃ２０−アルキル、Ｃ３−Ｃ２４−シクロアルキル、ヘテロシクロアルキル、ヘテロアリールおよびＣ６−Ｃ２４−アリールから選択される］
で示されるジラジカルから選択されるジラジカルである］
で示されるシアン化化合物またはそれらの混合物；
（Ｂ５）式（Ｖ）
【化６】
2020515890.tif 000049
［式中、
Ｘ５は、酸素または硫黄であり、
Ｒ５１は、非置換であるかまたはハロゲン、Ｒ５１１、ＯＲ５５２、ＮＨＲ５５２およびＮＲ５５２Ｒ５５７から選択される１、２、３、４もしくは５つの置換基を有するフェニルであり、
Ｒ５２、Ｒ５３、Ｒ５４、Ｒ５５、Ｒ５６、Ｒ５７、Ｒ５８およびＲ５９は、それぞれ独立して、水素、ハロゲン、Ｒ５５３、ＯＲ５５３、ＮＨＲ５５３およびＮＲ５５３Ｒ５５４から選択され、Ｒ５１１は、Ｃ１−Ｃ２４−アルキル、Ｃ６−Ｃ２４−アリールおよびヘテロアリールから選択され、Ｒ５５２およびＲ５５７は、それぞれ独立して、Ｃ１−Ｃ１８−アルキル、Ｃ６−Ｃ２４−アリールおよびヘテロアリールから選択され、Ｒ５５３およびＲ５５４は、それぞれ独立して、Ｃ１−Ｃ１８−アルキル、Ｃ６−Ｃ２４−アリールおよびヘテロアリールから選択される］
で示されるベンゾ（チオ）キサンテン化合物またはそれらの混合物；
（Ｂ６）式（ＶＩＡ）または（ＶＩＢ）
【化７】
2020515890.tif 000050
［式中、
Ｘ６は、酸素または硫黄であり、
Ｒ６１、Ｒ６２、Ｒ６３、Ｒ６４、Ｒ６５、Ｒ６６、Ｒ６７、Ｒ６８、Ｒ６９、Ｒ６１０、Ｒ６１１およびＲ６１２は、それぞれ独立して、水素、ハロゲン、Ｒ６６１、ＯＲ６６１、ＮＨＲ６６１およびＮＲ６６１Ｒ６６２から選択され、
各Ｒ６１１は、Ｃ１−Ｃ１８−アルキル、Ｃ６−Ｃ２４−アリールおよびヘテロアリールから選択され、
各Ｒ６６２は、Ｃ１−Ｃ１８−アルキル、Ｃ６−Ｃ２４−アリールおよびヘテロアリールから選択される］
で示されるベンゾイミダゾキサンテンイソキノリン化合物またはそれらの混合物；
（Ｂ７）式（ＶＩＩ）
【化８】
2020515890.tif 000051
［式中、
示されるベンゾイミダゾール構造の６員環の１つ以上のＣＨ基は、窒素により置き換えられていてもよく、記号はそれぞれ、下記のように定義される：
ｎ７は、式（ＶＩＩ）で示される各構造単位についての０〜（１０−ｐ７）の数であり、ｐ７は、示されるベンゾイミダゾール構造の６員環において窒素により置き換えられたＣＨ単位の数であり、
Ｘ７は、化学結合、Ｏ、Ｓ、ＳＯ、ＳＯ２、ＮＲ７１であり、
Ｒは、脂肪族基、脂環式基、アリール、ヘテロアリール（それらはそれぞれ、置換基を有してもよい）、芳香族または複素芳香族環または環系（それらはそれぞれ、式（ＶＩＩ）で示される構造単位の他の芳香環に縮合している）であり、Ｘ７が化学結合でない場合、Ｆ、Ｃｌ、Ｂｒ、ＣＮ、Ｈであり、
２つのＲ基が結合して１つの環状基となってもよく、ｎ７＞１の場合、Ｘ７およびＲは、同じかまたは異なってもよく、
Ｒ７１は、それぞれ独立して、水素、Ｃ１−Ｃ１８−アルキルまたはシクロアルキル（それらの炭素鎖は、１つ以上の−Ｏ−、−Ｓ−、−ＣＯ−、−ＳＯ−および／または−ＳＯ２−部分を含んでもよく、単置換または多置換されていてもよい）、アリールまたはヘテロアリール（それらは、単置換または多置換されていてもよい）である］
で示される少なくとも１つの構造単位を含む蛍光化合物またはそれらの混合物；
（Ｂ８）式（ＶＩＩＩ）または（ＩＸ）
【化９】
2020515890.tif 000052
［式中、
Ｒ８１、Ｒ８２は、それぞれ独立して、Ｃ１−Ｃ３０−アルキル、１つ以上の酸素により中断されているＣ２−Ｃ３０−アルキル、Ｃ３−Ｃ８−シクロアルキル、Ｃ６−Ｃ１０−アリール、ヘテロアリール、Ｃ６−Ｃ１０−アリール−Ｃ１−Ｃ１０−アルキレンであり、３つの後者の基における芳香環は、非置換であるかまたはＣ１−Ｃ１０−アルキルにより単置換もしくは多置換されており、
Ｒ９２は、Ｃ１−Ｃ３０−アルキル、Ｃ３−Ｃ８−シクロアルキル、アリール、ヘテロアリール、アリール−Ｃ１−Ｃ１０−アルキレンであり、３つの後者の基における芳香環は、非置換であるかまたはＣ１−Ｃ１０−アルキルにより単置換もしくは多置換されている］
で示されるペリレン化合物；
（Ｂ９）式（Ｘ）
【化１０】
2020515890.tif 000053
［式中、
各Ｒ１０１は、それぞれ独立して、水素、Ｃ１−Ｃ３０−アルキル、１つ以上の酸素により中断されているＣ２−Ｃ３０−アルキル、Ｃ３−Ｃ８−シクロアルキル、Ｃ６−Ｃ１０−アリール、ヘテロアリール、Ｃ６−Ｃ１０−アリール−Ｃ１−Ｃ１０−アルキレンであり、３つの後者の基における芳香環は、非置換であるかまたはＣ１−Ｃ１０−アルキルにより単置換もしくは多置換されており、
Ｒ１０２は、水素、Ｃ１−Ｃ３０−アルキル、１つ以上の酸素により中断されているＣ２−Ｃ３０−アルキル、Ｃ３−Ｃ８−シクロアルキル、Ｃ６−Ｃ１０−アリール、ヘテロアリール、Ｃ６−Ｃ１０−アリール−Ｃ１−Ｃ１０−アルキレンであり、３つの後者の基における芳香環は、非置換であるかまたはＣ１−Ｃ１０−アルキルにより単置換もしくは多置換されている］
で示されるナフタレンモノイミド化合物；
（Ｂ１０）７−（ジエチルアミノ）−３−（５−メチルベンゾ［ｄ］オキサゾール−２−イル）−２Ｈ−クロメン−２−オン；
（Ｂ１１）式（ＸＩＡ）または（ＸＩＢ）
【化１１】
2020515890.tif 000054
［式中、
各Ｒ１１１は、それぞれ独立して、Ｃ１−Ｃ１８アルキル、Ｃ４−Ｃ８シクロアルキル（これらは、ハロゲンまたは直鎖もしくは分岐鎖Ｃ１−Ｃ１８アルキルにより単置換または多置換されていてもよい）またはフェニルもしくはナフチル（これらは、ハロゲンまたは直鎖もしくは分岐鎖Ｃ１−Ｃ１８アルキルにより単置換または多置換されていてもよい）である］
で示されるペリレン化合物またはそれらの混合物；
（Ｂ１２）式（ＸＩＩＡ）または（ＸＩＩＢ）
【化１２】
2020515890.tif 000055
［式中、
各Ｒ１２１は、それぞれ独立して、Ｃ１−Ｃ１８アルキル、Ｃ４−Ｃ８シクロアルキル（これらは、ハロゲンまたは直鎖もしくは分岐鎖Ｃ１−Ｃ１８アルキルにより単置換または多置換されていてもよい）またはフェニルもしくはナフチル（これらは、ハロゲンまたは直鎖もしくは分岐鎖Ｃ１−Ｃ１８アルキルにより単置換または多置換されていてもよい）である］
で示されるシアン化ペリレン化合物またはそれらの混合物；
（Ｂ１３）式（ＸＩＩＩ）
【化１３】
2020515890.tif 000056
［式中、
ｐ１３は、１、２、３または４であり、
Ｒ１３１およびＲ１３２は、それぞれ独立して、Ｃ１−Ｃ１０−アルキル（これは、非置換であるかまたはＣ６−Ｃ１０−アリールにより置換されており、該Ｃ６−Ｃ１０−アリールは、非置換であるかまたは１、２もしくは３つのＣ１−Ｃ１０−アルキルにより置換されている）、１つ以上の酸素により中断されているＣ２−Ｃ２０−アルキル、Ｃ３−Ｃ８−シクロアルキル（これは、非置換であるかまたは１、２もしくは３つのＣ１−Ｃ１０−アルキルにより置換されている）またはＣ６−Ｃ１０−アリール（これは、非置換であるかまたは１、２もしくは３つのＣ１−Ｃ１０−アルキルにより置換されている）であり、
各Ｒ１３３は、それぞれ独立して、フッ素、塩素、Ｃ１−Ｃ１６−アルキル、１つ以上の酸素により中断されているＣ２−Ｃ１６−アルキル、Ｃ１−Ｃ１６−アルコキシ、非置換であるかまたはフッ素、塩素、Ｃ１−Ｃ１６−アルキル、１つ以上の酸素により中断されているＣ２−Ｃ１６−アルキル、Ｃ１−Ｃ１６−アルコキシにより単置換もしくは多置換されているＣ６−Ｃ１０−アリールオキシまたは非置換であるかまたはＣ１−Ｃ６−アルキル、Ｃ１−Ｃ６−アルコキシ−Ｃ１−Ｃ６−アルキルおよびＣ１−Ｃ６−アルコキシから選択される１、２または３つの基により置換されているＣ６−Ｃ１０−アリールであり、
Ｒ１３３基は、＊により示される位置にある］
で示されるペリレンビスイミド化合物またはそれらの混合物；
（Ｂ１４）式（ＸＩＶ）
【化１４】
2020515890.tif 000057
［式中、
Ｒ１４１およびＲ１４２は、それぞれ独立して、水素、それぞれ非置換のまたは置換されたＣ１−Ｃ３０−アルキル、ポリアルキレンオキシ、Ｃ１−Ｃ３０−アルコキシ、Ｃ１−Ｃ３０−アルキルチオ、Ｃ３−Ｃ２０−シクロアルキル、Ｃ３−Ｃ２０−シクロアルキルオキシ、Ｃ６−Ｃ２４−アリールおよびＣ６−Ｃ２４−アリールオキシから選択され、
Ｒ１４３、Ｒ１４４、Ｒ１４５、Ｒ１４６、Ｒ１４７、Ｒ１４８、Ｒ１４９、Ｒ１４１０、Ｒ１４１１、Ｒ１４１２、Ｒ１４１３、Ｒ１４１４、Ｒ１４１５、Ｒ１４１６、Ｒ１４１７およびＲ１４１８は、それぞれ独立して、水素、ハロゲン、シアノ、ヒドロキシル、メルカプト、ニトロ、−ＮＥ１４１Ｅ１４２、−ＮＲＡｒ１４１ＣＯＲＡ１４２、−ＣＯＮＲＡｒ１４１ＲＡｒ１４２、−ＳＯ２ＮＲＡ１４１ＲＡ１４２、−ＣＯＯＲＡｒ１４１、−ＳＯ３ＲＡｒ１４２、それぞれ非置換のまたは置換されたＣ１−Ｃ３０−アルキル、ポリアルキレンオキシ、Ｃ１−Ｃ３０−アルコキシ、Ｃ１−Ｃ３０−アルキルチオ、Ｃ３−Ｃ２０−シクロアルキル、Ｃ３−Ｃ２０−シクロアルコキシ、Ｃ６−Ｃ２４−アリール、Ｃ６−Ｃ２４−アリールオキシおよびＣ６−Ｃ２４−アリールチオから選択され、
Ｒ１４３およびＲ１４４、Ｒ１４４およびＲ１４５、Ｒ１４５およびＲ１４６、Ｒ１４６およびＲ１４７、Ｒ１４７およびＲ１４８、Ｒ１４８およびＲ１４９、Ｒ１４９およびＲ１４１０、Ｒ１４１１およびＲ１４１２、Ｒ１４１２およびＲ１４１３、Ｒ１４１３およびＲ１４１４、Ｒ１４１４およびＲ１４１５、Ｒ１４１５およびＲ１４１６、Ｒ１４１６およびＲ１４１７ならびに／またはＲ１４１７およびＲ１４１８は、それらが結合しているビフェニルイル部分の炭素原子と共に、さらなる縮合芳香環系または非芳香環系を形成してもよく、前記縮合環系は、非置換であるかまたは置換されており、
Ｅ１４１およびＥ１４２は、それぞれ独立して、水素、非置換のもしくは置換されたＣ１−Ｃ１８−アルキル、非置換のもしくは置換されたＣ２−Ｃ１８−アルケニル、非置換のもしくは置換されたＣ２−Ｃ１８−アルキニル、非置換のもしくは置換されたＣ３−Ｃ２０−シクロアルキルまたは非置換のもしくは置換されたＣ６−Ｃ１０−アリールであり、
ＲＡｒ１４１およびＲＡｒ１４２は、それぞれ独立して、水素、非置換のもしくは置換されたＣ１−Ｃ１８−アルキル、非置換のもしくは置換されたＣ３−Ｃ２０−シクロアルキル、非置換のもしくは置換されたヘテロシクリル、非置換のもしくは置換されたＣ６−Ｃ２０−アリールまたは非置換のもしくは置換されたヘテロアリールである］
で示されるペリレン化合物またはそれらの混合物；
（Ｂ１５）第１の基（ＸＶａ）と第２の基（ＸＶｂ）とを含む３，４；９，１０−ペリレンテトラカルボン酸ジイミド化合物であって、
第１の基（ＸＶａ）は、化合物（Ｖ）、化合物（Ｘ）、化合物（ＸＩＡ）、化合物（ＸＩＢ）、７−（ジエチルアミノ）−３−（６−メチルベンゾ［ｄ］オキサゾール−２−イル）−２Ｈ−クロメン−２−オンまたは式（ＸＶａ１）
【化１５】
2020515890.tif 000058
［式中、
Ｒ１５１は、Ｃ１−Ｃ１０−アルキル（これは、非置換であるかまたはＣ６−Ｃ１０−アリールにより置換されており、該Ｃ６−Ｃ１０−アリールは、非置換であるかまたは１、２もしくは３つのＣ１−Ｃ１０−アルキルにより置換されている）、１つ以上の酸素により中断されているＣ２−Ｃ２０−アルキル、Ｃ３−Ｃ８−シクロアルキル（これは、非置換であるかまたは１、２もしくは３つのＣ１−Ｃ１０−アルキルにより置換されている）またはＣ６−Ｃ１０−アリール（これは、非置換であるかまたは１、２もしくは３つのＣ１−Ｃ１０−アルキルにより置換されている）である］
の化合物のうちの１つ以上をベースとする１つ以上の基を含み、第２の基（ＸＶｂ）は、
【化１６】
2020515890.tif 000059
［式中、
Ｒ１５２は、それぞれ独立して、水素、Ｃ１−Ｃ１０−アルキル（これは、非置換であるかまたはＣ６−Ｃ１０−アリールにより置換されており、該Ｃ６−Ｃ１０−アリールは、非置換であるかまたは１、２もしくは３つのＣ１−Ｃ１０−アルキルにより置換されている）、１つ以上の酸素により中断されているＣ２−Ｃ２０−アルキル、Ｃ３−Ｃ８−シクロアルキル（これは、非置換であるかまたは１、２もしくは３つのＣ１−Ｃ１０−アルキルにより置換されている）またはＣ６−Ｃ１０−アリール（これは、非置換であるかまたは１、２もしくは３つのＣ１−Ｃ１０−アルキル、または基（ＸＶｂ１）
【化１７】
2020515890.tif 000060
［式中、
＊は、分子の残り部分への結合部位を表す］
により置換されている）から選択され、
Ｒ１５３およびＲ１５４は、それぞれ独立して、水素、Ｃ１−Ｃ３０−アルキル、Ｃ２−Ｃ３０−アルケニル、Ｃ２−Ｃ３０−アルキニル、Ｃ３−Ｃ１２−シクロアルキルおよびＣ６−Ｃ２４−アリールから選択され、前記最後に言及された２つの基は、非置換であるかまたはＣ１−Ｃ１０−アルキルから選択される１、２もしくは３つの基を有する］
である、３，４；９，１０−ペリレンテトラカルボン酸ジイミド化合物。
【請求項６】
請求項５に記載の少なくとも２つの有機蛍光着色剤（Ｂ）の混合物を含み、前記少なくとも２つの有機蛍光着色剤（Ｂ）は、蛍光有機着色剤（Ｂ１）、（Ｂ２）、（Ｂ３）、（Ｂ４）、（Ｂ５）、（Ｂ６）、（Ｂ７）、（Ｂ８）、（Ｂ９）、（Ｂ１０）、（Ｂ１１）、（Ｂ１２）、（Ｂ１３）、（Ｂ１４）または（Ｂ１５）のうちの少なくとも２つの異なるクラスに属する、請求項１から５までのいずれか１項記載の色変換体。
【請求項７】
有機蛍光着色剤として式（ＸＩＩＩ）の少なくとも１つのペリレンビスイミド化合物を含む、請求項５または６記載の色変換体。
【請求項８】
有機蛍光着色剤として式（ＶＩＩ）の少なくとも１つの構造単位を含む少なくとも１つの化合物を含む、請求項５から７までのいずれか１項記載の色変換体。
【請求項９】
有機蛍光着色剤として、式（ＶＩＩＩ）の化合物、式（ＩＸ）の化合物、式（ＸＩＡ）および（ＸＩＢ）の化合物、式（ＸＩＩＡ）および（ＸＩＩＢ）の化合物ならびにそれらの混合物から選択される少なくとも１つの化合物を含む、請求項５から８までのいずれか１項記載の色変換体。
【請求項１０】
ガーネット、ケイ酸塩、硫化物、窒化物および酸窒化物ならびに量子ドットから選択される少なくとも１つの発光材料を含む、請求項１から９までのいずれか１項記載の色変換体。
【請求項１１】
散乱体として、少なくとも１つの無機白色顔料、好ましくは二酸化チタンをさらに含む、請求項１から１０までのいずれか１項記載の色変換体。
【請求項１２】
４００ｎｍ〜４８０ｎｍの発光中心波長を有する青色ＬＥＤにより発せられた光を変換して、２０００Ｋ〜２００００Ｋの相関色温度を有する白色光を提供するため、または３０００Ｋ〜２００００Ｋの相関色温度を有する冷白色ＬＥＤにより発せられる光を変換して、より低い相関色温度を有する白色光を提供するための、請求項１から１１までのいずれか１項記載の色変換体の使用。
【請求項１３】
（ｉ）脂肪族Ｃ２−Ｃ２０−ジオールおよび脂環式Ｃ３−Ｃ２０−ジオールから選択される少なくとも１つのジオールと、（ｉｉ）２，５−フランジカルボン酸および／またはそのエステル形成性誘導体と、（ｉｉｉ）任意に１，２−シクロヘキサンジカルボン酸、１，４−シクロヘキサンジカルボン酸、３，４−フランジカルボン酸、テレフタル酸および２，６−ナフタル酸および／またはそのエステル形成性誘導体から選択される少なくとも１つのさらなるジカルボン酸との反応により得ることができる少なくとも１つの２，５−フランジカルボキシレートポリエステル（Ａ）と、少なくとも１つの発光材料、特に請求項５から９までのいずれか１項記載の少なくとも１つの有機蛍光着色剤（Ｂ）とを含む、ポリマー混合物。
【請求項１４】
以下：
（ｉ）４００ｎｍ〜４８０ｎｍの発光中心波長を有する青色ＬＥＤおよび３０００Ｋ〜２００００Ｋの相関色温度を有する冷白色ＬＥＤから選択される少なくとも１つのＬＥＤと、
（ｉｉ）請求項１から１１までのいずれか１項記載の少なくとも１つの色変換体と
を含む、照明装置であって、
前記少なくとも１つの色変換体は、前記少なくとも１つのＬＥＤから離れて配置されている、照明装置。
【請求項１５】
光電池と、請求項１から１１までのいずれか１項記載の色変換体とを含む、照光時に電力を生成する装置であって、前記光電池により吸収されない光の少なくとも一部が前記色変換体により吸収される、装置。
【発明の詳細な説明】
【技術分野】
【０００１】
本発明は、少なくとも１つの２，５−フランジカルボキシレートポリエステルと少なくとも１つの発光材料とを含むポリマーマトリックス材料を含む色変換体、および前記色変換体の使用に関する。また、本発明は、少なくとも１つの２，５−フランジカルボキシレートポリエステルと少なくとも１つの発光材料とを含むポリマー混合物、少なくとも１つのＬＥＤと前記色変換体とを含む照明装置、および照光時に電力を生成する、光電池と前記色変換体とを含む装置に関する。
【０００２】
発明の背景
発光ダイオード（ＬＥＤ）は、そのエネルギー効率がはるかにより高く、より長寿命であることから、一般照明用途の白熱灯や蛍光灯などの従来の光源から置き換わっている。現在、ＬＥＤ装置を作製して白色光を生成するために、青色ＬＥＤが蛍光材料と組み合わせて使用されている。
【０００３】
この目的のための既知の方法によれば、蛍光着色剤を含むポリマー材料は、ＬＥＤ光源（ＬＥＤチップ）に直接適用される。多くの場合、ポリマー材料は、ほぼ液滴または半球の形状でＬＥＤチップに供給され、その結果、特定の光学効果が発光に寄与する。ポリマーマトリックス中の蛍光着色剤がＬＥＤチップにスペースを介さずに直接適用されるこのような構造は、「蛍光体オンチップ」とも呼ばれる。蛍光体オンチップＬＥＤでは、これまで使用されてきた蛍光着色剤は、一般に無機物質であった。例えばセリウムをドープしたイットリウムアルミニウムガーネットからなっていてよい蛍光材料は、ある割合の青色光を吸収し、かつより長波長の光を広い発光帯域で発光し、その結果、透過した青色光と放出された光との混合によって白色光が生じる。
【０００４】
そのような照明要素の色再現性を改善するために、説明された白色光ダイオードだけでなく赤色発光ダイオードも組み込むこともさらに可能である。これによって、多くの人々がより快適であると感じる光を生じさせることができる。しかし、これは技術的により複雑で、より費用がかかる。
【０００５】
蛍光体オンチップＬＥＤでは、ポリマー材料および蛍光材料が、比較的高い熱応力および放射応力を受ける。この理由ゆえ、有機蛍光着色剤は、これまで蛍光体オンチップＬＥＤへの使用には適していなかった。有機蛍光着色剤は、原則として、その広い発光帯域によって良好な色再現性を生じることができる。しかし、これまで有機蛍光着色剤は、ＬＥＤチップに直接配置した場合には、応力への対処に十分なほど安定していなかった。
【０００６】
青色光からの色変換により白色光を生成するために、一般にキャリアとポリマー層とを含む色変換体（単に「変換体」とも呼ばれる）をＬＥＤチップからある一定の距離におくというさらなるコンセプトがある。そのような構造は、「遠隔蛍光体」と呼ばれる。
【０００７】
一次光源とＬＥＤと色変換体との間の空間的距離によって、熱および放射に起因する応力が、適切な有機蛍光染料によって安定性の要件を達成できる程度まで低減される。さらに、「遠隔蛍光体」コンセプトによるＬＥＤは、「蛍光体オンチップ」コンセプトによるＬＥＤよりも一層エネルギー効率が高い。
【０００８】
色変換体の問題の１つとしてさらに、青色光源照射の影響下での有機蛍光着色剤の劣化、特に空気および／または水蒸気への暴露によって引き起こされる劣化が挙げられる。無機発光材料としての量子ドット（ＱＤ）を含む色変換体にも、同様の問題が当てはまる。通常、色変換体に使用されるポリマーは、例えばポリスチレン、ポリカーボネート、ポリエチレンテレフタレート、ポリエチレンナフタレート、ポリメチルアクリレートおよびポリメチルメタクリレートといった、３８０〜７５０ｎｍの範囲の波長の光を透過する有機ポリマーであり、それというのも、こうしたポリマーは、他のポリマーと比較して、最良の光学特性を提供するためである。しかし、これらのポリマーが相対的にガスを透過し易いことによって、蛍光着色剤の寿命が短縮され、ひいては色変換体の寿命が制限される。１つもしくは複数の有機蛍光着色剤および／またはＱＤを含むポリマー層を、ガス透過性の低い少なくとも１つのバリア層で保護することが、ガス透過に対する抵抗性を増加させ、ひいては色変換体の寿命を延長するための選択肢の１つである。この選択肢は、国際公開第２０１２／１５２８１２号（ＷＯ  ２０１２／１５２８１２）で説明されている。もう１つの選択肢は、本発明のポリマーと比較して、ガス透過に対してより高いバリア特性を有するポリマーを使用することであり得る。
【０００９】
国際公開第２０１４／１００２６５号（ＷＯ  ２０１４／１００２６５）には、酸素バリア性が６倍改善され、また水分バリア性も改善されたことに関してポリエチレンテレフタレートの有望な代替物であるとして、ポリエチレンフラノエートが記載されている。ポリエチレンフラノエート系ポリエステルが色変換体のポリマーマトリックス材料として使用できることについては、何ら示唆されていない。
【００１０】
現在、化石系材料の代替物としての再生可能な資源から製造された成分を含むポリマーの使用への関心が高まっている。したがって当技術分野では、色変換体で使用するための代替ポリマー、特に改善されたガスバリア特性を示すポリマーが必要とされている。
【００１１】
驚くべきことに、これらおよび他の目的は、以下に記載される少なくとも１つの２，５−フランジカルボキシレートポリエステルから選択されるポリマー材料によって達成されることが判明した。
【００１２】
発明の概要
したがって、本発明の第１の主題は、以下：
−  （ｉ）脂肪族Ｃ２−Ｃ２０−ジオールおよび脂環式Ｃ３−Ｃ２０−ジオールから選択される少なくとも１つのジオールと、（ｉｉ）２，５−フランジカルボン酸および／またはそのエステル形成性誘導体と、（ｉｉｉ）任意に、１，２−シクロヘキサンジカルボン酸、１，４−シクロヘキサンジカルボン酸、３，４−フランジカルボン酸、テレフタル酸および２，６−ナフタル酸および／またはそのエステル形成性誘導体から選択される少なくとも１つのさらなるジカルボン酸との反応により得ることができる少なくとも１つの２，５−フランジカルボキシレートポリエステル（Ａ）を含むポリマーマトリックス材料と、
−  少なくとも１つの発光材料と
を含む、色変換体である。
【００１３】
本発明のさらなる主題は、上記色変換体の使用に関する。
【００１４】
本発明のさらなる主題は、少なくとも１つの２，５−フランジカルボキシレートポリエステル（Ａ）と少なくとも１つの発光材料、好ましくは蛍光有機着色剤とを含むポリマー混合物に関する。
【００１５】
本発明のさらなる主題は、（ｉ）４００ｎｍ〜４８０ｎｍ、特に４２０ｎｍ〜４８０ｎｍの発光中心波長を有する青色ＬＥＤおよび３０００Ｋ〜２００００Ｋ、特に６０００〜２００００Ｋの相関色温度を有する冷白色ＬＥＤから選択される少なくとも１つのＬＥＤと、（ｉｉ）上記少なくとも１つの色変換体とを含み、少なくとも１つの色変換体は、少なくとも１つのＬＥＤから離れて配置されている、照明装置に関する。
【００１６】
本発明のさらなる主題は、光電池と上記色変換体とを含み、光電池により吸収されない光の少なくとも一部が色変換体により吸収される、照光時に電力を生成する装置に関する。
【００１７】
詳細な説明
ポリマーマトリックスに少なくとも１つの２，５−フランジカルボキシレートポリエステル（Ａ）を使用することにより、高い蛍光量子効率を有する色変換体を得ることができる。さらに、該色変換体は、既存の色変換体と比較して改善された寿命を有する。本発明により使用されるポリエステル（Ａ）は、既存のポリマーと比較して以下の利点のうちの少なくとも１つを有する：
−  ３８０〜７５０ｎｍの範囲の光に対する透過性；
−  酸素に対する高いバリア特性；
−  水蒸気に対する高いバリア特性；
−  高い加工性；
−  高い熱たわみ温度；
−  再生可能な出発材料から容易に入手可能；
−  発光材料の高い蛍光量子収率を可能にする。
【００１８】
本発明において、「発光材料」という用語には、発光特性を有する、すなわち特定の波長の光を吸収し、それを別の波長の光に変換できるすべての材料が含まれる。「発光材料」という用語には、無機発光材料および有機発光材料が含まれる。有機発光材料は、蛍光着色剤とも呼ばれる。蛍光着色剤には、有機蛍光顔料および有機蛍光染料が含まれる。本発明において、「発光材料」という用語は、「放射線変換発光団」または「蛍光体」とも呼ばれる。これらの用語は、いずれも互換的に使用される。
【００１９】
本発明において、「変換材料」という用語は、第１の波長の光子により励起され、第２の異なる波長の光子を放出する材料を指す。
【００２０】
本発明において、「蛍光体変換ＬＥＤ」とは、ＬＥＤ素子によって放出される光の色を異なる色に変換または変更するために蛍光体材料層がコーティングされたＬＥＤ素子を指す。
【００２１】
本発明において、量子ドットとは、量子力学的特性を示すのに十分小さい半導体材料で作られたナノ結晶である。量子ドットは、かなり狭い発光スペクトル、すなわち、かなり小さいＦＷＨＭ（半値全幅）を示す。ドットの色出力は、結晶サイズを制御することにより調整することができる。量子ドットのサイズが小さいほど、量子ドットは、より短い波長の光を発する。
【００２２】
本発明において、「色変換体」とは、特定の波長の光を吸収し、それを第２の波長の光に変換することができる全ての物理的装置を意味すると理解される。色変換体は、例えば、照明装置、特に光源としてＬＥＤまたはＯＬＥＤを利用する照明装置または蛍光変換太陽電池の一部である。したがって、青色光は、（少なくとも）部分的に、励起波長よりも長い波長の可視光に変換され得る。
【００２３】
本発明において、所定のスペクトル分布Ｆ（λ）の「中心波長」という用語は、下記平均：λｃ＝∫λ・Ｆ（λ）ｄλ／∫Ｆ（λ）ｄλと定義される。
【００２４】
本発明の文脈において、「青色ＬＥＤ」とは、４００〜４８０ｎｍ、好ましくは４２０〜４８０ｎｍ、より好ましくは４４０〜４７０ｎｍ、特に４４０〜４６０ｎｍの範囲の発光中心波長を有する電磁スペクトルの青色範囲の光を発するＬＥＤを意味すると理解される。適切な半導体材料は、炭化ケイ素、セレン化亜鉛ならびに窒化物、例えば、窒化アルミニウム（ＡｌＮ）、窒化ガリウム（ＧａＮ）、窒化インジウム（ＩｎＮ）および窒化インジウムガリウム（ＩｎＧａＮ）である。ＬＥＤは、典型的には、それらのピーク波長に密に集中する狭い波長分布を有する。標準的なＩｎＧａＮ系青色ＬＥＤは、サファイア基板上に作製され、ピーク発光波長は、通常、４４５〜４５５ｎｍを中心とする。
【００２５】
白熱放射体ではない光源は、相関色温度を有する。相関色温度（ＣＣＴ）とは、ＬＥＤと同じ白色光を発するとヒトの目により知覚される黒体放射体の温度である。相関色温度（ＣＣＴ）は、電気光源から発せられる白色光の色の外観を表し、ケルビンで測定される。これは、ＣＩＥ国際規格に従って決定される。白色光源からのＣＣＴは、通常、１５００Ｋ〜２００００Ｋ、特に２０００Ｋ〜２００００Ｋの範囲にある。より高いＣＣＴを有する白色光は、より低いＣＣＴを有する白色光と比較して、短波長領域（青色）では相対的に高い強度を含み、より長波長領域（赤色）では相対的に低い強度を含む。したがって、より高いＣＣＴは、総じて、より顕著な青色成分または冷色調を有する白色光を示し、一方、より低いＣＣＴは、総じて、より顕著な赤色または暖色調を有する光を示す。
【００２６】
本発明において、「実質的に」という語は、「完全に」、「全体的に」および「全て」という語を包含する。この語は、９０％以上、例えば、９５％以上またはとりわけ９９％もしくは１００％の割合を包含する。
【００２７】
本発明において、「および／または」という用語は、特に、「および／または」の前後に言及される１つ以上の項目を指す。
【００２８】
本発明において、「再生可能資源」という用語は、記載の材料が、動物材料または特に植物材料に由来し得る成分を含むことを意味し、これは一般にバイオマスと呼ばれる。この成分は、バイオマス中に自然に存在する場合もあれば、天然のもしくは遺伝子操作された生物または他の化学的形質転換プロセスの形質転換生成物である場合もある。
【００２９】
本発明において、「バイオマス」という用語は、生存しているまたは最近生存している生物学的材料に由来する材料を指す。
【００３０】
本発明において、要素に先行する冠詞「ａ」および「ａｎ」は、複数のそのような要素の存在を排除するものではない。
【００３１】
上記式で特定された可変部の定義では、それぞれの置換基を総じて代表する集合的な用語が用いられる。Ｃｎ−Ｃｍという定義は、それぞれの置換基または置換基部分におけるそれぞれ可能な炭素原子の個数を示す。
【００３２】
「ハロゲン」という表現は、それぞれフッ素、臭素、塩素またはヨウ素、特に塩素、臭化物またはヨウ素を指す。
【００３３】
本発明の文脈において、「それぞれ非置換のまたは置換されたアルキル、シクロアルキルおよびアリール」という表現は、非置換のまたは置換されたアルキル、非置換のまたは置換されたシクロアルキルおよび非置換のまたは置換されたアリールを表す。
【００３４】
同様に、本発明の文脈において、「それぞれ非置換のまたは置換されたＣ１−Ｃ３０−アルキル、ポリアルキレンオキシ、Ｃ１−Ｃ３０−アルコキシ、Ｃ１−Ｃ３０−アルキルチオ、Ｃ３−Ｃ２０−シクロアルキル、Ｃ３−Ｃ２０−シクロアルキルオキシ、Ｃ６−Ｃ２４−アリールおよびＣ６−Ｃ２４−アリールオキシ」という表現は、非置換のまたは置換されたＣ１−Ｃ３０−アルキル、非置換のまたは置換されたポリアルキレンオキシ、非置換のまたは置換されたＣ１−Ｃ３０−アルコキシ、非置換のまたは置換されたＣ１−Ｃ３０−アルキルチオ、非置換のまたは置換されたＣ３−Ｃ２０−シクロアルキル、非置換のまたは置換されたＣ３−Ｃ２０−シクロアルキルオキシ、非置換のまたは置換されたＣ６−Ｃ２４−アリールおよび非置換のまたは置換されたＣ６−Ｃ２４−アリールオキシを表す。
【００３５】
本発明において、「脂肪族基」という用語は、非環式飽和または不飽和、直鎖または分岐鎖炭化水素基を指す。通常、脂肪族基は、１〜１００個の炭素原子を有する。脂肪族基の例は、アルキル、アルケニルおよびアルキニルである。
【００３６】
本発明において、「脂環式基」という用語は、通常、３〜２０個の環炭素原子を有する、環状の非芳香族飽和または不飽和炭化水素基を指す。例は、シクロアルカン、シクロアルケンおよびシクロアルキンである。また、脂環式基は、Ｎ、Ｏ、ＳおよびＳＯ２から選択されるヘテロ原子またはヘテロ原子基を含むこともできる。
【００３７】
本明細書およびアルコキシ、アルキルチオ、アルキルスルフィニル、アルキルスルホニル、アルキルアミノ、ジアルキルアミノ、アルキルカルボニル、アルコキシカルボニル等のアルキル部分において使用する場合、「アルキル」という用語は、通常、１〜１００個（「Ｃ１−Ｃ１００−アルキル」）、１〜３０個（「Ｃ１−Ｃ３０−アルキル」）、１〜１８個（「Ｃ１−Ｃ１８−アルキル」）、１〜１２個（「Ｃ１−Ｃ１２−アルキル」）、１〜８個（「Ｃ１−Ｃ８−アルキル」）または１〜６個（「Ｃ１−Ｃ６−アルキル」）の炭素原子を有する飽和で直鎖または分枝鎖の炭化水素基を指す。アルキルは、好ましくはＣ１−Ｃ３０−アルキル、より好ましくはＣ１−Ｃ２０−アルキルである。アルキル基の例は、特にメチル、エチル、ｎ−プロピル、イソプロピル、ｎ−ブチル、イソブチル、ｓｅｃ−ブチル、ｔｅｒｔ−ブチル、ｎ−ペンチル、１−メチルブチル、１−エチルプロピル、ｎｅｏ−ペンチル、ｎ−ヘキシル、１−メチルペンチル、２−メチルペンチル、１−エチルブチル、２−エチルブチル、ｎ−ヘプチル、１−メチルヘキシル、２−メチルヘキシル、１−エチルペンチル、１−プロピルブチル、２−エチルペンチル、ｎ−オクチル、１−メチルヘプチル、２−メチルヘプチル、１−エチルヘキシル、２−エチルヘキシル、１−プロピルペンチル、２−プロピルペンチル、ｎ−ノニル等である。
【００３８】
置換されているアルキル基は、アルキル鎖の長さに応じて、１つ以上（例えば、１、２、３、４、５つまたは５つ超）の置換基を有する。これらは、好ましくはそれぞれ独立して、非置換のまたは置換されたシクロアルキル、非置換のまたは置換されたシクロアルキルオキシ、非置換のまたは置換されたシクロアルキルチオ、非置換のまたは置換されたヘテロシクロアルキル、非置換のまたは置換されたアリール、非置換のまたは置換されたアリールオキシ、非置換のまたは置換されたアリールチオ、非置換のまたは置換されたヘタリール、フッ素、塩素、臭素、ヨウ素、ヒドロキシル、メルカプト、非置換のまたは置換されたアルコキシ、非置換のまたは置換されたポリアルキレンオキシ、非置換のまたは置換されたアルキルチオ、非置換のまたは置換されたシクロアルキルオキシ、非置換のまたは置換されたアリールオキシ、非置換のまたは置換されたアリールチオ、シアノ、ニトロ、非置換のまたは置換されたアルキルカルボニルオキシ、ホルミル、アシル、ＣＯＯＨ、カルボキシレート、−ＣＯＯＲＡｒ１、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２から選択される。ここで、Ｅ１およびＥ２は、水素、非置換のもしくは置換されたＣ１−Ｃ１８−アルキル、非置換のもしくは置換されたＣ２−Ｃ１８−アルケニル、非置換のもしくは置換されたＣ２−Ｃ１８−アルキニル、非置換のもしくは置換されたＣ３−Ｃ２０−シクロアルキルまたは非置換のもしくは置換されたＣ６−Ｃ１０−アリールであり、ＲＡｒ１およびＲＡｒ２は、それぞれ独立して、水素、非置換のもしくは置換されたＣ１−Ｃ１８−アルキル、非置換のもしくは置換されたＣ３−Ｃ２０−シクロアルキル、非置換のもしくは置換されたヘテロシクリル、非置換のもしくは置換されたＣ６−Ｃ２０−アリールまたは非置換のもしくは置換されたヘテロアリールである。特に置換されているアルキル基は、非置換のまたは置換されたシクロアルキル、非置換のまたは置換されたアリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２から選択される１つ以上、例えば、１、２または３つの置換基を有する。ここで、Ｅ１、Ｅ２は、それぞれ独立して、水素、非置換のもしくは置換されたＣ１−Ｃ１８−アルキル、非置換のもしくは置換されたＣ２−Ｃ１８−アルケニル、非置換のもしくは置換されたＣ２−Ｃ１８−アルキニル、非置換のもしくは置換されたＣ３−Ｃ２０−シクロアルキルまたは非置換のもしくは置換されたＣ６−Ｃ１０−アリールであり、ＲＡｒ１およびＲＡｒ２は、それぞれ独立して、水素、非置換のもしくは置換されたＣ１−Ｃ１８−アルキル、非置換のもしくは置換されたＣ３−Ｃ２０−シクロアルキル、非置換のもしくは置換されたヘテロシクリル、非置換のもしくは置換されたＣ６−Ｃ２０−アリールまたは非置換のもしくは置換されたヘテロアリールである。
【００３９】
置換されているアルキル基の特別な実施形態は、１つの水素原子がアリール基（「アラルキル」、以下、アリールアルキルまたはアリールアルキレンとも呼ばれる）、特にフェニル基により置き換えられている、アルキル基である。次に、アリール基は、置換されていなくてもまたは置換されていてもよく、適切な置換基は、アリールについて以下で言及される置換基である。アリール−Ｃ１−Ｃ４−アルキルの特定の例は、ベンジル、１−フェネチル、２−フェネチル、１−フェニルプロピル、２−フェニルプロピル、３−フェニル−１−プロピル、２−フェニル−２−プロピル、ナフチルメチル、ナフチルエチル等を含む。
【００４０】
置換されているアルキル基のさらに特別な実施形態は、これらの基における水素原子の一部または全部が上記で言及されたハロゲン原子により置き換えられていることができる、アルキル基、例えば、Ｃ１−Ｃ４−ハロアルキルである。
【００４１】
本明細書で使用する場合、「アルケニル」という用語は、通常、２〜１００個（「Ｃ２−Ｃ１００−アルケニル」）、２〜１８個（「Ｃ２−Ｃ１８−アルケニル」）、２〜１０個（「Ｃ２−Ｃ１０−アルケニル」）、２〜８個（「Ｃ２−Ｃ８−アルケニル」）または２〜６個（「Ｃ２−Ｃ６−アルケニル」）の炭素原子および任意の位置に１つ以上、例えば、２または３つの二重結合を有する直鎖または分岐鎖の炭化水素基を指す。置換されているアルケニル基は、アルケニル鎖の長さに応じて、１つ以上（例えば、１、２、３、４、５つまたは５つ超）の置換基を有する。これらは、好ましくはそれぞれ独立して、非置換のまたは置換されたシクロアルキル、非置換のまたは置換されたシクロアルキルオキシ、非置換のまたは置換されたシクロアルキルチオ、非置換のまたは置換されたヘテロシクロアルキル、非置換のまたは置換されたアリール、非置換のまたは置換されたアリールオキシ、非置換のまたは置換されたアリールチオ、非置換のまたは置換されたヘタリール、フッ素、塩素、臭素、ヨウ素、ヒドロキシル、メルカプト、非置換のまたは置換されたアルコキシ、非置換のまたは置換されたポリアルキレンオキシ、非置換のまたは置換されたアルキルチオ、非置換のまたは置換されたシクロアルキルオキシ、非置換のまたは置換されたアリールオキシ、非置換のまたは置換されたアリールチオ、シアノ、ニトロ、非置換のまたは置換されたアルキルカルボニルオキシ、ホルミル、アシル、ＣＯＯＨ、カルボキシレート、−ＣＯＯＲＡｒ１、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２から選択される。ここで、Ｅ１およびＥ２は、水素、非置換のもしくは置換されたＣ１−Ｃ１８−アルキル、非置換のもしくは置換されたＣ２−Ｃ１８−アルケニル、非置換のもしくは置換されたＣ２−Ｃ１８−アルキニル、非置換のもしくは置換されたＣ３−Ｃ２０−シクロアルキルまたは非置換のもしくは置換されたＣ６−Ｃ１０−アリールであり、ＲＡｒ１およびＲＡｒ２は、それぞれ独立して、水素、非置換のもしくは置換されたＣ１−Ｃ１８−アルキル、非置換のもしくは置換されたＣ３−Ｃ２０−シクロアルキル、非置換のもしくは置換されたヘテロシクリル、非置換のもしくは置換されたＣ６−Ｃ２０−アリールまたは非置換のもしくは置換されたヘテロアリールである。特に置換されているアルケニル基は、非置換のまたは置換されたシクロアルキル、非置換のまたは置換されたアリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２から選択される１つ以上、例えば、１、２または３つの置換基を有する。ここで、Ｅ１、Ｅ２は、それぞれ独立して、水素、非置換のもしくは置換されたＣ１−Ｃ１８−アルキル、非置換のもしくは置換されたＣ２−Ｃ１８−アルケニル、非置換のもしくは置換されたＣ２−Ｃ１８−アルキニル、非置換のもしくは置換されたＣ３−Ｃ２０−シクロアルキルまたは非置換のもしくは置換されたＣ６−Ｃ１０−アリールであり、ＲＡｒ１およびＲＡｒ２は、それぞれ独立して、水素、非置換のもしくは置換されたＣ１−Ｃ１８−アルキル、非置換のもしくは置換されたＣ３−Ｃ２０−シクロアルキル、非置換のもしくは置換されたヘテロシクリル、非置換のもしくは置換されたＣ６−Ｃ２０−アリールまたは非置換のもしくは置換されたヘテロアリールである。
【００４２】
本明細書で使用する場合、「アルキニル」（炭素鎖が１つ以上の三重結合を含む場合があるアルキルとも呼ばれる）という用語は、通常、２〜１００個（「Ｃ２−Ｃ１００−アルキニル」）、２〜１８個（「Ｃ２−Ｃ１８−アルキニル」）、２〜１０個（「Ｃ２−Ｃ１０−アルキニル」）、２〜８個（「Ｃ２−Ｃ８−アルキニル」）または２〜６個（「Ｃ２−Ｃ６−アルキニル」）の炭素原子および任意の位置に１つ以上、例えば、２または３つの三重結合を有する直鎖または分岐鎖の炭化水素基を指す。置換されているアルキニル基は、アルキニル鎖の長さに応じて、１つ以上（例えば、１、２、３、４、５つまたは５つ超）の置換基を有する。これらは、好ましくはそれぞれ独立して、非置換のまたは置換されたシクロアルキル、非置換のまたは置換されたシクロアルキルオキシ、非置換のまたは置換されたシクロアルキルチオ、非置換のまたは置換されたヘテロシクロアルキル、非置換のまたは置換されたアリール、非置換のまたは置換されたアリールオキシ、非置換のまたは置換されたアリールチオ、非置換のまたは置換されたヘタリール、フッ素、塩素、臭素、ヨウ素、ヒドロキシル、メルカプト、非置換のまたは置換されたアルコキシ、非置換のまたは置換されたポリアルキレンオキシ、非置換のまたは置換されたアルキルチオ、非置換のまたは置換されたシクロアルキルオキシ、非置換のまたは置換されたアリールオキシ、非置換のまたは置換されたアリールチオ、シアノ、ニトロ、アルキルカルボニルオキシ、ホルミル、アシル、ＣＯＯＨ、カルボキシレート、−ＣＯＯＲＡｒ１、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２から選択される。ここで、Ｅ１およびＥ２は、水素、非置換のもしくは置換されたＣ１−Ｃ１８−アルキル、非置換のもしくは置換されたＣ２−Ｃ１８−アルケニル、非置換のもしくは置換されたＣ２−Ｃ１８−アルキニル、非置換のもしくは置換されたＣ３−Ｃ２０−シクロアルキルまたは非置換のもしくは置換されたＣ６−Ｃ１０−アリールであり、ＲＡｒ１およびＲＡｒ２は、それぞれ独立して、水素、非置換のもしくは置換されたＣ１−Ｃ１８−アルキル、非置換のもしくは置換されたＣ３−Ｃ２０−シクロアルキル、非置換のもしくは置換されたヘテロシクリル、非置換のもしくは置換されたＣ６−Ｃ２０−アリールまたは非置換のもしくは置換されたヘテロアリールである。特に置換されているアルキニル基は、非置換のまたは置換されたシクロアルキル、非置換のまたは置換されたアリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２から選択される１つ以上、例えば、１、２または３つの置換基を有する。ここで、Ｅ１、Ｅ２は、それぞれ独立して、水素、非置換のもしくは置換されたＣ１−Ｃ１８−アルキル、非置換のもしくは置換されたＣ２−Ｃ１８−アルケニル、非置換のもしくは置換されたＣ２−Ｃ１８−アルキニル、非置換のもしくは置換されたＣ３−Ｃ２０−シクロアルキルまたは非置換のもしくは置換されたＣ６−Ｃ１０−アリールであり、ＲＡｒ１およびＲＡｒ２は、それぞれ独立して、水素、非置換のもしくは置換されたＣ１−Ｃ１８−アルキル、非置換のもしくは置換されたＣ３−Ｃ２０−シクロアルキル、非置換のもしくは置換されたヘテロシクリル、非置換のもしくは置換されたＣ６−Ｃ２０−アリールまたは非置換のもしくは置換されたヘテロアリールである。
【００４３】
本明細書で使用する場合、「アルコキシ」という用語は、酸素原子を介して結合しているアルキル基を指す。すなわち、「アルコキシ」基は、−Ｏ−アルキルと表すことができる。式中、アルキルは、上記のとおりである。Ｃ１−Ｃ２−アルコキシは、メトキシまたはエトキシである。Ｃ１−Ｃ４−アルコキシは、例えば、メトキシ、エトキシ、ｎ−プロポキシ、１−メチルエトキシ（イソプロポキシ）、ブトキシ、１−メチルプロポキシ（ｓｅｃ−ブトキシ）、２−メチルプロポキシ（イソブトキシ）または１，１−ジメチルエトキシ（ｔｅｒｔ−ブトキシ）である。
【００４４】
したがって、本明細書で使用する場合、「非置換のまたは置換されたアルコキシ」という用語は、アルキルが非置換であるかまたは上記のとおりに置換されている−Ｏ−アルキルを指す。
【００４５】
本明細書で使用する場合、「ポリオキシアルキレン」という用語は、酸素原子を介して分子の残り部分に結合しているアルキル基を指す。アルキルは、１つ以上の非隣接酸素原子により中断され、アルキルは、上記のとおりである。
【００４６】
したがって、本明細書で使用する場合、「非置換のまたは置換されたポリアルキレンオキシ」という用語は、アルキルが１つ以上の非隣接酸素原子により中断され、アルキルが非置換であるかまたは上記のとおりに置換されている−Ｏ−アルキルを指す。
【００４７】
本明細書で使用する場合、「アルキルチオ」という用語は、硫黄原子を介して結合しているアルキル基を指す。すなわち、「アルキルチオ」基は、アルキルが上記のとおりである−Ｓ−アルキルと表すことができる。Ｃ１−Ｃ２−アルキルチオは、メチルチオまたはエチルチオである。Ｃ１−Ｃ４−アルキルチオは、例えば、メチルチオ、エチルチオ、ｎ−プロピルチオ、１−メチルエチルチオ（イソプロピルチオ）、ブチルチオ、１−メチルプロピルチオ（ｓｅｃ−ブチルチオ）、２−メチルプロピルチオ（イソブチルチオ）または１，１−ジメチルエチルチオ（ｔｅｒｔ−ブチルチオ）である。
【００４８】
したがって、本明細書で使用する場合、「非置換のまたは置換されたアルキルチオ」という用語は、アルキルが非置換であるかまたは上記のとおりに置換されている−Ｓ−アルキルを指す。
【００４９】
本明細書で使用する場合、「シクロアルキル」という用語は、通常、３〜２４個（Ｃ３−Ｃ２４−シクロアルキル）、３〜２０個（「Ｃ３−Ｃ２０−シクロアルキル」）の原子、好ましくは３〜８個（「Ｃ３−Ｃ８−シクロアルキル」）または３〜６個の炭素原子（「Ｃ３−Ｃ６−シクロアルキル」）を有する単環式もしくは二環式または多環式飽和炭化水素基を指す。３〜６個の炭素原子を有する単環式基の例は、シクロプロピル、シクロブチル、シクロペンチルおよびシクロヘキシルを含む。３〜８個の炭素原子を有する単環式基の例は、シクロプロピル、シクロブチル、シクロペンチル、シクロヘキシル、シクロヘプチルおよびシクロオクチルを含む。７〜１２個の炭素原子を有する二環式基の例は、ビシクロ［２．２．１］ヘプチル、ビシクロ［３．１．１］ヘプチル、ビシクロ［２．２．２］オクチル、ビシクロ［３．３．０］オクチル、ビシクロ［３．２．１］オクチル、ビシクロ［３．３．１］ノニル、ビシクロ［４．２．１］ノニル、ビシクロ［４．３．１］デシル、ビシクロ［３．３．２］デシル、ビシクロ［４．４．０］デシル、ビシクロ［４．２．２］デシル、ビシクロ［４．３．２］ウンデシル、ビシクロ［３．３．３］ウンデシル、ビシクロ［４．３．３］ドデシルおよびペルヒドロナフチルを含む。多環式環の例は、ペルヒドロアントラシル、ペルヒドロフルオレニル、ペルヒドロクリセニル、ペルヒドロピセニルおよびアダマンチルである。
【００５０】
置換されているシクロアルキル基は、環のサイズに応じて、１つ以上（例えば、１、２、３、４、５つまたは５つ超）の置換基を有することができる。これらは、好ましくはそれぞれ独立して、非置換のまたは置換されたアルキル、非置換のまたは置換されたアルケニル、非置換のまたは置換されたアルキニル、非置換のまたは置換されたシクロアルキル、非置換のまたは置換されたシクロアルキルオキシ、非置換のまたは置換されたシクロアルキルチオ、非置換のまたは置換されたヘテロシクロアルキル、非置換のまたは置換されたアリール、非置換のまたは置換されたアリールオキシ、非置換のまたは置換されたアリールチオ、非置換のまたは置換されたヘタリール、フッ素、塩素、臭素、ヨウ素、ヒドロキシル、メルカプト、非置換のまたは置換されたアルコキシ、非置換のまたは置換されたポリアルキレンオキシ、非置換のまたは置換されたアルキルチオ、非置換のまたは置換されたシクロアルキルオキシ、非置換のまたは置換されたアリールオキシ、非置換のまたは置換されたアリールチオ、シアノ、ニトロ、非置換のまたは置換されたアルキルカルボニルオキシ、ホルミル、アシル、ＣＯＯＨ、カルボキシレート、−ＣＯＯＲＡｒ１、−ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２から選択される。ここで、Ｅ１およびＥ２は、水素、非置換のもしくは置換されたＣ１−Ｃ１８−アルキル、非置換のもしくは置換されたＣ２−Ｃ１８−アルケニル、非置換のもしくは置換されたＣ２−Ｃ１８−アルキニル、非置換のもしくは置換されたＣ３−Ｃ２０−シクロアルキルまたは非置換のもしくは置換されたＣ６−Ｃ１０−アリールであり、ＲＡｒ１およびＲＡｒ２は、それぞれ独立して、水素、非置換のもしくは置換されたＣ１−Ｃ１８−アルキル、非置換のもしくは置換されたＣ３−Ｃ２０−シクロアルキル、非置換のもしくは置換されたヘテロシクリル、非置換のもしくは置換されたＣ６−Ｃ２０−アリールまたは非置換のもしくは置換されたヘテロアリールである。特に置換されているシクロアルキル基は、非置換のまたは置換されたアルキル、非置換のまたは置換されたシクロアルキル、非置換のまたは置換されたアリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２から選択される１つ以上、例えば、１、２または３つの置換基を有する。ここで、Ｅ１、Ｅ２は、それぞれ独立して、水素、非置換のもしくは置換されたＣ１−Ｃ１８−アルキル、非置換のもしくは置換されたＣ２−Ｃ１８−アルケニル、非置換のもしくは置換されたＣ２−Ｃ１８−アルキニル、非置換のもしくは置換されたＣ３−Ｃ２０−シクロアルキルまたは非置換のもしくは置換されたＣ６−Ｃ１０−アリールであり、ＲＡｒ１およびＲＡｒ２は、それぞれ独立して、水素、非置換のもしくは置換されたＣ１−Ｃ１８−アルキル、非置換のもしくは置換されたＣ３−Ｃ２０−シクロアルキル、非置換のもしくは置換されたヘテロシクリル、非置換のもしくは置換されたＣ６−Ｃ２０−アリールまたは非置換のもしくは置換されたヘテロアリールである。
【００５１】
本明細書で使用する場合、「シクロアルキルオキシ」という用語は、酸素原子を介して結合しているシクロアルキル基を指す。すなわち、「シクロアルキルオキシ」基は、シクロアルキルが上記のとおりである−Ｏ−シクロアルキルと表すことができる。
【００５２】
したがって、本明細書で使用する場合、「非置換のまたは置換されたシクロアルキルオキシ」という用語は、シクロアルキルが非置換であるかまたは上記のとおりに置換されている−Ｏ−シクロアルキルを指す。
【００５３】
本明細書で使用する場合、「シクロアルキルチオ」という用語は、硫黄原子を介して結合しているシクロアルキル基を指す。すなわち、「シクロアルキルチオ」基は、シクロアルキルが上記のとおりである−Ｓ−シクロアルキルと表すことができる。
【００５４】
したがって、本明細書で使用する場合、「非置換のまたは置換されたシクロアルキルチオ」という用語は、シクロアルキルが非置換であるかまたは上記のとおりに置換されている−Ｓ−シクロアルキルを指す。
【００５５】
「ヘテロシクロアルキル」という用語は、環員として炭素原子の他に、環員としてＯ、Ｎ、ＮＲｃｃ、Ｓ、ＳＯおよびＳ（Ｏ）２から選択される１、２、３または４つのヘテロ原子またはヘテロ原子含有基を含む、総じて、５〜８個の環員、好ましくは５または６個の環員を有する非芳香族で、部分的に不飽和または完全に飽和の複素環を指す。ここで、Ｒｃｃは、水素、Ｃ１−Ｃ２０−アルキル、Ｃ３−Ｃ２４−シクロアルキル、ヘテロシクロアルキル、Ｃ６−Ｃ２４−アリールまたはヘテロアリールである。ヘテロシクロアルキル基の例は、特にピロリジニル、ピペリジニル、イミダゾリジニル、ピラゾリジニル、オキサゾリジニル、モルホリニル、チアゾリジニル、イソチアゾリジニル、イソキサゾリジニル、ピペラジニル、テトラヒドロチオフェニル、ジヒドロチエン−２−イル、テトラヒドロフラニル、ジヒドロフラン−２−イル、テトラヒドロピラニル、２−オキサゾリニル、３−オキサゾリニル、４−オキサゾリニルおよびジオキサニルである。
【００５６】
置換されているヘテロシクロアルキル基は、環のサイズに応じて、１つ以上（例えば、１、２、３、４、５つまたは５つ超）の置換基を有することができる。これらは、好ましくはそれぞれ独立して、非置換のまたは置換されたアルキル、非置換のまたは置換されたアルケニル、非置換のまたは置換されたアルキニル、非置換のまたは置換されたシクロアルキル、非置換のまたは置換されたシクロアルキルオキシ、非置換のまたは置換されたシクロアルキルチオ、非置換のまたは置換されたヘテロシクロアルキル、非置換のまたは置換されたアリール、非置換のまたは置換されたアリールオキシ、非置換のまたは置換されたアリールチオ、非置換のまたは置換されたヘタリール、フッ素、塩素、臭素、ヨウ素、ヒドロキシル、メルカプト、非置換のまたは置換されたアルコキシ、非置換のまたは置換されたポリアルキレンオキシ、非置換のまたは置換されたアルキルチオ、非置換のまたは置換されたシクロアルキルオキシ、非置換のまたは置換されたアリールオキシ、非置換のまたは置換されたアリールチオ、シアノ、ニトロ、非置換のまたは置換されたアルキルカルボニルオキシ、ホルミル、アシル、ＣＯＯＨ、カルボキシレート、−ＣＯＯＲＡｒ１、−ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２から選択される。ここで、Ｅ１およびＥ２は、水素、非置換のもしくは置換されたＣ１−Ｃ１８−アルキル、非置換のもしくは置換されたＣ２−Ｃ１８−アルケニル、非置換のもしくは置換されたＣ２−Ｃ１８−アルキニル、非置換のもしくは置換されたＣ３−Ｃ２０−シクロアルキルまたは非置換のもしくは置換されたＣ６−Ｃ１０−アリールであり、ＲＡｒ１およびＲＡｒ２は、それぞれ独立して、水素、非置換のもしくは置換されたＣ１−Ｃ１８−アルキル、非置換のもしくは置換されたＣ３−Ｃ２０−シクロアルキル、非置換のもしくは置換されたヘテロシクリル、非置換のもしくは置換されたＣ６−Ｃ２０−アリールまたは非置換のもしくは置換されたヘテロアリールである。特に置換されているヘテロシクロアルキル基は、非置換のまたは置換されたアルキル、非置換のまたは置換されたシクロアルキル、非置換のまたは置換されたアリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２から選択される１つ以上、例えば、１、２または３つの置換基を有する。ここで、Ｅ１、Ｅ２は、それぞれ独立して、水素、非置換のもしくは置換されたＣ１−Ｃ１８−アルキル、非置換のもしくは置換されたＣ２−Ｃ１８−アルケニル、非置換のもしくは置換されたＣ２−Ｃ１８−アルキニル、非置換のもしくは置換されたＣ３−Ｃ２０−シクロアルキルまたは非置換のもしくは置換されたＣ６−Ｃ１０−アリールであり、ＲＡｒ１およびＲＡｒ２は、それぞれ独立して、水素、非置換のもしくは置換されたＣ１−Ｃ１８−アルキル、非置換のもしくは置換されたＣ３−Ｃ２０−シクロアルキル、非置換のもしくは置換されたヘテロシクリル、非置換のもしくは置換されたＣ６−Ｃ２０−アリールまたは非置換のもしくは置換されたヘテロアリールである。
【００５７】
本発明において、「アリール」という用語は、分子の残り部分に結合している少なくとも１つの縮合フェニレン環を有するフェニルおよび二環式または多環式の炭素環を指す。少なくとも１つのフェニレン環を有する二環式または多環式の炭素環の例は、ナフチル、テトラヒドロナフチル、インダニル、インデニル、アントラセニル、フルオレニル等を含む。好ましくは「アリール」という用語は、フェニルおよびナフチルを指す。
【００５８】
置換されているアリールは、その環系の員数およびサイズに応じて、１つ以上（例えば、１、２、３、４、５つまたは５つ超）の置換基を有することができる。これらは、好ましくはそれぞれ独立して、非置換のまたは置換されたアルキル、非置換のまたは置換されたアルケニル、非置換のまたは置換されたアルキニル、非置換のまたは置換されたシクロアルキル、非置換のまたは置換されたシクロアルキルオキシ、非置換のまたは置換されたシクロアルキルチオ、非置換のまたは置換されたヘテロシクロアルキル、非置換のまたは置換されたアリール、非置換のまたは置換されたアリールオキシ、非置換のまたは置換されたアリールチオ、非置換のまたは置換されたヘタリール、フッ素、塩素、臭素、ヨウ素、ヒドロキシル、メルカプト、非置換のまたは置換されたアルコキシ、非置換のまたは置換されたポリアルキレンオキシ、非置換のまたは置換されたアルキルチオ、非置換のまたは置換されたシクロアルキルオキシ、非置換のまたは置換されたアリールオキシ、非置換のまたは置換されたアリールチオ、シアノ、ニトロ、非置換のまたは置換されたアルキルカルボニルオキシ、ホルミル、アシル、ＣＯＯＨ、カルボキシレート、−ＣＯＯＲＡｒ１、−ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２から選択される。ここで、Ｅ１およびＥ２は、水素、非置換のもしくは置換されたＣ１−Ｃ１８−アルキル、非置換のもしくは置換されたＣ２−Ｃ１８−アルケニル、非置換のもしくは置換されたＣ２−Ｃ１８−アルキニル、非置換のもしくは置換されたＣ３−Ｃ２０−シクロアルキルまたは非置換のもしくは置換されたＣ６−Ｃ１０−アリールであり、ＲＡｒ１およびＲＡｒ２は、それぞれ独立して、水素、非置換のもしくは置換されたＣ１−Ｃ１８−アルキル、非置換のもしくは置換されたＣ３−Ｃ２０−シクロアルキル、非置換のもしくは置換されたヘテロシクリル、非置換のもしくは置換されたＣ６−Ｃ２０−アリールまたは非置換のもしくは置換されたヘテロアリールである。特に置換されているアリール基は、非置換のまたは置換されたアルキル、非置換のまたは置換されたシクロアルキル、非置換のまたは置換されたアリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２から選択される１つ以上、例えば、１、２または３つの置換基を有する。ここで、Ｅ１、Ｅ２は、それぞれ独立して、水素、非置換のもしくは置換されたＣ１−Ｃ１８−アルキル、非置換のもしくは置換されたＣ２−Ｃ１８−アルケニル、非置換のもしくは置換されたＣ２−Ｃ１８−アルキニル、非置換のもしくは置換されたＣ３−Ｃ２０−シクロアルキルまたは非置換のもしくは置換されたＣ６−Ｃ１０−アリールであり、ＲＡｒ１およびＲＡｒ２は、それぞれ独立して、水素、非置換のもしくは置換されたＣ１−Ｃ１８−アルキル、非置換のもしくは置換されたＣ３−Ｃ２０−シクロアルキル、非置換のもしくは置換されたヘテロシクリル、非置換のもしくは置換されたＣ６−Ｃ２０−アリールまたは非置換のもしくは置換されたヘテロアリールである。
【００５９】
置換されているアリールは、好ましくは少なくとも１つのアルキル基により置換されているアリール（「アルカリール」、以下、アルキルアリールとも呼ばれる）である。アルカリール基は、芳香環系のサイズに応じて、１つ以上（例えば、１、２、３、４、５、６、７、８、９個または９個超）のアルキル置換基を有することができる。アルキル置換基は、置換されていなくてもよいしまたは置換されていてもよい。この点に関して、非置換および置換アルキルに関する上記記述が参照される。特別な実施形態は、アルキルが非置換であるアルカリール基に関する。アルカリールは、好ましくは１、２、３、４または５つ、好ましくは１、２または３つ、より好ましくは１または２つのアルキル置換基を有するフェニルである。１つ以上のアルキル置換基を有するアリールは、例えば、２−、３−および４−メチルフェニル、２，４−、２，５−、３，５−および２，６−ジメチルフェニル、２，４，６−トリメチルフェニル、２−、３−および４−エチルフェニル、２，４−、２，５−、３，５−および２，６−ジエチルフェニル、２，４，６−トリエチルフェニル、２−、３−および４−ｎ−プロピルフェニル、２−、３−および４−イソ−プロピルフェニル、２，４−、２，５−、３，５−および２，６−ジ−ｎ−プロピルフェニル、２，４，６−トリプロピルフェニル、２−、３−および４−イソプロピルフェニル、２，４−、２，５−、３，５−および２，６−ジイソプロピルフェニル、２，４，６−トリイソプロピルフェニル、２−、３−および４−ブチルフェニル、２，４−、２，５−、３，５−および２，６−ジブチルフェニル、２，４，６−トリブチルフェニル、２−、３−および４−イソブチルフェニル、２，４−、２，５−、３，５−および２，６−ジイソブチルフェニル、２，４，６−トリイソブチルフェニル、２−、３−および４−ｓｅｃ−ブチルフェニル、２，４−、２，５−、３，５−および２，６−ジ−ｓｅｃ−ブチルフェニル、２，４，６−トリ−ｓｅｃ−ブチルフェニル、２−、３−および４−ｔｅｒｔ−ブチルフェニル、２，４−、２，５−、３，５−および２，６−ジ−ｔｅｒｔ−ブチルフェニルならびに２，４，６−トリ−ｔｅｒｔ−ブチルフェニルである。
【００６０】
Ｃ６−Ｃ２４−アリールオキシ：酸素原子（−Ｏ−）を介して骨格に結合している上記Ｃ６−Ｃ２４−アリール。フェノキシおよびナフチルオキシが好ましい。
【００６１】
したがって、本明細書で使用する場合、「非置換のまたは置換されたアリールオキシ」という用語は、アリールが非置換であるかまたは上記のとおりに置換されている−Ｏ−アリールを指す。
【００６２】
Ｃ６−Ｃ２４−アリールチオ：硫黄原子（−Ｓ−）を介して骨格に結合している上記Ｃ６−Ｃ２４−アリール。フェニルチオおよびナフチルチオが好ましい。
【００６３】
したがって、本明細書で使用する場合、「非置換のまたは置換されたアリールチオ」という用語は、アリールが非置換であるかまたは上記のとおりに置換されている−Ｓ−アリールを指す。
【００６４】
本発明の文脈において、「ヘタリール」（ヘテロアリールとも呼ばれる）という表現は、ヘテロ芳香族の単環または多環基を含む。環炭素原子に加えて、これらは、環員として１、２、３、４つまたは４つ超のヘテロ原子を有する。ヘテロ原子は、好ましくは酸素、窒素、セレンおよび硫黄から選択される。ヘタリール基は、好ましくは５〜１８個、例えば５、６、８、９、１０、１１、１２、１３または１４個の環原子を有する。
【００６５】
単環式ヘタリール基は、好ましくは５または６員のヘタリール基、例えば、２−フリル（フラン−２−イル）、３−フリル（フラン−３−イル）、２−チエニル（チオフェン−２−イル）、３−チエニル（チオフェン−３−イル）、１Ｈ−ピロール−２−イル、１Ｈ−ピロール−３−イル、ピロール−１−イル、イミダゾール−２−イル、イミダゾール−１−イル、イミダゾール−４−イル、ピラゾール−１−イル、ピラゾール−３−イル、ピラゾール−４−イル、ピラゾール−５−イル、３−イソキサゾリル、４−イソキサゾリル、５−イソキサゾリル、３−イソチアゾリル、４−イソチアゾリル、５−イソチアゾリル、２−オキサゾリル、４−オキサゾリル、５−オキサゾリル、２−チアゾリル、４−チアゾリル、５−チアゾリル、１，２，４−オキサジアゾール−３−イル、１，２，４−オキサジアゾール−５−イル、１，３，４−オキサジアゾール−２−イル、１，２，４−チアジアゾール−３−イル、１，２，４−チアジアゾール−５−イル、１，３，４−チアジアゾール−２−イル、４Ｈ−［１，２，４］−トリアゾール−３−イル、１，３，４−トリアゾール−２−イル、１，２，３−トリアゾール−１−イル、１，２，４−トリアゾール−１−イル、ピリジン−２−イル、ピリジン−３−イル、ピリジン−４−イル、３−ピリダジニル、４−ピリダジニル、２−ピリミジニル、４−ピリミジニル、５−ピリミジニル、２−ピラジニル、１，３，５−トリアジン−２−イルおよび１，２，４−トリアジン−３−イルである。
【００６６】
多環式ヘタリール基は、２、３、４つまたは４つ超の縮合環を有する。縮合環は、芳香族で、飽和または部分的に不飽和でもよい。多環式ヘタリール基の例は、キノリニル、イソキノリニル、インドリル、イソインドリル、インドリジニル、ベンゾフラニル、イソベンゾフラニル、ベンゾチオフェニル、ベンゾキサゾリル、ベンゾイソキサゾリル、ベンゾチアゾリル、ベンゾキサジアゾリル、ベンゾチアジアゾリル、ベンゾキサジニル、ベンゾピラゾリル、ベンゾイミダゾリル、ベンゾトリアゾリル、ベンゾトリアジニル、ベンゾセレノフェニル、チエノチオフェニル、チエノピリミジル、チアゾロチアゾリル、ジベンゾピロリル（カルバゾリル）、ジベンゾフラニル、ジベンゾチオフェニル、ナフト［２，３−ｂ］チオフェニル、ナフタ［２，３−ｂ］フリル、ジヒドロインドリル、ジヒドロインドリジニル、ジヒドロイソインドリル、ジヒドロキノリニルおよびジヒドロイソキノリニルである。
【００６７】
置換されているヘタリール基は、その環系の員数およびサイズに応じて、１つ以上（例えば、１、２、３、４、５つまたは５つ超）の置換基を有することができる。これらは、好ましくはそれぞれ独立して、非置換のまたは置換されたアルキル、非置換のまたは置換されたアルケニル、非置換のまたは置換されたアルキニル、非置換のまたは置換されたシクロアルキル、非置換のまたは置換されたシクロアルキルオキシ、非置換のまたは置換されたシクロアルキルチオ、非置換のまたは置換されたヘテロシクロアルキル、非置換のまたは置換されたアリール、非置換のまたは置換されたアリールオキシ、非置換のまたは置換されたアリールチオ、非置換のまたは置換されたヘタリール、フッ素、塩素、臭素、ヨウ素、ヒドロキシル、メルカプト、非置換のまたは置換されたアルコキシ、非置換のまたは置換されたポリアルキレンオキシ、非置換のまたは置換されたアルキルチオ、非置換のまたは置換されたシクロアルキルオキシ、非置換のまたは置換されたアリールオキシ、非置換のまたは置換されたアリールチオ、シアノ、ニトロ、非置換のまたは置換されたアルキルカルボニルオキシ、ホルミル、アシル、ＣＯＯＨ、カルボキシレート、−ＣＯＯＲＡｒ１、−ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２から選択される。ここで、Ｅ１およびＥ２は、水素、非置換のもしくは置換されたＣ１−Ｃ１８−アルキル、非置換のもしくは置換されたＣ２−Ｃ１８−アルケニル、非置換のもしくは置換されたＣ２−Ｃ１８−アルキニル、非置換のもしくは置換されたＣ３−Ｃ２０−シクロアルキルまたは非置換のもしくは置換されたＣ６−Ｃ１０−アリールであり、ＲＡｒ１およびＲＡｒ２は、それぞれ独立して、水素、非置換のもしくは置換されたＣ１−Ｃ１８−アルキル、非置換のもしくは置換されたＣ３−Ｃ２０−シクロアルキル、非置換のもしくは置換されたヘテロシクリル、非置換のもしくは置換されたＣ６−Ｃ２０−アリールまたは非置換のもしくは置換されたヘテロアリールである。特に置換されているヘタリール基は、非置換のまたは置換されたアルキル、非置換のまたは置換されたシクロアルキル、非置換のまたは置換されたアリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２から選択される１つ以上、例えば、１、２または３つの置換基を有する。ここで、Ｅ１、Ｅ２、ＲＡｒ１およびＲＡｒ２は、上記のとおりである。
【００６８】
縮合環系は、脂環式、脂肪族複素環式、芳香族および複素芳香族環ならびに縮合により結合している水素化芳香族であるそれらの組合せを含むことができる。縮合環系は、２つ、３つまたはそれ以上（例えば、４、５、６、７または８つ）の環を含む。縮合した環系における環が結合している様式に応じて、オルト縮合（すなわち、各環が少なくとも１つの縁またはそれぞれ隣接する環を伴う２つの原子を共有する）と、炭素原子が３つ以上の環に属するペリ融合との区別がなされる。好ましい縮合環系は、オルト縮合環系である。
【００６９】
＃または＊が、本発明の化合物の部分構造を示す式に出現する場合、これは、分子の残り部分における結合を指す。
【００７０】
本発明による色変換体は、上記の少なくとも１つの２，５−フランジカルボキシレートポリエステル（Ａ）と少なくとも１つの発光材料とを必須成分として含むポリマーマトリックスを含む。
【００７１】
２，５−フランジカルボキシレートポリエステル（Ａ）
適切な脂肪族Ｃ２−Ｃ２０−ジオールは、好ましくは直鎖または分岐鎖Ｃ２−Ｃ１５−アルカンジオール、特に直鎖または分岐鎖Ｃ２−Ｃ１０−アルカンジオール、例えば、エタン−１，２−ジオール（エチレングリコール）、プロパン−１，２−ジオール、プロパン−１，３−ジオール（プロピレングリコール）、ブタン−１，３−ジオール、ブタン−１，４−ジオール（ブチレングリコール）、２−メチル−１，３−プロパンジオール、ペンタン−１，５−ジオール、２，２−ジメチル−１，３−プロパンジオール（ネオペンチルグリコール）、ヘキサン−１，６−ジオール、ヘプタン−１，７−ジオール、オクタン−１，８−ジオール、ノナン−１，９−ジオール、デカン−１，１０−ジオール等である。適切な脂環式Ｃ３−Ｃ２０−ジオールは、好ましくはＣ３−Ｃ１０−シクロアルキレンジオール、例えば、１，２−シクロペンタンジオール、１，３−シクロペンタンジオール、１，２−シクロヘキサンジオール、１，４−シクロヘキサンジオール、１，２−シクロヘプタンジオールまたは１，４−シクロヘプタンジオールである。他の適切な脂環式Ｃ３−Ｃ２０−ジオールは、１，３−シクロヘキサンジメタノールおよび１，４−シクロヘキサンジメタノールもしくは２，２，４，４−テトラメチル−１，３−シクロブタンジオールまたはそれらの組み合わせを含む。特に好ましいジオールは、Ｃ２−Ｃ６−アルカンジオール、特にエタン−１，２−ジオール、プロパン−１，２−ジオール、プロパン−１，３−ジオール、ブタン−１，３−ジオール、ブタン−１，４−ジオール、ペンタン−１，５−ジオール、２，２−ジメチル−１，３−プロパンジオールおよびそれらの混合物である。とりわけ、エタン−１，２−ジオールおよびプロパン−１，３−ジオールが好ましい。特にエタン−１，２−ジオールが好ましい。
【００７２】
とりわけ、生物学的に得られた（「生物由来」）Ｃ２−Ｃ１０−アルカンジオール、特にＣ２−Ｃ６−アルカンジオール、例えば、エタン−１，２−ジオールおよびプロパン−１，３−ジオールが好ましい。生物系エタン−１，２−ジオールは、リグノセルロース系バイオマス源から、その中に含まれる炭水化物の変換により得ることができる。バイオマスからＣ２−Ｃ１０−アルカンジオールを製造するための方法は、当技術分野において、例えば、米国特許出願公開第２０１１／０３０６８０４号明細書（ＵＳ  ２０１１／０３０６８０４）から公知である。
【００７３】
好ましくはジオール成分（ｉ）は、好ましいものとして言及された１つのジオール、特にエタン−１，２−ジオールのみから構成される。また、ジオール成分（ｉ）は、２つ、３つまたは４つ以上の異なるジオールを含むこともできる。２、３または４つ以上の異なるジオールが使用される場合、好ましいものとして上記で言及されたものが好ましい。この場合、成分（ｉ）の総重量に対して、エタン−１，２−ジオールが、好ましくは主成分である。
【００７４】
２，５−フランジカルボン酸のエステル形成性誘導体は、特に２，５−フランジカルボン酸のＣ１−Ｃ１０−ジアルキルエステルである。特に好ましいジエステルは、２，５−フランジカルボン酸のＣ１−Ｃ６−ジアルキルエステル、特にジメチルエステルおよびジエチルエステルである。また、成分（ｉｉ）は、２，５−フランジカルボン酸の２、３または４つ以上の異なるジエステルを含むこともできる。２，５−フランジカルボン酸は、生物系の糖から製造することができる。Ｃｏ、Ｍｎおよび／またはＣｅを含む触媒による、２，５−二置換フラン、例えば、５−ヒドロキシメチルフルフラールの空気酸化を使用する２，５−フランジカルボン酸の製造のための経路は、近年、国際公開第２０１０／１３２７４０号（ＷＯ  ２０１０／１３２７４０）、同第２０１１／０４３６６０号（ＷＯ  ２０１１／０４３６６０）、同第２０１１／０４３６６１号（ＷＯ  ２０１１／０４３６６１）、米国特許出願公開第２０１１／０２８２０２０号明細書（ＵＳ  ２０１１／０２８２０２０）、同第２０１４／０３３６３４９号明細書（ＵＳ  ２０１４／０３３６３４９）および国際公開第２０１５／１３７８０４号（ＷＯ  ２０１５／１３７８０４）に報告された。２，５−フランジカルボン酸のジアルキルエステルの製造経路も、例えば、国際公開第２０１１／０４３６６１号（ＷＯ  ２０１１／０４３６６１）に記載されている。
【００７５】
好ましくは成分（ｉｉ）は、２，５−フランジカルボン酸または２，５−フランジカルボン酸のジエステルからのみ構成される。
【００７６】
好ましくは２，５−フランジカルボキシレートポリエステル（Ａ）は、ポリ（エチレン−２，５−フランジカルボキシレート）、ポリ（プロピレン−２，５−フランジカルボキシレート）、ポリ（エチレン−ｃｏ−プロピレン−２，５−フランジカルボキシレート）、ポリ（ブチレン−２，５−フランジカルボキシレート）、ポリ（ペンチレン−２，５−フランジカルボキシレート）、ポリ（ネオペンチレン−２，５−フランジカルボキシレート）およびそれらの混合物から選択される。特に本発明による色変換体において使用するためのポリマーマトリックス材料は、ポリ（エチレン−２，５−フランジカルボキシレート）、ポリ（トリメチレン−２，５−フランジカルボキシレート）およびポリ（ブチレン−２，５−フランジカルボキシレート）からなっていてもよいし、実質的にこれらからなっていてもよいし、これらから選択されてもよい。特に本発明による色変換体において使用するためのポリマーマトリックス材料は、ポリ（エチレン−２，５−フランジカルボキシレート）からなる。さらに特定の実施形態では、色変換体のポリマーマトリックス材料は、上記の異なる２，５−フランジカルボキシレートポリエステル（Ａ）の混合物（ブレンド）、例えば、ポリ（エチレン−２，５−フランジカルボキシレート）とポリ（プロピレン−２，５−フランジカルボキシレート）とのブレンドを含む。ポリ（プロピレン−２，５−フランジカルボキシレート）は、ポリ（トリメチレン２，５−フランジカルボキシレート）とも呼ばれる。ポリ（ブチレン−２，５−フランジカルボキシレート）は、ポリ（テトラメチレン２，５−フランジカルボキシレート）とも呼ばれる。ポリ（ペンチレン−２，５−フランジカルボキシレート）は、ポリ（ペンタメチレン２，５−フランジカルボキシレート）とも呼ばれる。
【００７７】
同様に、上記の少なくとも１つのジオール成分（ｉ）、上記の成分（ｉｉ）ならびに１，２−シクロヘキサンジカルボン酸、１，４−シクロヘキサンジカルボン酸、３，４−フランジカルボン酸、テレフタル酸および２，６−ナフタル酸ならびに／またはそのエステル形成性誘導体から選択される少なくとも１つのさらなる二酸またはジエステル成分（ｉｉｉ）を反応させることにより得ることができる２，５−フランジカルボキシレートポリエステル（Ａ）が適切である。１，２−シクロヘキサンジカルボン酸、１，４−シクロヘキサンジカルボン酸、３，４−フランジカルボン酸、テレフタル酸および２，６−ナフタル酸のエステル形成性誘導体は、特にＣ１−Ｃ１０−ジアルキルエステルである。特に好ましいエステルは、Ｃ１−Ｃ６−ジアルキルエステル、特にジメチルエステルおよびジエチルエステルである。成分（ｉｉ）と成分（ｉｉｉ）との組み合わせを使用する場合、成分（ｉｉ）は、成分（ｉｉ）および（ｉｉｉ）の総重量に基づく主成分である。例は、ポリ（エチレン−２，５−フランジカルボキシレート−ｃｏ−１，２−シクロヘキサンジカルボキシレート）、ポリ（エチレン−２，５−フランジカルボキシレート−ｃｏ−１，４−シクロヘキサンジカルボキシレート）、ポリ（エチレン−２，５−フランジカルボキシレート−ｃｏ−テレフタレート）、ポリ（エチレン−２，５−フランジカルボキシレート−ｃｏ−２，６−ナフタレート）またはポリ（エチレン−２，５−フランジカルボキシレート−ｃｏ−３，４−フランジカルボキシレート）、好ましくはポリ（エチレン−２，５−フランジカルボキシレート−ｃｏ−テレフタレート）、ポリ（エチレン−２，５−フランジカルボキシレート−ｃｏ−２，６−ナフタレート）またはポリ（エチレン−２，５−フランジカルボキシレート−ｃｏ−３，４−フランジカルボキシレート）である。
【００７８】
２，５−フランジカルボキシレートポリエステル（Ａ）は、米国特許第２，５５１，７３１号明細書（ＵＳ  ２，５５１，７３１）に記載のとおりに製造することができる。
【００７９】
あるいは、ポリマーマトリックス材料は、上記の２，５−フランジカルボキシレートポリエステル（Ａ）と１つ以上の従来の光透過性ポリマーとを含むブレンドを含む。適切な光透過性ポリマーは、例えば、ポリスチレン、ポリカーボネート、ポリエステル、ポリメチルメタクリレート、ポリビニルピロリドン、ポリメタクリレート、ポリ酢酸ビニル、ポリ塩化ビニル、ポリブテン、シリコーン、ポリアクリレート、エポキシ樹脂、ポリビニルアルコール、ポリ（エチレンビニルアルコール）共重合体、ポリアクリロニトリル、ポリ塩化ビニリデン、ポリスチレン・アクリロニトリル、ポリビニルブチレート、ポリ塩化ビニル、ポリアミド、ポリオキシメチレン、ポリイミド、ポリエーテルイミドおよび混合物である。
【００８０】
この場合、少なくとも２つのポリエステルのブレンドが好ましく、つまり、上記のように得ることができるポリ（エチレン−２，５−フランジカルボキシレート）である第１のポリエステルと、以下のものから得ることができるポリエステルから選択される少なくとも１つの第２のポリエステルとのブレンドが好ましく、すなわち、１，２−シクロヘキサンジカルボン酸、１，４−シクロヘキサンジカルボン酸、テレフタル酸、２，６−ナフタレンジカルボン酸および／またはそのエステル形成性誘導体と、脂肪族Ｃ２−Ｃ２０−ジオールおよび脂環式Ｃ３−Ｃ２０−ジオールから選択される少なくとも１つのジオールとから得ることができるポリエステルから選択される少なくとも１つの第２のポリエステルとのブレンドが好ましい。１，２−シクロヘキサンジカルボン酸、１，４−シクロヘキサンジカルボン酸、テレフタル酸および２，６−ナフタレンジカルボン酸の適切なエステル形成性誘導体はそれぞれ、特に前記酸のＣ１−Ｃ１０−ジアルキルエステルである。特に好ましいエステルは、Ｃ１−Ｃ６−ジアルキルエステル、特にジメチルエステルおよびジエチルエステルである。適切な脂肪族Ｃ２−Ｃ２０−ジオールおよび脂環式Ｃ３−Ｃ２０−ジオールに関しては、成分（ｉ）に関する上記記載が同様に該当する。好ましくは、少なくとも１つの第２のポリエステルは、ポリ（エチレンテレフタレート）、ポリ（エチレン２，６−ナフタレート）、ポリ（ブチレンテレフタレート）またはポリ（ブチレン２，６−ナフタレート）である。
【００８１】
少なくとも１つの第２のポリエステルは、標準的な方法に従って、例えば米国特許第２，５５１，７３１号明細書（ＵＳ  ２，５５１，７３１）および国際公開第２０１０／０１７７１３３号（ＷＯ  ２０１０／０１７７１３３）に記載の方法と同様に製造することができる。
【００８２】
２，５−フランジカルボキシレートポリエステル（Ａ）、および存在する場合にはさらなる光透過性ポリマーは、少なくとも１つの発光材料のマトリックス材料として機能する。
【００８３】
有用な２，５−フランジカルボキシレートポリエステル（Ａ）は、２５℃での酸素透過性が低い。有用な２，５−フランジカルボキシレートポリエステル（Ａ）は、２５℃での水蒸気透過性が低い。
【００８４】
本発明により使用されるポリマーマトリックス材料は、照光装置の光源によって生じる光について、５０〜１００％の範囲、特に７０〜１００％の範囲の光透過率を有し得る（以下も参照のこと）。
【００８５】
発光材料
本色変換体は、少なくとも１つの発光材料を含み、そのうちの少なくとも１つが有機蛍光着色剤であることが好ましい。適切な有機蛍光着色剤は、原則として、熱および放射応力に対して十分な安定性を有し、かつポリマーへの組み込みが可能であるすべての有機染料または顔料である。例えば、１つ以上の有機蛍光着色剤を、ポリマーマトリックス全体に分子的に分配させてもよいし、ポリマーマトリックスに溶解させてもよい。
【００８６】
特定の一実施形態において、少なくとも１つの蛍光着色剤（Ｂ）は、着色剤（Ｂ１）、（Ｂ２）、（Ｂ３）、（Ｂ４）、（Ｂ５）、（Ｂ６）、（Ｂ７）、（Ｂ８）、（Ｂ９）、（Ｂ１０）、（Ｂ１１）、（Ｂ１２）、（Ｂ１３）、（Ｂ１４）および（Ｂ１５）の群から選択される有機蛍光着色剤であり、これらは以下のように定められる：
（Ｂ１）式（Ｉ）
【化１】
2020515890.tif 000002
［式中、
基Ｒ１、Ｒ２、Ｒ３、Ｒ４、Ｒ５、Ｒ６、Ｒ７、Ｒ８、Ｒ９およびＲ１０の少なくとも１つは、それぞれ独立して、１、２または３つのシアノ基および０、１、２、３または４つの置換基ＲＡｒを有するアリールであり、残りの基Ｒ１、Ｒ２、Ｒ３、Ｒ４、Ｒ５、Ｒ６、Ｒ７、Ｒ８、Ｒ９およびＲ１０は、それぞれ独立して、水素および非置換であるかまたは１、２、３、４もしくは５つの置換基ＲＡｒを有するアリールから選択され、
ＲＡｒは、各出現においてそれぞれ独立して、ハロゲン、Ｃ１−Ｃ３０−アルキル、Ｃ２−Ｃ３０−アルケニル、Ｃ２−Ｃ３０−アルキニル（３つの後者の基は、非置換であるかまたは１つ以上のＲａ基を有する）、Ｃ３−Ｃ８−シクロアルキル、３〜８員のヘテロシクリル（２つの後者の基は、非置換であるかまたは１つ以上のＲｂ基を有する）、アリールおよびヘテロアリール（２つの後者の基は、非置換であるかまたは１つ以上のＲｃ基を有する）から選択され、
Ｒａは、各出現においてそれぞれ独立して、シアノ、ハロゲン、Ｃ３−Ｃ８−シクロアルキル、３〜８員のヘテロシクリル、アリールおよびヘテロアリールから選択され、Ｃ３−Ｃ８−シクロアルキル、３〜８員のヘテロシクリルは、非置換であるかまたは１つ以上のＲｂ１基を有し、アリールおよびヘテロアリールは、非置換であるかまたは１つ以上のＲｃ１基を有し、
Ｒｂは、各出現においてそれぞれ独立して、シアノ、ハロゲン、Ｃ１−Ｃ１８−アルキル、Ｃ３−Ｃ８−シクロアルキル、３〜８員のヘテロシクリル、アリールおよびヘテロアリールから選択され、Ｃ３−Ｃ８−シクロアルキル、３〜８員のヘテロシクリルは、非置換であるかまたは１つ以上のＲｂ１基を有し、アリールおよびヘテロアリールは、非置換であるかまたは１つ以上のＲｃ１基を有し、
Ｒｃは、各出現においてそれぞれ独立して、シアノ、ハロゲン、Ｃ１−Ｃ１８−アルキル、Ｃ３−Ｃ８−シクロアルキル、３〜８員のヘテロシクリル、アリールおよびヘテロアリールから選択され、Ｃ３−Ｃ８−シクロアルキル、３〜８員のヘテロシクリルは、非置換であるかまたは１つ以上のＲｂ１基を有し、アリールおよびヘテロアリールは、非置換であるかまたは１つ以上のＲｃ１基を有し、
Ｒｂ１は、各出現においてそれぞれ独立して、ハロゲン、Ｃ１−Ｃ１８−アルキルおよびＣ１−Ｃ１８−ハロアルキルから選択され、
Ｒｃ１は、各出現においてそれぞれ独立して、ハロゲン、Ｃ１−Ｃ１８−アルキルおよびＣ１−Ｃ１８−ハロアルキルから選択される］
で示されるナフトイルベンゾイミダゾール化合物またはそれらの混合物。
【００８７】
（Ｂ２）式（ＩＩ）
【化２】
2020515890.tif 000003
［式中、
Ｒ２１、Ｒ２２、Ｒ２３、Ｒ２４、Ｒ２５、Ｒ２６、Ｒ２７、Ｒ２８、Ｒ２９およびＲ２１０は、それぞれ独立して、水素、シアノまたはアリールであり、該アリールは、非置換であるかまたは１つ以上の同一もしくは異なる置換基Ｒ２Ａｒを有し、
各Ｒ２Ａｒは、シアノ、ヒドロキシル、メルカプト、ハロゲン、Ｃ１−Ｃ２０−アルコキシ、Ｃ１−Ｃ２０−アルキルチオ、ニトロ、−ＮＲ２Ａｒ２Ｒ２Ａｒ３、−ＮＲ２Ａｒ２ＣＯＲ２Ａｒ３、−ＣＯＮＲ２Ａｒ２Ｒ２Ａｒ３、−ＳＯ２ＮＲ２Ａｒ２Ｒ２Ａｒ３、−ＣＯＯＲ２Ａｒ２、−ＳＯ３Ｒ２Ａｒ２、Ｃ１−Ｃ３０−アルキル、Ｃ２−Ｃ３０−アルケニル、Ｃ２−Ｃ３０−アルキニル（後者の３つの基は、非置換であるかまたは１つ以上のＲ２ａ基を有する）、Ｃ３−Ｃ８−シクロアルキル、３〜８員のヘテロシクリル（後者の２つの基は、非置換であるかまたは１つ以上のＲ２ｂ基を有する）、アリール、Ｕ−アリール、ヘテロアリールおよびＵ−ヘテロアリール（後者の４つの基は、非置換であるかまたは１つ以上のＲ２ｂ基を有する）から独立して選択され、
各Ｒ２ａは、シアノ、ヒドロキシル、オキソ、メルカプト、ハロゲン、Ｃ１−Ｃ２０−アルコキシ、Ｃ１−Ｃ２０−アルキルチオ、ニトロ、−ＮＲ２Ａｒ２ＲＡｒ３、−ＮＲ２Ａｒ２ＣＯＲ２Ａｒ３、−ＣＯＮＲ２Ａｒ２ＲＡｒ３、−ＳＯ２ＮＲ２Ａｒ２ＲＡｒ３、−ＣＯＯＲ２Ａｒ２、−ＳＯ３Ｒ２Ａｒ２、Ｃ３−Ｃ８−シクロアルキル、３〜８員のヘテロシクリル、アリールおよびヘテロアリールから独立して選択され、シクロアルキル、ヘテロシクリル、アリールおよびヘテロアリール基は、非置換であるかまたは１つ以上のＲ２ｂ基を有し、
各Ｒ２ｂは、シアノ、ヒドロキシル、オキソ、メルカプト、ハロゲン、Ｃ１−Ｃ２０−アルコキシ、Ｃ１−Ｃ２０−アルキルチオ、ニトロ、−ＮＲ２Ａｒ２Ｒ２Ａｒ３、−ＮＲ２Ａｒ２ＣＯＲ２Ａｒ３、−ＣＯＮＲ２Ａｒ２Ｒ２Ａｒ３、−ＳＯ２ＮＲ２Ａｒ２Ｒ２Ａｒ３、−ＣＯＯＲ２Ａｒ２、−ＳＯ３Ｒ２Ａｒ２、Ｃ１−Ｃ１８−アルキル、Ｃ２−Ｃ１８−アルケニル、Ｃ２−Ｃ１８−アルキニル、Ｃ３−Ｃ８−シクロアルキル、３〜８員のヘテロシクリル、アリールおよびヘテロアリールから独立して選択され、後者の４つの基は、非置換であるかまたは１つ以上のＲ２ｂ１基を有し、
各Ｒ２ｂ１は、シアノ、ヒドロキシル、メルカプト、オキソ、ニトロ、ハロゲン、−ＮＲ２Ａｒ２Ｒ２Ａｒ３、−ＮＲ２Ａｒ２ＣＯＲ２Ａｒ３、−ＣＯＮＲ２Ａｒ２Ｒ２Ａｒ３、−ＳＯ２ＮＲ２Ａｒ２Ｒ２Ａｒ３、−ＣＯＯＲ２Ａｒ２、−ＳＯ３Ｒ２Ａｒ２、−ＳＯ３Ｒ２Ａｒ２、Ｃ１−Ｃ１８−アルキル、Ｃ２−Ｃ１８−アルケニル、Ｃ２−Ｃ１８−アルキニル、Ｃ１−Ｃ１２−アルコキシおよびＣ１−Ｃ１２−アルキルチオから独立して選択され、
Ｕは、−Ｏ−、−Ｓ−、−ＮＲ２Ａｒ１−、−ＣＯ−、−ＳＯ−または−ＳＯ２−部分であり、
Ｒ２Ａｒ１、Ｒ２Ａｒ２、Ｒ２Ａｒ３は、それぞれ独立して、水素、Ｃ１−Ｃ１８−アルキル、３〜８員のシクロアルキル、３〜８員のヘテロシクリル、アリールまたはヘテロアリールであり、アルキルは、非置換であるかまたは１つ以上のＲ２ａ基を有し、３〜８員のシクロアルキル、３〜８員のヘテロシクリル、アリールおよびヘテロアリールは、非置換であるかまたは１つ以上のＲ２ｂ基を有するが、
ただし、式（ＩＩ）で示される化合物が、少なくとも１つのシアノ基を含むことを条件とする］
で示されるシアン化ナフトイルベンゾイミダゾール化合物またはそれらの混合物。
【００８８】
（Ｂ３）式（ＩＩＩ）
【化３】
2020515890.tif 000004
［式中、
Ｚ３置換基の一方は、シアノであり、他方のＺ３置換基は、ＣＯ２Ｒ３９、ＣＯＮＲ３１０Ｒ３１１、Ｃ１−Ｃ１８−アルキル、Ｃ２−Ｃ１８−アルケニル、Ｃ２−Ｃ１８−アルキニル、Ｃ３−Ｃ１２−シクロアルキルまたはＣ６−Ｃ１４−アリールであり、Ｃ１−Ｃ１８−アルキル、Ｃ２−Ｃ１８−アルケニル、Ｃ２−Ｃ１８−アルキニルは、非置換であるかまたは１つ以上の同一もしくは異なるＺ３ａ置換基を有し、Ｃ３−Ｃ１２−シクロアルキルは、非置換であるかまたは１つ以上の同一もしくは異なるＺ３ｂ置換基を有し、Ｃ６−Ｃ１４−アリールは、非置換であるかまたは１つ以上の同一もしくは異なるＺ３Ａｒ置換基を有し、
Ｚ３＊置換基の一方は、シアノであり、他方のＺ３＊置換基は、ＣＯ２Ｒ３９、ＣＯＮＲ３１０Ｒ３１１、Ｃ１−Ｃ１８−アルキル、Ｃ２−Ｃ１８−アルケニル、Ｃ２−Ｃ１８−アルキニル、Ｃ３−Ｃ１２−シクロアルキルまたはＣ６−Ｃ１４−アリールであり、Ｃ１−Ｃ１８−アルキル、Ｃ２−Ｃ１８−アルケニル、Ｃ２−Ｃ１８−アルキニルは、非置換であるかまたは１つ以上の同一もしくは異なるＺ３ａ置換基を有し、Ｃ３−Ｃ１２−シクロアルキルは、非置換であるかまたは１つ以上の同一もしくは異なるＺ３ｂ置換基を有し、Ｃ６−Ｃ１４−アリールは、非置換であるかまたは１つ以上の同一もしくは異なるＺ３Ａｒ置換基を有し、
Ｒ３１、Ｒ３２、Ｒ３３、Ｒ３４、Ｒ３５、Ｒ３６、Ｒ３７およびＲ３８は、それぞれ独立して、水素、シアノ、臭素および塩素から選択されるが、
ただし、Ｒ３１、Ｒ３２、Ｒ３３、Ｒ３４、Ｒ３５、Ｒ３６、Ｒ３７またはＲ３８置換基のうちの１、２、３、４、５、６、７または８個が、シアノであることを条件とし、
Ｒ３９は、水素、Ｃ１−Ｃ１０−アルキル、Ｃ２−Ｃ１０−アルケニル、Ｃ２−Ｃ１０−アルキニル、Ｃ３−Ｃ１２−シクロアルキルまたはＣ６−Ｃ１４−アリールであり、Ｃ１−Ｃ１０−アルキル、Ｃ２−Ｃ１０−アルケニル、Ｃ２−Ｃ１０−アルキニルは、非置換であるかまたは１つ以上の同一もしくは異なるＲ３ａ置換基を有し、Ｃ３−Ｃ１２−シクロアルキルは、非置換であるかまたは１つ以上の同一もしくは異なるＲ３ｂ置換基を有し、Ｃ６−Ｃ１４−アリールは、非置換であるかまたは１つ以上の同一もしくは異なるＲ３Ａｒ置換基を有し、
Ｒ３１０およびＲ３１１は、それぞれ独立して、水素、Ｃ１−Ｃ１０−アルキル、Ｃ２−Ｃ１０−アルケニル、Ｃ２−Ｃ１０−アルキニル、Ｃ３−Ｃ１２−シクロアルキルまたはＣ６−Ｃ１４−アリールであり、Ｃ１−Ｃ１０−アルキル、Ｃ２−Ｃ１０−アルケニル、Ｃ２−Ｃ１０−アルキニルは、非置換であるかまたは１つ以上の同一もしくは異なるＲ３ａ置換基を有し、Ｃ３−Ｃ１２−シクロアルキルは、非置換であるかまたは１つ以上の同一もしくは異なるＲ３ｂ置換基を有し、Ｃ６−Ｃ１４−アリールは、非置換であるかまたは１つ以上の同一もしくは異なるＲ３Ａｒ置換基を有し、
各Ｚ３ａは、独立して、ハロゲン、ヒドロキシル、ＮＲ３１０ａＲ３１１ａ、Ｃ１−Ｃ１０−アルコキシ、Ｃ１−Ｃ１０−ハロアルコキシ、Ｃ１−Ｃ１０−アルキルチオ、Ｃ３−Ｃ１２−シクロアルキル、Ｃ６−Ｃ１４−アリール、Ｃ（＝Ｏ）Ｒ３９ａ、Ｃ（＝Ｏ）ＯＲ３９ａまたはＣ（Ｏ）ＮＲ３１０ａＲ３１１ａであり、Ｃ３−Ｃ１２−シクロアルキルは、非置換であるかまたは１つ以上の同一もしくは異なるＲ３ｂ置換基を有し、Ｃ６−Ｃ１４−アリールは、非置換であるかまたは１つ以上の同一もしくは異なるＲ３Ａｒ置換基を有し、
各Ｚ３ｂおよび各Ｚ３Ａｒは、独立して、ハロゲン、ヒドロキシル、ＮＲ３１０ａＲ３１１ａ、Ｃ１−Ｃ１０−アルキル、Ｃ１−Ｃ１０−アルコキシ、Ｃ１−Ｃ１０−ハロアルコキシ、Ｃ１−Ｃ１０−アルキルチオ、Ｃ（＝Ｏ）Ｒ３９ａ、Ｃ（＝Ｏ）ＯＲ３９ａまたはＣ（Ｏ）ＮＲ３１０ａＲ３１１ａであり、
各Ｒ３ａは、独立して、ハロゲン、ヒドロキシル、Ｃ１−Ｃ１０−アルコキシ、Ｃ３−Ｃ１２−シクロアルキルまたはＣ６−Ｃ１４−アリールであり、
各Ｒ３ｂは、独立して、ハロゲン、ヒドロキシル、Ｃ１−Ｃ１０−アルキル、Ｃ１−Ｃ１０−アルコキシ、Ｃ１−Ｃ１０−ハロアルコキシ、Ｃ１−Ｃ１０−アルキルチオ、Ｃ２−Ｃ１０−アルケニル、Ｃ２−Ｃ１０−アルキニル、Ｃ３−Ｃ１２−シクロアルキルまたはＣ６−Ｃ１４−アリールであり、
各Ｒ３Ａｒは、独立して、ハロゲン、ヒドロキシル、Ｃ１−Ｃ１０−アルキル、Ｃ１−Ｃ１０−アルコキシ、Ｃ１−Ｃ１０−ハロアルコキシ、Ｃ１−Ｃ１０−アルキルチオ、Ｃ２−Ｃ１０−アルケニル、Ｃ２−Ｃ１０−アルキニル、Ｃ３−Ｃ１２−シクロアルキルまたはＣ６−Ｃ１４−アリールであり、
Ｒ３９ａは、水素、Ｃ１−Ｃ１０−アルキル、Ｃ２−Ｃ１０−アルケニル、Ｃ２−Ｃ１０−アルキニル、Ｃ３−Ｃ１２−シクロアルキルまたはＣ６−Ｃ１４−アリールであり、
Ｒ３１０ａ、Ｒ３１１ａは、それぞれ独立して、水素、Ｃ１−Ｃ１０−アルキル、Ｃ２−Ｃ１０−アルケニル、Ｃ２−Ｃ１０−アルキニル、Ｃ３−Ｃ１２−シクロアルキルまたはＣ６−Ｃ１４−アリールである］
で示されるシアン化ペリレン化合物またはそれらの混合物。
【００８９】
（Ｂ４）式（ＩＶ）
【化４】
2020515890.tif 000005
［式中、
ｍ４は、０、１、２、３または４であり、
各Ｒ４１は、それぞれ独立して、臭素、塩素、シアノ、−ＮＲ４ａＲ４ｂ、Ｃ１−Ｃ２４−アルキル、Ｃ１−Ｃ２４−ハロアルキル、Ｃ１−Ｃ２４−アルコキシ、Ｃ１−Ｃ２４−ハロアルコキシ、Ｃ３−Ｃ２４−シクロアルキル、ヘテロシクロアルキル、ヘテロアリール、Ｃ６−Ｃ２４−アリール、Ｃ６−Ｃ２４−アリールオキシ、Ｃ６−Ｃ２４−アリール−Ｃ１−Ｃ１０−アルキレンから選択され、最後に言及された６つの基におけるシクロアルキル、ヘテロシクロアルキル、ヘテロアリール、アリール、アリールオキシの環は、非置換であるかまたは１、２、３、４もしくは５つの同一もしくは異なる基Ｒ４１ａにより置換されており、Ｃ１−Ｃ２４−アルキル、Ｃ１−Ｃ２４−ハロアルキル、Ｃ１−Ｃ２４−アルコキシおよびＣ６−Ｃ２４−アリール−Ｃ１−Ｃ１０−アルキレンのアルキレン部分は、Ｏ、ＳおよびＮＲ４ｃから選択される１つ以上の基により中断されていてもよく、
基Ｒ４２、Ｒ４３、Ｒ４４およびＲ４５の少なくとも１つは、ＣＮであり、残りの基は、それぞれ独立して、水素、塩素および臭素から選択され、
Ｘ４０は、Ｏ、Ｓ、ＳＯまたはＳＯ２であり、
Ａは、一般式（Ａ．１）、（Ａ．２）、（Ａ．３）および（Ａ．４）
【化５】
2020515890.tif 000006
［式中、
＊は、それぞれ分子の残り部分への結合部位を指し、
ｎ４は、０、１、２、３または４であり、
ｏ４は、０、１、２または３であり、
ｐ４は、０、１、２または３であり、
Ｒ４６は、水素、Ｃ１−Ｃ２４−アルキル、Ｃ１−Ｃ２４−ハロアルキル、Ｃ３−Ｃ２４−シクロアルキル、Ｃ６−Ｃ２４−アリールまたはＣ６−Ｃ２４−アリール−Ｃ１−Ｃ１０−アルキレンであり、最後に言及された３つの基におけるシクロアルキル、アリールおよびアリール−アルキレンの環は、非置換であるかまたは１、２、３、４もしくは５つの同一もしくは異なる基Ｒ４６ａにより置換されており、Ｃ１−Ｃ２４−アルキル、Ｃ１−Ｃ２４−ハロアルキルおよびＣ６−Ｃ２４−アリール−Ｃ１−Ｃ１０−アルキレンのアルキレン部分は、Ｏ、ＳおよびＮＲ４ｃから選択される１つ以上のヘテロ原子またはヘテロ原子基により中断されていてもよく、
各Ｒ４７は、それぞれ独立して、臭素、塩素、シアノ、−ＮＲ４ａＲ４ｂ、Ｃ１−Ｃ２４−アルキル、Ｃ１−Ｃ２４−ハロアルキル、Ｃ１−Ｃ２４−アルコキシ、Ｃ１−Ｃ２４−ハロアルコキシ、Ｃ３−Ｃ２４−シクロアルキル、ヘテロシクロアルキル、ヘテロアリール、Ｃ６−Ｃ２４−アリール、Ｃ６−Ｃ２４−アリールオキシ、Ｃ６−Ｃ２４−アリール−Ｃ１−Ｃ１０−アルキレンから選択され、最後に言及された６つの基におけるシクロアルキル、ヘテロシクロアルキル、ヘテロアリール、アリールおよびアリール−アルキレンの環は、非置換であるかまたは１、２、３、４もしくは５つの同一もしくは異なる基Ｒ４７ａにより置換されており、Ｃ１−Ｃ２４−アルキル、Ｃ１−Ｃ２４−ハロアルキル、Ｃ１−Ｃ２４−アルコキシ、Ｃ１−Ｃ２４−ハロアルコキシおよびＣ６−Ｃ２４−アリール−Ｃ１−Ｃ１０−アルキレンのアルキレン部分は、Ｏ、ＳおよびＮＲ４ｃから選択される１つ以上の基により中断されていてもよく、
各Ｒ４８は、それぞれ独立して、臭素、塩素、シアノ、ＮＲ４ａＲ４ｂ、Ｃ１−Ｃ２４−アルキル、Ｃ１−Ｃ２４−ハロアルキル、Ｃ１−Ｃ２４−アルコキシ、Ｃ１−Ｃ２４−ハロアルコキシ、Ｃ３−Ｃ２４−シクロアルキル、ヘテロシクロアルキル、ヘテロアリール、Ｃ６−Ｃ２４−アリール、Ｃ６−Ｃ２４−アリールオキシ、Ｃ６−Ｃ２４−アリール−Ｃ１−Ｃ１０−アルキレンから選択され、最後に言及された６つの基におけるシクロアルキル、ヘテロシクロアルキル、ヘテロアリール、アリールおよびアリール−アルキレンの環は、非置換であるかまたは１、２、３、４もしくは５つの同一もしくは異なる基Ｒ４８ａにより置換されており、Ｃ１−Ｃ２４−アルキル、Ｃ１−Ｃ２４−ハロアルキル、Ｃ１−Ｃ２４−アルコキシ、Ｃ１−Ｃ２４−ハロアルコキシおよびＣ６−Ｃ２４−アリール−Ｃ１−Ｃ１０−アルキレンのアルキレン部分は、Ｏ、ＳおよびＮＲ４ｃから選択される１つ以上の基により中断されていてもよく、
各Ｒ４９は、それぞれ独立して、臭素、塩素、シアノ、ＮＲ４ａＲ４ｂ、Ｃ１−Ｃ２４−アルキル、Ｃ１−Ｃ２４−ハロアルキル、Ｃ１−Ｃ２４−アルコキシ、Ｃ１−Ｃ２４−ハロアルコキシ、Ｃ３−Ｃ２４−シクロアルキル、ヘテロシクロアルキル、ヘテロアリール、Ｃ６−Ｃ２４−アリール、Ｃ６−Ｃ２４−アリールオキシ、Ｃ６−Ｃ２４−アリール−Ｃ１−Ｃ１０−アルキレンから選択され、最後に言及された６つの基におけるシクロアルキル、ヘテロシクロアルキル、ヘテロアリール、アリールおよびアリール−アルキレンの環が、非置換であるかまたは１、２、３、４もしくは５つの同一もしくは異なる基Ｒ４９ａにより置換されており、Ｃ１−Ｃ２４−アルキル、Ｃ１−Ｃ２４−ハロアルキル、Ｃ１−Ｃ２４−アルコキシ、Ｃ１−Ｃ２４−ハロアルコキシおよびＣ６−Ｃ２４−アリール−Ｃ１−Ｃ１０−アルキレンのアルキレン部分は、Ｏ、ＳおよびＮＲ４ｃから選択される１つ以上の基により中断されていてもよく、
Ｒ４１ａ、Ｒ４６ａ、Ｒ４７ａ、Ｒ４８ａ、Ｒ４９ａは、それぞれ独立して、Ｃ１−Ｃ２４−アルキル、Ｃ１−Ｃ２４−フルオロアルキル、Ｃ１−Ｃ２４−アルコキシ、フッ素、塩素および臭素から選択され、
Ｒ４ａ、Ｒ４ｂ、Ｒ４ｃは、それぞれ独立して、水素、Ｃ１−Ｃ２０−アルキル、Ｃ３−Ｃ２４−シクロアルキル、ヘテロシクロアルキル、ヘテロアリールおよびＣ６−Ｃ２４−アリールから選択される］
で示されるジラジカルから選択されるジラジカルである］
で示されるシアン化化合物またはそれらの混合物。
【００９０】
（Ｂ５）式（Ｖ）
【化６】
2020515890.tif 000007
［式中、
Ｘ５は、酸素または硫黄であり、
Ｒ５１は、非置換であるかまたはハロゲン、Ｒ５１１、ＯＲ５５２、ＮＨＲ５５２およびＮＲ５５２Ｒ５５７から選択される１、２、３、４もしくは５つの置換基を有するフェニルであり、
Ｒ５２、Ｒ５３、Ｒ５４、Ｒ５５、Ｒ５６、Ｒ５７、Ｒ５８およびＲ５９は、それぞれ独立して、水素、ハロゲン、Ｒ５５３、ＯＲ５５３、ＮＨＲ５５３およびＮＲ５５３Ｒ５５４から選択され、Ｒ５１１は、Ｃ１−Ｃ２４−アルキル、Ｃ６−Ｃ２４−アリールおよびヘテロアリールから選択され、Ｒ５５２およびＲ５５７は、それぞれ独立して、Ｃ１−Ｃ１８−アルキル、Ｃ６−Ｃ２４−アリールおよびヘテロアリールから選択され、Ｒ５５３およびＲ５５４は、それぞれ独立して、Ｃ１−Ｃ１８−アルキル、Ｃ６−Ｃ２４−アリールおよびヘテロアリールから選択される］
で示されるベンゾ（チオ）キサンテン化合物またはそれらの混合物。
【００９１】
（Ｂ６）式（ＶＩＡ）または（ＶＩＢ）
【化７】
2020515890.tif 000008
［式中、
Ｘ６は、酸素または硫黄であり、
Ｒ６１、Ｒ６２、Ｒ６３、Ｒ６４、Ｒ６５、Ｒ６６、Ｒ６７、Ｒ６８、Ｒ６９、Ｒ６１０、Ｒ６１１およびＲ６１２は、それぞれ独立して、水素、ハロゲン、Ｒ６６１、ＯＲ６６１、ＮＨＲ６６１およびＮＲ６６１Ｒ６６２から選択され、
各Ｒ６１１は、Ｃ１−Ｃ１８−アルキル、Ｃ６−Ｃ２４−アリールおよびヘテロアリールから選択され、
各Ｒ６６２は、Ｃ１−Ｃ１８−アルキル、Ｃ６−Ｃ２４−アリールおよびヘテロアリールから選択される］
で示されるベンゾイミダゾキサンテンイソキノリン化合物またはそれらの混合物。
【００９２】
（Ｂ７）式（ＶＩＩ）
【化８】
2020515890.tif 000009
［式中、
示されるベンゾイミダゾール構造の６員環の１つ以上のＣＨ基は、窒素により置き換えられていてもよく、記号はそれぞれ、下記のように定義される：
ｎ７は、式（ＶＩＩ）で示される各構造単位についての０〜（１０−ｐ７）の数であり、ｐ７は、示されるベンゾイミダゾール構造の６員環において窒素により置き換えられたＣＨ単位の数であり、
Ｘ７は、化学結合、Ｏ、Ｓ、ＳＯ、ＳＯ２、ＮＲ７１であり、
Ｒは、脂肪族基、脂環式基、アリール、ヘテロアリール（それらはそれぞれ、置換基を有してもよい）、芳香族または複素芳香族環または環系（それらはそれぞれ、式（ＶＩＩ）で示される構造単位の他の芳香環に縮合している）であり、Ｘ７が化学結合でない場合、Ｆ、Ｃｌ、Ｂｒ、ＣＮ、Ｈであり、
２つのＲ基が結合して１つの環状基となってもよく、ｎ７＞１の場合、Ｘ７およびＲは、同じかまたは異なってもよく、
Ｒ７１は、それぞれ独立して、水素、Ｃ１−Ｃ１８−アルキルまたはシクロアルキル（それらの炭素鎖は、１つ以上の−Ｏ−、−Ｓ−、−ＣＯ−、−ＳＯ−および／または−ＳＯ２−部分を含んでもよく、単置換または多置換されていてもよい）、アリールまたはヘテロアリール（それらは、単置換または多置換されていてもよい）である］
で示される少なくとも１つの構造単位を含む蛍光化合物またはそれらの混合物。
【００９３】
（Ｂ８）式（ＶＩＩＩ）または（ＩＸ）
【化９】
2020515890.tif 000010
［式中、
Ｒ８１、Ｒ８２は、それぞれ独立して、Ｃ１−Ｃ３０−アルキル、１つ以上の酸素により中断されているＣ２−Ｃ３０−アルキル、Ｃ３−Ｃ８−シクロアルキル、Ｃ６−Ｃ１０−アリール、ヘテロアリール、Ｃ６−Ｃ１０−アリール−Ｃ１−Ｃ１０−アルキレンであり、３つの後者の基における芳香環は、非置換であるかまたはＣ１−Ｃ１０−アルキルにより単置換もしくは多置換されており、
Ｒ９２は、Ｃ１−Ｃ３０−アルキル、Ｃ３−Ｃ８−シクロアルキル、アリール、ヘテロアリール、アリール−Ｃ１−Ｃ１０−アルキレンであり、３つの後者の基における芳香環は、非置換であるかまたはＣ１−Ｃ１０−アルキルにより単置換もしくは多置換されている］
で示されるペリレン化合物。
【００９４】
（Ｂ９）式（Ｘ）
【化１０】
2020515890.tif 000011
［式中、
各Ｒ１０１は、それぞれ独立して、水素、Ｃ１−Ｃ３０−アルキル、１つ以上の酸素により中断されているＣ２−Ｃ３０−アルキル、Ｃ３−Ｃ８−シクロアルキル、Ｃ６−Ｃ１０−アリール、ヘテロアリール、Ｃ６−Ｃ１０−アリール−Ｃ１−Ｃ１０−アルキレンであり、３つの後者の基における芳香環は、非置換であるかまたはＣ１−Ｃ１０−アルキルにより単置換もしくは多置換されており、
Ｒ１０２は、水素、Ｃ１−Ｃ３０−アルキル、１つ以上の酸素により中断されているＣ２−Ｃ３０−アルキル、Ｃ３−Ｃ８−シクロアルキル、Ｃ６−Ｃ１０−アリール、ヘテロアリール、Ｃ６−Ｃ１０−アリール−Ｃ１−Ｃ１０−アルキレンであり、３つの後者の基における芳香環は、非置換であるかまたはＣ１−Ｃ１０−アルキルにより単置換もしくは多置換されている］
で示されるナフタレンモノイミド化合物。
【００９５】
（Ｂ１０）７−（ジエチルアミノ）−３−（５−メチルベンゾ［ｄ］オキサゾール−２−イル）−２Ｈ−クロメン−２−オン。
【００９６】
（Ｂ１１）式（ＸＩＡ）または（ＸＩＢ）
【化１１】
2020515890.tif 000012
［式中、
各Ｒ１１１は、それぞれ独立して、Ｃ１−Ｃ１８アルキル、Ｃ４−Ｃ８シクロアルキル（これらは、ハロゲンまたは直鎖もしくは分岐鎖Ｃ１−Ｃ１８アルキルにより単置換または多置換されていてもよい）またはフェニルもしくはナフチル（これらは、ハロゲンまたは直鎖もしくは分岐鎖Ｃ１−Ｃ１８アルキルにより単置換または多置換されていてもよい）である］
で示されるペリレン化合物またはそれらの混合物。
【００９７】
（Ｂ１２）式（ＸＩＩＡ）または（ＸＩＩＢ）
【化１２】
2020515890.tif 000013
［式中、
各Ｒ１２１は、それぞれ独立して、Ｃ１−Ｃ１８アルキル、Ｃ４−Ｃ８シクロアルキル（これらは、ハロゲンまたは直鎖もしくは分岐鎖Ｃ１−Ｃ１８アルキルにより単置換または多置換されていてもよい）またはフェニルもしくはナフチル（これらは、ハロゲンまたは直鎖もしくは分岐鎖Ｃ１−Ｃ１８アルキルにより単置換または多置換されていてもよい）である］
で示されるシアン化ペリレン化合物またはそれらの混合物。
【００９８】
（Ｂ１３）式（ＸＩＩＩ）
【化１３】
2020515890.tif 000014
［式中、
ｐ１３は、１、２、３または４であり、
Ｒ１３１およびＲ１３２は、それぞれ独立して、Ｃ１−Ｃ１０−アルキル（これは、非置換であるかまたはＣ６−Ｃ１０−アリールにより置換されており、該Ｃ６−Ｃ１０−アリールは、非置換であるかまたは１、２もしくは３つのＣ１−Ｃ１０−アルキルにより置換されている）、１つ以上の酸素により中断されているＣ２−Ｃ２０−アルキル、Ｃ３−Ｃ８−シクロアルキル（これは、非置換であるかまたは１、２もしくは３つのＣ１−Ｃ１０−アルキルにより置換されている）またはＣ６−Ｃ１０−アリール（これは、非置換であるかまたは１、２もしくは３つのＣ１−Ｃ１０−アルキルにより置換されている）であり、
各Ｒ１３３は、それぞれ独立して、フッ素、塩素、Ｃ１−Ｃ１６−アルキル、１つ以上の酸素により中断されているＣ２−Ｃ１６−アルキル、Ｃ１−Ｃ１６−アルコキシ、非置換であるかまたはフッ素、塩素、Ｃ１−Ｃ１６−アルキル、１つ以上の酸素により中断されているＣ２−Ｃ１６−アルキル、Ｃ１−Ｃ１６−アルコキシにより単置換もしくは多置換されているＣ６−Ｃ１０−アリールオキシまたは非置換であるかまたはＣ１−Ｃ６−アルキル、Ｃ１−Ｃ６−アルコキシ−Ｃ１−Ｃ６−アルキルおよびＣ１−Ｃ６−アルコキシから選択される１、２または３つの基により置換されているＣ６−Ｃ１０−アリールであり、
Ｒ１３３基は、＊により示される位置にある］
で示されるペリレンビスイミド化合物またはそれらの混合物。
【００９９】
（Ｂ１４）式（ＸＩＶ）
【化１４】
2020515890.tif 000015
［式中、
Ｒ１４１およびＲ１４２は、それぞれ独立して、水素、それぞれ非置換のまたは置換されたＣ１−Ｃ３０−アルキル、ポリアルキレンオキシ、Ｃ１−Ｃ３０−アルコキシ、Ｃ１−Ｃ３０−アルキルチオ、Ｃ３−Ｃ２０−シクロアルキル、Ｃ３−Ｃ２０−シクロアルキルオキシ、Ｃ６−Ｃ２４−アリールおよびＣ６−Ｃ２４−アリールオキシから選択され、
Ｒ１４３、Ｒ１４４、Ｒ１４５、Ｒ１４６、Ｒ１４７、Ｒ１４８、Ｒ１４９、Ｒ１４１０、Ｒ１４１１、Ｒ１４１２、Ｒ１４１３、Ｒ１４１４、Ｒ１４１５、Ｒ１４１６、Ｒ１４１７およびＲ１４１８は、それぞれ独立して、水素、ハロゲン、シアノ、ヒドロキシル、メルカプト、ニトロ、−ＮＥ１４１Ｅ１４２、−ＮＲＡｒ１４１ＣＯＲＡ１４２、−ＣＯＮＲＡｒ１４１ＲＡｒ１４２、−ＳＯ２ＮＲＡ１４１ＲＡ１４２、−ＣＯＯＲＡｒ１４１、−ＳＯ３ＲＡｒ１４２、それぞれ非置換のまたは置換されたＣ１−Ｃ３０−アルキル、ポリアルキレンオキシ、Ｃ１−Ｃ３０−アルコキシ、Ｃ１−Ｃ３０−アルキルチオ、Ｃ３−Ｃ２０−シクロアルキル、Ｃ３−Ｃ２０−シクロアルコキシ、Ｃ６−Ｃ２４−アリール、Ｃ６−Ｃ２４−アリールオキシおよびＣ６−Ｃ２４−アリールチオから選択され、
Ｒ１４３およびＲ１４４、Ｒ１４４およびＲ１４５、Ｒ１４５およびＲ１４６、Ｒ１４６およびＲ１４７、Ｒ１４７およびＲ１４８、Ｒ１４８およびＲ１４９、Ｒ１４９およびＲ１４１０、Ｒ１４１１およびＲ１４１２、Ｒ１４１２およびＲ１４１３、Ｒ１４１３およびＲ１４１４、Ｒ１４１４およびＲ１４１５、Ｒ１４１５およびＲ１４１６、Ｒ１４１６およびＲ１４１７ならびに／またはＲ１４１７およびＲ１４１８は、それらが結合しているビフェニルイル部分の炭素原子と共に、さらなる縮合芳香環系または非芳香環系を形成してもよく、前記縮合環系は、非置換であるかまたは置換されており、
Ｅ１４１およびＥ１４２は、それぞれ独立して、水素、非置換のもしくは置換されたＣ１−Ｃ１８−アルキル、非置換のもしくは置換されたＣ２−Ｃ１８−アルケニル、非置換のもしくは置換されたＣ２−Ｃ１８−アルキニル、非置換のもしくは置換されたＣ３−Ｃ２０−シクロアルキルまたは非置換のもしくは置換されたＣ６−Ｃ１０−アリールであり、
ＲＡｒ１４１およびＲＡｒ１４２は、それぞれ独立して、水素、非置換のもしくは置換されたＣ１−Ｃ１８−アルキル、非置換のもしくは置換されたＣ３−Ｃ２０−シクロアルキル、非置換のもしくは置換されたヘテロシクリル、非置換のもしくは置換されたＣ６−Ｃ２０−アリールまたは非置換のもしくは置換されたヘテロアリールである］
で示されるペリレン化合物またはそれらの混合物。
【０１００】
（Ｂ１５）第１の基（ＸＶａ）と第２の基（ＸＶｂ）とを含む３，４；９，１０−ペリレンテトラカルボン酸ジイミド化合物であって、
第１の基（ＸＶａ）は、化合物（Ｖ）、化合物（Ｘ）、化合物（ＸＩＡ）、化合物（ＸＩＢ）、７−（ジエチルアミノ）−３−（６−メチルベンゾ［ｄ］オキサゾール−２−イル）−２Ｈ−クロメン−２−オンまたは式（ＸＶａ１）
【化１５】
2020515890.tif 000016
［式中、
Ｒ１５１は、Ｃ１−Ｃ１０−アルキル（これは、非置換であるかまたはＣ６−Ｃ１０−アリールにより置換されており、該Ｃ６−Ｃ１０−アリールは、非置換であるかまたは１、２もしくは３つのＣ１−Ｃ１０−アルキルにより置換されている）、１つ以上の酸素により中断されているＣ２−Ｃ２０−アルキル、Ｃ３−Ｃ８−シクロアルキル（これは、非置換であるかまたは１、２もしくは３つのＣ１−Ｃ１０−アルキルにより置換されている）またはＣ６−Ｃ１０−アリール（これは、非置換であるかまたは１、２もしくは３つのＣ１−Ｃ１０−アルキルにより置換されている）である］
の化合物のうちの１つ以上をベースとする１つ以上の基を含み、第２の基（ＸＶｂ）は、
【化１６】
2020515890.tif 000017
［式中、
Ｒ１５２は、それぞれ独立して、水素、Ｃ１−Ｃ１０−アルキル（これは、非置換であるかまたはＣ６−Ｃ１０−アリールにより置換されており、該Ｃ６−Ｃ１０−アリールは、非置換であるかまたは１、２もしくは３つのＣ１−Ｃ１０−アルキルにより置換されている）、１つ以上の酸素により中断されているＣ２−Ｃ２０−アルキル、Ｃ３−Ｃ８−シクロアルキル（これは、非置換であるかまたは１、２もしくは３つのＣ１−Ｃ１０−アルキルにより置換されている）またはＣ６−Ｃ１０−アリール（これは、非置換であるかまたは１、２もしくは３つのＣ１−Ｃ１０−アルキル、または基（ＸＶｂ１）
【化１７】
2020515890.tif 000018
［式中、
＊は、分子の残り部分への結合部位を表す］
により置換されている）から選択され、
Ｒ１５３およびＲ１５４は、それぞれ独立して、水素、Ｃ１−Ｃ３０−アルキル、Ｃ２−Ｃ３０−アルケニル、Ｃ２−Ｃ３０−アルキニル、Ｃ３−Ｃ１２−シクロアルキルおよびＣ６−Ｃ２４−アリールから選択され、前記最後に言及された２つの基は、非置換であるかまたはＣ１−Ｃ１０−アルキルから選択される１、２もしくは３つの基を有する］
である、３，４；９，１０−ペリレンテトラカルボン酸ジイミド化合物。
【０１０１】
有機蛍光着色剤（Ｂ１）
式（ＩＩ）で示されるナフトイルベンゾイミダゾール化合物は、欧州特許出願第１７１５１９３１．７号（ＥＰ  １７１５１９３１．７）から公知である。式（Ｉ）で示される化合物は、通常、黄色の蛍光化合物である。
【０１０２】
色変換体における使用に関して、化合物（Ｉ）で示される化合物であって、式（Ｉ−Ａ）
【化１８】
2020515890.tif 000019
［式中、
Ｒ３およびＲ４は、それぞれ独立して、水素、フェニル、１もしくは２つのシアノ基を有するフェニル、またはＣ１−Ｃ１０−アルキルから選択される１、２もしくは３つの置換基を有するフェニルであり、
Ｒ７、Ｒ８、Ｒ９およびＲ１０は、それぞれ独立して、水素、フェニル、１もしくは２つのシアノ基を有するフェニル、またはＣ１−Ｃ１０−アルキルから選択される１、２もしくは３つの置換基を有するフェニルである］
で示される化合物に相当するものが好ましい。
【０１０３】
式（Ｉ−Ａ）で示される化合物の中でも、Ｒ８およびＲ１０が同じ意味を有する化合物が好ましい。同様に、Ｒ７およびＲ９が同じ意味を有し、特に水素である化合物が好ましい。特にＲ８およびＲ１０は、同じ意味を有し、Ｒ７およびＲ９は、同じ意味を有する。
【０１０４】
本発明の特に好ましい実施形態は、
Ｒ３とＲ４が、それぞれ独立して、水素、フェニル、１または２つのシアノ基を有するフェニルおよび１、２または３つのＣ１−Ｃ１０−アルキル置換基を有するフェニル、特に水素、フェニルまたは１つのシアノ基を有するフェニルから選択され、
Ｒ７が、水素であり、
Ｒ８が、１もしくは２つのシアノ基を有するフェニル、フェニルまたは１、２もしくは３つの置換基Ｃ１−Ｃ１０−アルキルを有するフェニル、特に４−シアノフェニルであり、
Ｒ９が、水素であり、
Ｒ１０が、１もしくは２つのシアノ基を有するフェニル、フェニルまたは１、２もしくは３つの置換基Ｃ１−Ｃ１０−アルキルを有するフェニル、特に４−シアノフェニルである、式（Ｉ−Ａ）で示される化合物に関する。
【０１０５】
本発明の特により好ましい実施形態は、
Ｒ３が、フェニル、１つのシアノ基を有するフェニルまたはＣ１−Ｃ１０−アルキルから選択される１つの置換基を有するフェニル、特に１つのシアノ基を有するフェニルであり、
Ｒ４が、水素であり、
Ｒ８およびＲ１０がそれぞれ、１つのシアノ基を有するフェニルであり、
Ｒ７およびＲ９がそれぞれ、水素である、式（Ｉ−Ａ）で示される化合物に関する。
【０１０６】
本発明のさらに特に好ましい実施形態は、
Ｒ３が、水素であり、
Ｒ４が、フェニル、１つのシアノ基を有するフェニルまたはＣ１−Ｃ１０−アルキルから選択される１つの置換基を有するフェニル、特に１つのシアノ基を有するフェニルであり、
Ｒ８およびＲ１０がそれぞれ、１つのシアノ基を有するフェニルであり、
Ｒ７およびＲ９がそれぞれ、水素である、式（Ｉ−Ａ）で示される化合物に関する。
【０１０７】
式（Ｉ−Ａ）で示される好ましい化合物の例は、式（Ｉ−Ａ．１）、（Ｉ−Ａ．２）、（Ｉ−Ａ．３）および（Ｉ−Ａ．４）
【化１９】
2020515890.tif 000020
で示される化合物である。
【０１０８】
式Ｉで示される化合物およびそれらの混合物は、例えば、国際公開第２０１２／１６８３９５号（ＷＯ  ２０１２／１６８３９５）の特に第６４〜８１頁または国際公開第２０１５／０１９２７０号（ＷＯ  ２０１５／０１９２７０）の第２１〜３０頁に記載されているような標準的な方法と同様に製造することができる。
【０１０９】
有機蛍光着色剤（Ｂ２）
式（ＩＩ）で示されるシアン化ナフトイルベンゾイミダゾール化合物は、国際公開第２０１５／０１９２７０号（ＷＯ  ２０１５／０１９２７０）から公知である。式（ＩＩ）で示される化合物は、通常、緑色、黄緑色または黄色の蛍光染料である。本発明の色変換体における使用に関して、式（ＩＩ）で示される化合物は、好ましくは式（ＩＩ−Ａ）
【化２０】
2020515890.tif 000021
［式中、
Ｒ２３およびＲ２４は、それぞれ独立して、シアノ、フェニル、４−シアノフェニルまたはＣ１−Ｃ１０−アルキルから選択される１、２もしくは３つの置換基を有するフェニル、特にシアノ、フェニルまたは４−シアノフェニルであり、
Ｒ２７、Ｒ２８、Ｒ２９およびＲ２１０は、それぞれ独立して、水素、シアノ、フェニル、４−シアノフェニルまたはＣ１−Ｃ１０−アルキルから選択される１、２もしくは３つの置換基を有するフェニル、特に水素、シアノ、フェニルまたは４−シアノフェニルである］
で示される化合物およびそれらの混合物から選択される。
【０１１０】
国際公開第２０１５／０１９２７０号（ＷＯ  ２０１５／０１９２７０）の第１６頁、第２段落〜第２０頁、第３段落に明記されている化合物がより好ましい。本発明の色変換体における使用に関して、式（ＩＩ−１）、（ＩＩ−２）、（ＩＩ−３）、（ＩＩ−４）、（ＩＩ−５）、（ＩＩ−６）、（ＩＩ−７）、（ＩＩ−８）、（ＩＩ−９）、（ＩＩ−１０）、（ＩＩ−１１）、（ＩＩ−１２）、（ＩＩ−１３）、（ＩＩ−１４）、（ＩＩ−１５）、（ＩＩ−１６）、（ＩＩ−１７）、（ＩＩ−１８）、（ＩＩ−１９）、（ＩＩ−２０）、（ＩＩ−２１）、（ＩＩ−２２）、（ＩＩ−２３）、（ＩＩ−２４）、（ＩＩ−２５）、（ＩＩ−２６）、（ＩＩ−２７）、（ＩＩ−２８）、（ＩＩ−２９）、（ＩＩ−３０）、（ＩＩ−３１）、（ＩＩ−３２）、（ＩＩ−３３）、（ＩＩ−３４）、（ＩＩ−３５）、（ＩＩ−３６）、（ＩＩ−３７）、（ＩＩ−３８）、（ＩＩ−３９）、（ＩＩ−４０）、（ＩＩ−４１）、（ＩＩ−４２）、（ＩＩ−４３）、（ＩＩ−４４）、（ＩＩ−４５）、（ＩＩ−４６）、（ＩＩ−４７）、（ＩＩ−４８）、（ＩＩ−４９）および（ＩＩ−５０）
【化２１−１】
2020515890.tif 000022
【化２１−２】
2020515890.tif 000023
【化２１−３】
2020515890.tif 000024
【化２１−４】
2020515890.tif 000025
【化２１−５】
2020515890.tif 000026
で示される化合物ならびにそれらの混合物から選択される式（ＩＩ）で示される化合物が特に好ましい。
【０１１１】
化合物（ＩＩ−３）、（ＩＩ−４）、（ＩＩ−６）、（ＩＩ−７）、（ＩＩ−８）、（ＩＩ−９）、（ＩＩ−１０）、（ＩＩ−１１）、（ＩＩ−１２）、（ＩＩ−１３）、（ＩＩ−１４）、（ＩＩ−１５）、（ＩＩ−１６）、（ＩＩ−１７）、（ＩＩ−１８）、（ＩＩ−１９）、（ＩＩ−２０）、（ＩＩ−２１）、（ＩＩ−２２）、（ＩＩ−２７）、（ＩＩ−２８）、（ＩＩ−２９）、（ＩＩ−３０）およびそれらの混合物が特により好ましい。
【０１１２】
有機蛍光着色剤（Ｂ３）
式（ＩＩＩ）で示される化合物は、国際公開第２０１５／１６９９３５号（ＷＯ  ２０１５／１６９９３５）から公知である。式（ＩＩＩ）で示される化合物は、通常、黄色または黄緑色の蛍光染料である。本発明の色変換体における使用に関して、式（ＩＩＩ）で示される化合物は、下記式（ＩＩＩ−ａ）および（ＩＩＩ−ｂ）で示される化合物ならびに式（ＩＩＩ−ｃ）および（ＩＩＩ−ｄ）で示される化合物
【化２２】
2020515890.tif 000027
［式中、Ｒ３１、Ｒ３２、Ｒ３３、Ｒ３４、Ｒ３５、Ｒ３６、Ｒ３７、Ｒ３８、Ｚ３およびＺ３＊はそれぞれ、上記のとおりである］
を、個々に包含し、かつそれらの混合物を包含する。
【０１１３】
特に国際公開第２０１５／１６９９３５号（ＷＯ  ２０１５／１６９９３５）の第１２頁９行目〜第１３頁３１行目に明記されている化合物が好ましい。本発明の色変換体における使用に関して、式（ＩＩＩ−１）、（ＩＩＩ−２）、（ＩＩＩ−３）、（ＩＩＩ−４）、（ＩＩＩ−５）、（ＩＩＩ−６）、（ＩＩＩ−７）、（ＩＩＩ−８）、（ＩＩＩ−９）、（ＩＩＩ−１０）、（ＩＩＩ−１１）、（ＩＩＩ−１２）、（ＩＩＩ−１３）、（ＩＩＩ−１４）、（ＩＩＩ−１５）、（ＩＩＩ−１６）、（ＩＩＩ−１７）、（ＩＩＩ−１８）、（ＩＩＩ−１９）、（ＩＩＩ−２０）
【化２３−１】
2020515890.tif 000028
【化２３−２】
2020515890.tif 000029
［式中、
Ｚ３は、Ｃ１−Ｃ６−アルキル、Ｃ１−Ｃ６−アルコキシカルボニル、フェニルおよび１、２または３つのＣ１−Ｃ４−アルキル基を有するフェニルから選択され、
Ｚ３＊は、Ｃ１−Ｃ６−アルキル、Ｃ１−Ｃ６−アルコキシカルボニル、フェニルおよび１、２または３つのＣ１−Ｃ４−アルキル基を有するフェニルから選択される］
で示される化合物およびそれらの混合物から選択される式（ＩＩＩ）で示される化合物が好ましい。
【０１１４】
これらの中でも、式（ＩＩＩ−１）、（ＩＩＩ−２）、（ＩＩＩ−３）、（ＩＩＩ−４）、（ＩＩＩ−５）、（ＩＩＩ−６）、（ＩＩＩ−７）、（ＩＩＩ−８）、（ＩＩＩ−９）、（ＩＩＩ−１０）、（ＩＩＩ−１１）、（ＩＩＩ−１２）、（ＩＩＩ−１３）、（ＩＩＩ−１４）、（ＩＩＩ−１５）、（ＩＩＩ−１６）、（ＩＩＩ−１７）、（ＩＩＩ−１８）、（ＩＩＩ−１９）、（ＩＩＩ−２０）［式中、ＺおよびＺ＊は、同じ定義を有する］のペリレン化合物が特に好ましい。式（ＩＩＩ−２）および（ＩＩＩ−２０）［式中、Ｚ３は、Ｃ１−Ｃ６−アルコキシカルボニル、フェニル、１、２または３つのＣ１−Ｃ４−アルキル基を有するフェニルであり、Ｚ３＊は、Ｚ３と同じ意味を有する］で示される化合物が特により好ましい。
【０１１５】
有機蛍光着色剤（Ｂ４）
式（ＩＶ）で示されるシアン化化合物は、国際公開第２０１６／１５１０６８号（ＷＯ  ２０１６／１５１０６８）の主題である。式（ＩＩＩ）で示される化合物は、通常、黄色または黄緑色の蛍光染料である。本発明の色変換体における使用に関して、式（ＩＶ）で示される化合物は、好ましくはＸ４０がＯである化合物である。また、Ｘ４０がＳである式（ＩＶ）で示される化合物も好ましい。国際公開第２０１６／１５１０６８号（ＷＯ  ２０１６／１５１０６８）の第２４頁１０行目〜第３４頁４行目に明記されている化合物が好ましい。
【０１１６】
これらの中でも、Ａが式（Ａ．２）で示される基である式（ＩＶ）で示される化合物が特に好ましい。Ａが式（Ａ．２）で示される基である式（ＩＶ）で示される化合物は、式（ＩＶ−Ａ．２）
【化２４】
2020515890.tif 000030
［式中、ｍ４、Ｘ４０、Ｒ４１、Ｒ４２、Ｒ４３、Ｒ４４、Ｒ４５およびＲ４６は、上記のとおりである］
で示される化合物とも呼ばれる。
【０１１７】
式（ＩＶ−Ａ．２）で示される化合物において、Ｒ４６は、好ましくは水素、直鎖Ｃ１−Ｃ２４−アルキル、分岐鎖Ｃ３−Ｃ２４−アルキル、Ｃ６−Ｃ１０−アリールおよびＣ６−Ｃ１０−アリール−Ｃ１−Ｃ１０−アルキレンから選択され、最後に言及された２つの部分におけるアリール環は、非置換であるかまたは１、２、３、４もしくは５つの同一もしくは異なる基Ｒ４６ａにより置換されている。特にＲ４６は、直鎖Ｃ１−Ｃ２４−アルキル、式（Ｂ．１）で示される基および式（Ｂ．２）で示される基
【化２５】
2020515890.tif 000031
［式中、
＃は、窒素原子に対する結合部位であり、
式（Ｂ．１）において、ＲｄおよびＲｅは、それぞれ独立して、Ｃ１−Ｃ２３−アルキルから選択され、ＲｄおよびＲｅ基の炭素原子の合計は、２〜２３の整数であり、
式（Ｂ．２）において、Ｒｆ、ＲｇおよびＲｈは、Ｃ１−Ｃ２０−アルキルから独立して選択され、Ｒｆ、ＲｇおよびＲｈ基の炭素原子の合計は、３〜２３の整数である］
から選択される。
【０１１８】
式（Ｂ．１）で示される好ましい基は、１−メチルエチル、１−メチルプロピル、１−メチルブチル、１−メチルペンチル、１−メチルヘキシル、１−メチルヘプチル、１−メチルオクチル、１−エチルプロピル、１−エチルブチル、１−エチルペンチル、１−エチルヘキシル、１−エチルヘプチル、１−エチルオクチル、１−プロピルブチル、１−プロピルペンチル、１−プロピルヘキシル、１−プロピルヘプチル、１−プロピルオクチル、１−ブチルペンチル、１−ブチルヘキシル、１−ブチルヘプチル、１−ブチルオクチル、１−ペンチルヘキシル、１−ペンチルヘプチル、１−ペンチルオクチル、１−ヘキシルヘプチル、１−ヘキシルオクチル、１−ヘプチルオクチルである。
【０１１９】
式（Ｂ．２）で示される特に好ましい基は、ｔｅｒｔ−ブチルである。
【０１２０】
同様に、特にＲ４６は、式（Ｃ．１）で示される基、式（Ｃ．２）で示される基または式（Ｃ．３）で示される基
【化２６】
2020515890.tif 000032
［式中、
＃は、窒素原子への結合側を表し、
Ｂが存在する場合、Ｂは、Ｃ１−Ｃ１０−アルキレン基であり、該Ｃ１−Ｃ１０−アルキレン基は、−Ｏ−および−Ｓ−から選択される１つ以上の非隣接基により中断されてもよく、
ｙは、０または１であり、
Ｒｉは、それぞれ独立して、Ｃ１−Ｃ２４−アルキル、Ｃ１−Ｃ２４−フルオロアルキル、フッ素、塩素または臭素から選択され、
Ｒｋは、それぞれ独立して、Ｃ１−Ｃ２４−アルキルから選択され、
ｘは、式Ｃ．２およびＣ．３において、１、２、３、４または５である］
である。
【０１２１】
好ましくはｙは、０であり、すなわち、可変部Ｂは存在しない。
【０１２２】
その出現に関係なく、Ｒｉは、好ましくはＣ１−Ｃ２４−アルキル、より好ましくは直鎖Ｃ１−Ｃ１０−アルキルまたは分岐鎖Ｃ３−Ｃ１０−アルキル、特にイソプロピルから選択される。その出現に関係なく、Ｒｋは、好ましくはＣ１−Ｃ３０−アルキル、より好ましくは直鎖Ｃ１−Ｃ１０−アルキルまたは分岐鎖Ｃ３−Ｃ１０−アルキルから選択される。式Ｃ．２およびＣ．３中の可変部ｘは、好ましくは１、２または３である。
【０１２３】
特別の群の実施形態は、可変部ｍ４、Ｘ４０、Ｒ４１、Ｒ４２、Ｒ４３、Ｒ４４およびＲ４５がそれぞれ独立してまたは特に組み合わせにおいて下記意味を有する、式（ＩＶ−Ａ．２）で示される化合物に関する：
Ｘ４０は、ＯまたはＳであり、
Ｒ４２およびＲ４４はそれぞれ、シアノであり、
Ｒ４３およびＲ４５はそれぞれ、水素であるかまたはＲ４３およびＲ４５の一方は、臭素であり、Ｒ４３およびＲ４５の他方は、水素であり、
Ｒ４１は、シアノ、臭素および非置換であるかまたはＣ１−Ｃ４−アルキルから選択される１もしくは２つの基を有するフェニルから選択され、
Ｒ４６は、水素、Ｃ１−Ｃ２４−直鎖アルキル、分岐鎖Ｃ３−Ｃ２４−アルキル、式（Ｃ．１）で示される基、式（Ｃ．２）で示される基および式（Ｃ．３）で示される基から選択され、
ｍ４は、０または１である。
【０１２４】
さらにより好ましくは
Ｘ４０は、ＯまたはＳであり、
Ｒ４２およびＲ４４はそれぞれ、シアノであり、
Ｒ４３およびＲ４５はそれぞれ、水素であり、
Ｒ４１は、シアノ、臭素および非置換であるかまたはＣ１−Ｃ４−アルキルから選択される１もしくは２つの基を有するフェニル、特にシアノから選択され、
Ｒ４６は、直鎖Ｃ１−Ｃ２４−アルキル、分岐鎖Ｃ３−Ｃ２４−アルキル、式（Ｃ．１）で示される基、式（Ｃ．２）で示される基および式（Ｃ．３）で示される基、特に直鎖Ｃ１−Ｃ２４−アルキル、分岐鎖Ｃ３−Ｃ２４−アルキルまたはＣ１−Ｃ４−アルキルから選択される１もしくは２つの基を有するフェニル、例えば、２，６−ジイソプロピルフェニルから選択され、
ｍ４は、０または１である。
【０１２５】
式（ＩＶ−Ａ．２）の好ましい化合物の例を以下に示す。
【化２７−１】
2020515890.tif 000033
【化２７−２】
2020515890.tif 000034
【０１２６】
蛍光化合物（Ｂ５）
式（Ｖ）で示されるベンゾキサンテン化合物は、国際公開第２０１４／１３１６２８号（ＷＯ  ２０１４／１３１６２８）から公知である。それらは、通常、黄色蛍光剤である。適切な化合物は、国際公開第２０１４／１３１６２８号（ＷＯ  ２０１４／１３１６２８）の図２Ａ、図２Ｂおよび図２Ｃに示されている。それらは、通常、黄色または黄緑色の蛍光染料である。式（Ｖ）で示されるベンゾチオキサンテン化合物は、例えば、米国特許第３，３５７，９８５号明細書（ＵＳ  ３，３５７，９８５）から公知である。Ｘ５がＳであり、Ｒ５１がＣ１０−Ｃ２０−アルキルであり、Ｒ５２〜Ｒ５９が水素である、式（Ｖ）で示されるベンゾチオキサンテン化合物が好ましい。好ましくはＲ５１は、Ｃ６−Ｃ２０−アルキルである。適切な一例は、ベンゾチオキサンテン−３，４−ジカルボン酸−Ｎ−ステアリルイミドであり、これは、ソルベントイエロー９８（ＣＡＳ登録番号：１２６７１−７４−８）とも呼ばれる。
【０１２７】
蛍光化合物（Ｂ６）
式（ＶＩＡ）および（ＶＩＢ）で示されるベンゾイミダゾキサンテンイソキノリン化合物は、国際公開第２０１５／０６２９１６号（ＷＯ  ２０１５／０６２９１６）から公知である。適切な化合物は、国際公開第２０１５／０６２９１６号（ＷＯ  ２０１５／０６２９１６）の第３頁２４行目〜第８頁２４行目、特に図３Ａ、図３Ｂ、図３Ｃに示されている。
【０１２８】
有機蛍光着色剤（Ｂ７）
式（ＶＩＩ）で示される構造単位を有する化合物は、国際公開第２０１２／１６８３９５号（ＷＯ  ２０１２／１６８３９５）から公知である。総じて、それらは、黄色の蛍光染料である。本発明の色変換体における使用に関して、式（ＶＩＩ）で示される構造単位を有する化合物は、好ましくは国際公開第２０１２／１６８３９５号（ＷＯ  ２０１２／１６８３９５）の第２８頁１４行目〜第３２頁５行目に明記されている化合物である。
【０１２９】
本発明の色変換体における使用に関して、式（ＶＩＩ）で示される構造単位を有する化合物は、より好ましくは式（ＶＩＩ−１）、（ＶＩＩ−２）、（ＶＩＩ−３）、（ＶＩＩ−４）、（ＶＩＩ−５）、（ＶＩＩ−６）、（ＶＩＩ−７）、（ＶＩＩ−８）、（ＶＩＩ−９）、（ＶＩＩ−１０）、（ＶＩＩ−１１）、（ＶＩＩ−１２）、（ＶＩＩ−１３）、（ＶＩＩ−１４）、（ＶＩＩ−１５）、（ＶＩＩ−１６）、（ＶＩＩ−１７）、（ＶＩＩ−１８）、（ＶＩＩ−１９）、（ＶＩＩ−２０）、（ＶＩＩ−２１）、（ＶＩＩ−２２）、（ＶＩＩ−２３）、（ＶＩＩ−２４）、（ＶＩＩ−２５）、（ＶＩＩ−２６）、（ＶＩＩ−２７）、（ＶＩＩ−２８）、（ＶＩＩ−２９）、（ＶＩＩ−３０）、（ＶＩＩ−３１）、（ＶＩＩ−３２）、（ＶＩＩ−３３）、（ＶＩＩ−３４）、（ＶＩＩ−３５）、（ＶＩＩ−３６）、（ＶＩＩ−３７）、（ＶＩＩ−３８）、（ＶＩＩ−３９）、（ＶＩＩ−４０）、（ＶＩＩ−４１）、（ＶＩＩ−４２）、（ＶＩＩ−４３）、（ＶＩＩ−４４）、（ＶＩＩ−４５）、（ＶＩＩ−４６）、（ＶＩＩ−４７）、（ＶＩＩ−４８）、（ＶＩＩ−４９）、（ＶＩＩ−５０）、（ＶＩＩ−５１）、（ＶＩＩ−５２）、（ＶＩＩ−５３）、（ＶＩＩ−５４）、（ＶＩＩ−５５）
【化２８−１】
2020515890.tif 000035
【化２８−２】
2020515890.tif 000036
【化２８−３】
2020515890.tif 000037
【化２８−４】
2020515890.tif 000038
【化２８−５】
2020515890.tif 000039
［式中、
ｎ７は、０、１、２、３、４、５、６、７、８、９または１０からの数であり、
Ｒ７１は、独立して、水素、Ｃ１−Ｃ１８−アルキルまたはシクロアルキル（それらの炭素鎖は、１つ以上の−Ｏ−、−Ｓ−、−ＣＯ−、−ＳＯ−および／または−ＳＯ２−部分を含んでもよく、単置換または多置換されていてもよい）、単置換または多置換されていてもよいアリールまたはヘテロアリールである］
で示される化合物およびそれらの混合物から選択される。
【０１３０】
式（ＶＩＩ−５）、（ＶＩＩ−６）、（ＶＩＩ−７）および（ＶＩＩ−８）で示される化合物ならびにそれらの混合物が特に好ましい。式（ＶＩＩ−１７）、（ＶＩＩ−１８）、（ＶＩＩ−１９）、（ＶＩＩ−２０）で示される化合物ならびにそれらの混合物も特に好ましい。
【０１３１】
有機蛍光着色剤（Ｂ８）
式（ＶＩＩＩ）および（ＩＸ）で示されるペリレンイミド化合物は、当技術分野において、例えば、国際公開第２００７／００６７１７号（ＷＯ  ２００７／００６７１７）または米国特許第６，４７２，０５０号明細書（ＵＳ  ６，４７２，０５０）から公知である。式（ＩＸ）で示される９−シアノ置換ペリレン−３，４−ジカルボン酸モノイミドも、国際公開第２００４／０２９０２８号（ＷＯ  ２００４／０２９０２８）から公知である。それらは、通常、橙色の蛍光染料である。好ましくは式（ＶＩＩＩ）で示される化合物において、Ｒ８１およびＲ８２は、直鎖または分岐鎖Ｃ１−Ｃ１８アルキル基、ハロゲンもしくは直鎖もしくは分岐鎖Ｃ１−Ｃ１８アルキルにより単置換もしくは多置換されていてもよいＣ４−Ｃ８シクロアルキル基またはハロゲンもしくは直鎖または分岐鎖Ｃ１−Ｃ１８アルキルにより単置換もしくは多置換されていてもよいフェニルもしくはナフチルである。
【０１３２】
一実施形態では、式ＶＩＩＩにおけるＲ８１およびＲ８２は、国際公開第２００９／０３７２８３号（ＷＯ  ２００９／０３７２８３  Ａ１）の第１６頁１９行目〜第２５頁８行目に明記されているように、いわゆる、スワローテール置換を有する化合物を表す。好ましい実施形態では、Ｒ８１およびＲ８２は、それぞれ独立して、１−アルキルアルキル、例えば、１−エチルプロピル、１−プロピルブチル、１−ブチルペンチル、１−ペンチルヘキシルまたは１−ヘキシルヘプチルである。より好ましくは、Ｒ８１およびＲ８２は、それぞれ独立して、２，４−ジ（ｔｅｒｔ−ブチル）フェニルまたは２，６−二置換フェニル、特に好ましくは２，６−ジフェニルフェニル、２，６−ジイソプロピルフェニルである。より好ましくは、Ｒ８１およびＲ８２は、同じ意味を有する。式（ＶＩＩＩ）で示される好ましい化合物は、Ｎ，Ｎ’−ビス（２，６−ジイソプロピルフェニル）−３，４，９，１０−ペリレンテトラカルボン酸ジイミド（ＣＡＳ番号：８２９５３−５７−９）である。
【０１３３】
式（ＩＸ）で示される適切な９−シアノ置換ペリレン−３，４−ジカルボン酸モノイミドは、好ましくはＲ９２が直鎖もしくは分岐鎖Ｃ１−Ｃ１８アルキル基、ハロゲンもしくは直鎖もしくは分岐鎖Ｃ１−Ｃ１８アルキルにより単置換もしくは多置換されていてもよいＣ４−Ｃ８シクロアルキル基またはハロゲンもしくは直鎖もしくは分岐鎖Ｃ１−Ｃ１８アルキルにより単置換もしくは多置換されていてもよいフェニルもしくはナフチルであるものである。一実施形態では、式ＩＸにおけるＲ９２は、国際公開第２００９／０３７２８３号（ＷＯ  ２００９／０３７２８３  Ａ１）の第１６頁１９行目〜第２５頁８行目に明記されているように、いわゆる、スワローテール置換を有する化合物を表す。好ましい実施形態では、Ｒ９２は、１−アルキルアルキル、例えば、１−エチルプロピル、１−プロピルブチル、１−ブチルペンチル、１−ペンチルヘキシルまたは１−ヘキシルヘプチルである。より好ましくは、Ｒ９２は、２，４−ジ（ｔｅｒｔ−ブチル）フェニルまたは２，６−二置換フェニルであり、特に好ましくは２，６−ジフェニルフェニル、２，６−ジイソプロピルフェニルであり、特に２，６−ジイソプロピルフェニルである。
【０１３４】
有機蛍光着色剤（Ｂ９）
式（Ｘ）で示される４−アミノ置換ナフタルイミド化合物は、当技術分野において公知である。式（Ｘ）で示される適切な４−アミノ置換ナフタルイミド化合物は、好ましくはＲ１０１が直鎖もしくは分岐鎖Ｃ１−Ｃ１０−アルキル、１つ以上の酸素により中断されているＣ２−Ｃ１０−アルキルまたはＣ３−Ｃ８−シクロアルキルであるものである。Ｒ１０２は、好ましくは水素である。式（Ｘ）で示される適切な化合物は、４−（ブチルアミノ）−Ｎ−ブチル−１，８−ナフタルイミド（ＣＡＳ番号：１９１２５−９９−６）である。同様に、好ましくはＲ１０２は、直鎖または分岐鎖Ｃ１−Ｃ１０−アルキルである。式（Ｘ）で示される化合物は、２段階で合成することができる。第１の工程は、還流下で、溶媒、例えば、１，４−ジオキサンまたは２−メトキシエタノール中において、４−クロロ−１，８−ナフタル酸無水物とアミンとを縮合して、対応する４−クロロ−１，８−ナフタルイミドを生成することである。第２の工程は、塩素原子を脂肪族第１級または第２級アミンで置換することを含む。
【０１３５】
有機蛍光着色剤（Ｂ１０）
７−（ジエチルアミノ）−３−（５−メチルベンゾ［ｄ］オキサゾール−２−イル）−２Ｈ−クロメン−２−オンは、Ｄｉｓｐｅｒｓｅ  Ｙｅｌｌｏｗ（ＣＡＳ登録番号３４５６４−１３−１）としても公知である。
【０１３６】
有機蛍光着色剤（Ｂ１１）
式（ＸＩＡ）および（ＸＩＢ）で示される化合物は、米国特許第５，４７０，５０２号明細書（ＵＳ  ５，４７０，５０２）から公知である。それらは、通常、黄色の蛍光染料である。Ｒ１１１が直鎖Ｃ１−Ｃ１０−アルキルまたは分岐鎖Ｃ３−Ｃ１０−アルキルである、式（ＸＩＡ）および（ＸＩＢ）で示される化合物が好ましい。好ましい例は、ジイソブチル−３，９−ペリレンジカルボキシレートおよびジイソブチル−３，１０−ペリレンジカルボキシレートであり、特にジイソブチル−３，９−ペリレンジカルボキシレートである。
【０１３７】
有機蛍光着色剤（Ｂ１２）
式（ＸＩＩＡ）および（ＸＩＩＢ）で示される化合物は、米国特許第５，４７０，５０２号明細書（ＵＳ  ５，４７０，５０２）から公知である。それらは、通常、黄色の蛍光染料である。Ｒ１２１が直鎖Ｃ１−Ｃ１０−アルキルまたは分岐鎖Ｃ３−Ｃ１０−アルキルである、式（ＸＩＩＡ）および（ＸＩＩＢ）で示される化合物が好ましい。好ましい例は、ジイソブチル  ４，１０−ジシアノペリレン−３，９−ジカルボキシレートおよびジイソブチル  ４，９−ジシアノペリレン−３，１０−ジカルボキシレートであり、特にジイソブチル  ４，１０−ジシアノペリレン−３，９−ジカルボキシレートである。
【０１３８】
有機蛍光着色剤（Ｂ１３）
式（ＸＩＩＩ）で示される化合物の適切な例は、例えば、国際公開第２００７／００６７１７号（ＷＯ  ２００７／００６７１７）、特に第１頁５行目〜第２２頁６行目；米国特許第４，８４５，２２３号明細書（ＵＳ  ４，８４５，２２３）、特に第２欄５４行目〜第６欄５４行目、国際公開第２０１４号（ＷＯ  ２０１４）、特に第３頁２０行目〜第９頁１１行目、欧州特許出願公開第３０７２８８７号明細書（ＥＰ  ３０７２８８７）および欧州特許出願第１６１９２６１７．５号（ＥＰ  １６１９２６１７．５）、特に第３５頁３４行目〜第３７頁２９行目に明示されているペリレン誘導体である。式（ＸＩＩＩ）で示される化合物は、通常、橙色または赤色の蛍光着色剤である。Ｒ１３１およびＲ１３２がそれぞれ独立してＣ１−Ｃ１０−アルキル、２，６−ジ（Ｃ１−Ｃ１０−アルキル）アリールおよび２，４−ジ（Ｃ１−Ｃ１０−アルキル）アリールから選択される、式（ＸＩＩＩ）で示される化合物が好ましい。より好ましくはＲ１３１１およびＲ１３２は同一である。とりわけ、Ｒ１３１およびＲ１３２はそれぞれ、２，６−ジイソプロピルフェニルまたは２，４−ジ−ｔｅｒｔ−ブチルフェニルである。Ｒ１３３は、好ましくは非置換であるかまたはフッ素、塩素、Ｃ１−Ｃ１０−アルキルおよびフェニルから選択される１もしくは２つの同一もしくは異なる置換基により置換されているフェノキシである。好ましくはｐ１３は、２、３または４、特に２または４である。
【０１３９】
式（ＸＩＩＩ）で示される化合物は、例えば、国際公開第２００７／００６７１７号（ＷＯ  ２００７／００６７１７）、米国特許第４，８４５，２２３号明細書（ＵＳ  ４，８４５，２２３）、欧州特許出願公開第３０７２８８７号明細書（ＥＰ  ３０７２８８７）および国際公開第２０１４／１２２５４９号（ＷＯ  ２０１４／１２２５４９）に記載された方法と同様に製造することができる。
【０１４０】
適切な有機蛍光着色剤Ｂ１３は、例えば、Ｎ，Ｎ’−ビス（２，６−ジイソプロピルフェニル）−１，６，７，１２−テトラフェノキシペリレン−３，４：９，１０−テトラカルボキシイミド、Ｎ，Ｎ’−ビス（２，６−ジイソプロピルフェニル）−１，７−ジ（２，６−ジイソプロピルフェノキシ）ペリレン−３，４：９，１０−テトラカルボキシイミド、Ｎ，Ｎ’−ビス（２，６−ジイソプロピルフェニル）−１，６−ジ（２，６−ジイソプロピルフェノキシ）ペリレン−３，４：９，１０−テトラカルボキシイミド、Ｎ，Ｎ’−ビス（２，６−ジイソプロピルフェニル）−１，７−ジ（ｐ−ｔｅｒｔ−オクチルフェノキシ）ペリレン−３，４；９，１０−テトラカルボキシイミド、Ｎ，Ｎ’−ビス（２，６−ジイソプロピルフェニル）−１，７−ジフェノキシペリレン−３，４；９，１０−テトラカルボキシイミド、Ｎ，Ｎ’−ビス（２，６−ジイソプロピルフェニル）−１，７−ジ（２，６−ジフェニルフェノキシ）ペリレン−３，４；９，１０−テトラカルボキシイミド、Ｎ，Ｎ’−ビス（２，６−ジイソプロピルフェニル）−１，６−ジ（２，６−ジフェニルフェノキシ）ペリレン−３，４；９，１０−テトラカルボキシイミド、Ｎ，Ｎ’−ビス（２，６−ジイソプロピルフェニル）−１，６，７，１２−テトラ（２−フェニルフェノキシ）ペリレン−３，４：９，１０−テトラカルボキシイミド、Ｎ，Ｎ’−ビス（２，６−ジイソプロピルフェニル）−１，７−ジ（２，３−ジフルオロフェノキシ）ペリレン−３，４：９，１０−テトラカルボキシイミド、Ｎ，Ｎ’−ビス（２，６−ジイソプロピルフェニル）−１，６，７，１２−テトラ（２，３−ジフルオロフェノキシ）ペリレン−３，４：９，１０−テトラカルボキシイミド、Ｎ，Ｎ’−ビス（２，６−ジイソプロピルフェニル）−１，６，７，１２−テトラ（３−フルオロフェノキシ）ペリレン−３，４：９，１０−テトラカルボキシイミド、Ｎ，Ｎ’−ビス（２，６−ジイソプロピルフェニル）−１，６，７，１２−テトラ（２，６−ジフルオロフェノキシ）ペリレン−３，４：９，１０−テトラカルボキシイミド、Ｎ，Ｎ’−ビス（２，６−ジイソプロピルフェニル）−１，６，７，１２−テトラ（２，５−ジフルオロフェノキシ）ペリレン−３，４：９，１０−テトラカルボキシイミド、Ｎ，Ｎ’−ビス（２，６−ジイソプロピルフェニル）−１，６，７，１２−テトラ（２，３−ジクロロフェノキシ）ペリレン−３，４：９，１０−テトラカルボキシイミド、Ｎ，Ｎ’−ビス（２，６−ジイソプロピルフェニル）−１，６，７，１２−テトラ（３−クロロフェノキシ）ペリレン−３，４：９，１０−テトラカルボキシイミド、Ｎ，Ｎ’−ビス（２，６−ジイソプロピルフェニル）−１，６，７，１２−テトラ（２，６−ジクロロフェノキシ）ペリレン−３，４：９，１０−テトラカルボキシイミド、Ｎ，Ｎ’−ビス（２，６−ジイソプロピルフェニル）−１，６，７，１２−テトラ（２，５−ジクロロフェノキシ）ペリレン−３，４：９，１０−テトラカルボキシイミドである。
【０１４１】
有機蛍光着色剤（Ｂ１４）
式（ＸＩＶ）で示される化合物は、国際公開第２０１７／１２１８３３号（ＷＯ  ２０１７／１２１８３３）（ＰＣＴ／ＥＰ２０１７／０５０６２１）の主題である。式（ＸＩＶ）で示される化合物は、通常、橙色または赤色の蛍光着色剤である。Ｒ１４１およびＲ１４２がそれぞれ独立して非置換であるかまたは１、２もしくは３つのＣ１−Ｃ６−アルキルにより置換されているフェニルから選択され、Ｒ１４３、Ｒ１４４、Ｒ１４５、Ｒ１４６、Ｒ１４７、Ｒ１４８、Ｒ１４９、Ｒ１４１０、Ｒ１４１１、Ｒ１４１２、Ｒ１４１３、Ｒ１４１４、Ｒ１４１５、Ｒ１４１６、Ｒ１４１７およびＲ１４１８がそれぞれ水素である、式（ＸＩＶ）で示される化合物が好ましい。上記の式（ＸＩＶ）で示される化合物は、好ましくは
【化２９】
2020515890.tif 000040
である。
【０１４２】
式（ＸＩＶ）で示される化合物は、式（ＸＩＶａ）
【化３０】
2020515890.tif 000041
［式中、
Ｈａｌは、それぞれ臭素であるか、またはそれぞれ塩素であり、
Ｒ１４１およびＲ１４２は、上記のとおりである］
で示される適切な塩素化または臭素化ペリレンビスイミドを、式（ＸＩＶｂ）で示される２，２’−ビフェノール化合物と、そして適切であれば式（ＸＩＶｃ）
【化３１】
2020515890.tif 000042
［式中、
Ｒ１４３、Ｒ１４４、Ｒ１４５、Ｒ１４６、Ｒ１４７、Ｒ１４８、Ｒ１４９、Ｒ１４１０、Ｒ１４１１、Ｒ１４１２、Ｒ１４１３、Ｒ１４１４、Ｒ１４１５、Ｒ１４１６、Ｒ１４１７およびＲ１４１８は、上記のとおりである］
で示される２，２’−ビフェノール化合物と反応させることにより製造することができる。
【０１４３】
（ハロゲン置換反応に式（ＸＩＶｂ）で示される２，２’−ビフェノールが１つだけ使用される場合）式（ＸＩＶｃ）で示される２，２’−ビフェノールは、（ＸＩＶｃ）で示される２，２’−ビフェノールについて定義されたとおりであってもよい。
【０１４４】
有機蛍光着色剤（Ｂ１５）
式（ＸＶ）で示される化合物の適切な例は、例えば、国際公開第２０１６／０２６８６３号（ＷＯ  ２０１６／０２６８６３）の特に第６頁３２行目〜第１８頁２６行目に記載の化合物である。特に好ましいのは、国際公開第２０１６／０２６８６３号（ＷＯ  ２０１６／０２６８６３）の化合物２４５５、２４５２、２５１７および２４４０である。欧州特許出願公開第３１０１０８７号明細書（ＥＰ  ３１０１０８７）の特に段落［００５９］〜［００７８］に記載の化合物も、式（ＸＶ）で示される化合物の適切な例である。
【０１４５】
色変換体は、例えば、１、２、３、４、５、６、７、８、９、１０個または１０個を超える、上記の複数の有機蛍光着色剤（Ｂ）を含むことができる。好ましくは、色変換体は、有機蛍光着色剤（Ｂ１）、（Ｂ２）、（Ｂ３）、（Ｂ４）、（Ｂ５）、（Ｂ６）、（Ｂ７）、（Ｂ８）、（Ｂ９）、（Ｂ１０）、（Ｂ１１）、（Ｂ１２）、（Ｂ１３）、（Ｂ１４）または（Ｂ１５）のうちの少なくとも２つ、例えば２、３または４つの異なる群から選択される有機蛍光着色剤（Ｂ）を含み、ここで、混合光が例えば特定の色温度および／または演色評価数を有する白色光を生じるように、各着色剤は異なる色を発する。
【０１４６】
特定の実施形態において、色変換体は特に、上記の式（ＸＩＩＩ）で示される少なくとも１つのペリレンビスイミド化合物、特に好ましいと言及されたものを含むことができる。
【０１４７】
さらなる特定の実施形態において、色変換体は、特に上記の式（ＶＩＩ）で示される少なくとも１つの構造単位、特に好ましいとして言及されたものを含む少なくとも１つの化合物を含んでもよい。
【０１４８】
さらに特定の実施形態では、色変換体は、特に式（ＶＩＩＩ）で示される少なくとも１つの化合物を含んでもよい。さらに特定の実施形態では、色変換体は、特に式（ＩＸ）で示される少なくとも１つの化合物を含んでもよい。さらに特定の実施形態では、色変換体は、特に式（ＸＩＡ）で示される少なくとも１つの化合物、特に好ましいとして言及されたものを含んでもよい。さらに特定の実施形態では、色変換体は、特に式（ＸＩＢ）で示される少なくとも１つの化合物、特に好ましいとして言及されたものを含んでもよい。さらに特定の実施形態では、色変換体は、特に式（ＸＩＩＡ）で示される少なくとも１つの化合物、特に好ましいとして言及されたものを含んでもよい。さらに特定の実施形態では、色変換体は、特に式（ＸＩＩＢ）で示される少なくとも１つの化合物、特に好ましいとして言及されたものを含んでもよい。
【０１４９】
特定の実施形態では、有機蛍光着色剤は、黄色を発する着色剤と赤色を発する着色剤との組み合わせ、または黄色を発する着色剤と橙色を発する着色剤との組み合わせ、または黄緑色を発する着色剤と赤色を発する着色剤との組み合わせであってよい。また、黄色、黄緑色および赤色を発する着色剤や、黄色、黄緑色および橙色を発する着色剤など、２つを上回る有機蛍光着色剤を使用することも有益であり得る。
【０１５０】
特定の実施形態では、上記の１つ以上の有機蛍光着色剤（Ｂ）は、ポリマーマトリックス材料に埋め込まれる。
【０１５１】
ポリマーマトリックス中の上記の有機蛍光着色剤（Ｂ）の濃度は、色変換体の厚みおよびポリマーの種類の関数として設定される。薄いポリマー層が使用される場合、有機蛍光着色剤の濃度は、総じて、厚いポリマー層の場合より高い。典型的には、ポリマー中の有機蛍光着色剤（Ｂ）の量は、達成されるべき相関色温度ＣＣＴにも依存する。当業者であれば、黄色の蛍光着色剤および赤色の蛍光着色剤の濃度を上昇させることにより、ＬＥＤから発せられる光が必要なＣＣＴを有する白色光を得るために、より長波長に調整されることを理解するであろう。
【０１５２】
典型的には、本発明による赤色の有機蛍光着色剤の濃度は、通常、使用されるポリマーの量に対して、０．０００１〜０．５重量％、好ましくは０．００１〜０．１重量％の範囲にある。（ａ）黄色または黄緑色の有機蛍光着色剤の濃度は、典型的には、使用されるポリマーの量に対して、０．００２〜０．５重量％、好ましくは０．００３〜０．４重量％である。
【０１５３】
例えば、ＣＣＴまたは演色評価数（ＣＲＩ）の観点から、黄色の蛍光着色剤と赤色の蛍光着色剤との混合物を使用することが有利である場合がある。黄色または黄緑色の発光有機蛍光着色剤と赤色の有機蛍光着色剤との比は、典型的には、１：１〜２５：１、好ましくは２：１〜２０：１、より好ましくは２：１〜１５：１、例えば、１０：１または３：１または４：１の範囲にある。当業者であれば、着色剤の比率が、選択された光源により決まることを容易に理解するであろう。所望のＣＣＴについて、光が、３０００〜２００００ＫのＣＣＴを有する白色ＬＥＤにより発せられる場合の黄色の着色剤／赤色の着色剤の比と比較して、４００ｎｍ〜４８０ｎｍの発光中心波長を有する青色ＬＥＤにより発せられた場合、黄色の染料／赤色の着色剤の比は、非常に大きい。
【０１５４】
場合によりまたは代替的に、本発明による色変換体は、１つ以上の無機発光材料を含む。無機発光材料は、好ましくはガーネット、ケイ酸塩、硫化物、窒化物および酸窒化物ならびに量子ドットから選択される。無機発光材料は特に、少なくとも緑色に発光するように構成されることができるが、（同様に）赤色、黄色、緑色などの他の波長も除外されない。ガーネット、ケイ酸塩、硫化物、窒化物および酸窒化物の適切な例を以下の表１にまとめる。
【０１５５】
表１
【表１】
2020515890.tif 000043
【０１５６】
量子ドット（ＱＤ）とは、約２０ｎｍ以下の直径を有する半導体材料のナノ結晶である。量子ドットは、Ｓｉ系ナノ結晶、ＩＩ−ＶＩ族化合物半導体ナノ結晶、ＩＩＩ−Ｖ族化合物半導体ナノ結晶、ＩＶ−ＶＩ族化合物ナノ結晶およびそれらの混合物のうちの１つを含んでもよい。ＩＩ−ＶＩ族化合物半導体ナノ結晶は、ＣｄＳ、ＣｄＳｅ、ＣｄＴｅ、ＺｎＳ、ＺｎＳｅ、ＺｎＴｅ、ＨｇＳ、ＨｇＳｅ、ＨｇＴｅ、ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＨｇｇＺｎＴｅ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅおよびＨｇＺｎＳＴｅからなる群から選択される１つを含んでもよい。ＩＩＩ−Ｖ族化合物半導体ナノ結晶は、ＧａＮ、ＧａＰ、ＧａＡｓ、ＡｌＮ、ＡｌＰ、ＡｌＡｓ、ＩｎＮ、ＩｎＰ、ＩｎＡｓ、ＧａＮＰ、ＧａＮＡｓ、ＧａＰＡｓ、ＡｌＮＰ、ＡｌＮＡｓ、ＡｌＰＡｓ、ＩｎＮＰ、ＩｎＮＡｓ、ＩｎＰＡｓ、ＧａＡｌＮＰ、ＧａＡｌＮＡｓ、ＧａＡｌＰＡｓ、ＧａＩｎＮＰ、ＧａＩｎＮＡｓ、ＧａＩｎＰＡｓ、ＩｎＡｌＮＰ、ＩｎＡｌＮＡｓおよびＩｎＡｌＰＡｓからなる群から選択される１つを含んでもよい。ＩＶ−ＶＩ化合物半導体ナノ結晶は、ＳｎＴｅでもよい。
【０１５７】
ＱＤの形態でナノ結晶を合成するために、ＱＤは、蒸着、例えば、有機金属化学蒸着もしくは分子線エピタキシーによりまたは１つ以上の前駆体を有機溶媒に加えることにより結晶を成長させる湿式化学プロセスにより製造することができる。特定の実施形態では、少なくとも１つの蛍光着色剤（Ｂ）は、少なくとも１つの量子ドットである。この場合、量子ドットは、ポリマーマトリックス材料に埋め込まれていることが好ましい。
【０１５８】
したがって、特定の実施形態では、色変換体は、上記の１つ以上の無機発光材料と、着色剤（Ｂ１）、（Ｂ２）、（Ｂ３）、（Ｂ４）、（Ｂ５）、（Ｂ６）、（Ｂ７）、（Ｂ８）、（Ｂ９）、（Ｂ１０）、（Ｂ１１）、（Ｂ１２）、（Ｂ１３）、（Ｂ１４）および（Ｂ１５）の群から選択される１つ以上の有機蛍光着色剤（Ｂ）とを含む。さらなる特定の実施形態では、色変換体は、無機発光材料を含まない。
【０１５９】
色変換体
色変換体は、さらなる構成要素である、難燃剤、酸化防止剤、光安定剤、ＵＶ吸収剤、フリーラジカルスカベンジャー、帯電防止剤等の添加剤を含んでもよい。この種の安定剤は、当業者に公知である。
【０１６０】
適切な酸化防止剤またはフリーラジカルスカベンジャーは、例えば、フェノール、特に立体障害フェノール、例えば、ブチルヒドロキシアニソール（ＢＨＡ）またはブチルヒドロキシトルエン（ＢＨＴ）または立体障害アミン（ＨＡＬＳ）である。この種の安定剤は、例えば、Ｉｒｇａｎｏｘ（登録商標）の商品名でＢＡＳＦにより販売されている。場合により、酸化防止剤およびフリーラジカルスカベンジャーは、例えば、Ｉｒｇａｆｏｓ（登録商標）の商品名でＢＡＳＦにより販売されているような、ホスファイトまたはホスホナイト等の二次安定剤により補完することができる。
【０１６１】
適切なＵＶ吸収剤は、例えば、ベンゾトリアゾール、例えば、２−（２−ヒドロキシフェニル）−２Ｈ−ベンゾトリアゾール（ＢＴＺ）、トリアジン、例えば、（２−ヒドロキシフェニル）−ｓ−トリアジン（ＨＰＴ）、ヒドロキシベンゾフェノン（ＢＰ）またはオキサラニリドである。この種のＵＶ吸収剤は、例えば、Ｕｖｉｎｕｌ（登録商標）の商品名でＢＡＳＦにより販売されている。
【０１６２】
本発明の好ましい実施形態では、ポリマーマトリックス材料は、酸化防止剤もフリーラジカルスカベンジャーも何ら含まない。
【０１６３】
好ましくは、色変換体はさらに、散乱体として少なくとも１つの無機白色顔料を含む。好ましい実施形態では、上記の有機蛍光着色剤（Ｂ）を含む層またはマトリックスのうちの少なくとも１つは、光の散乱体を含む。
【０１６４】
適切な散乱体は、ＤＩＮ  １３３２０に対する平均粒径が０．０１〜１０μｍ、好ましくは０．１〜１μｍ、より好ましくは０．１５〜０．４μｍである、無機白色顔料、例えば、二酸化チタン、硫酸バリウム、リトポン、酸化亜鉛、硫化亜鉛、炭酸カルシウム、特にＴｉＯ２をベースとする散乱体である。散乱体は、典型的には、散乱体を含む層のポリマーに対して、それぞれ０．０１〜２．０重量％、好ましくは０．０５〜１重量％、より好ましくは０．１〜０．５重量％の量で含まれる。
【０１６５】
好ましい実施形態では、色変換体は、赤色蛍光層と黄緑色蛍光層とを備えた２層構造を有し、該赤色層は、青色光源に面している。この実施形態では、どちらの層も、散乱体としてＴｉＯ２を含む。
【０１６６】
特定の実施形態では、色変換体は、複合体を形成するために共に積層された複数のポリマー層からなり、種々の蛍光着色剤および／または散乱体が、異なるポリマー層に存在してもよい。
【０１６７】
本発明の色変換体が２つ以上の発光材料を含む場合、本発明の一実施形態では、複数の発光材料が１つの層に互いに並んで存在することが可能である。
【０１６８】
別の実施形態では、様々な発光材料が様々な層に存在する。
【０１６９】
さらなる実施形態では、色変換体の少なくとも１つのポリマー層は、ガラス繊維で機械的に強化されている。
【０１７０】
本発明の色変換体は、任意の所望の幾何学的配置にあってもよい。色変換体は、例えば、フィルム、シートまたはプラークの形態にあってもよい。同様に、有機蛍光染料を含有するマトリックスは、液滴形態もしくは半球形態でもよく、また凸および／もしくは凹、平坦または球面を有するレンズの形態でもよい。
【０１７１】
「キャスティング」とは、ＬＥＤまたはＬＥＤを含むコンポーネントが有機蛍光着色剤を含むポリマーでキャストされるかまたは完全に包まれる実施形態を指す。
【０１７２】
本発明の一実施形態では、有機蛍光着色剤を含むポリマー層（マトリックス）は、厚みが２５〜４００マイクロメートル（μｍ）、好ましくは３５〜３００μｍ、特に５０〜２００μｍである。別の実施形態では、有機蛍光着色剤を含むポリマー層は、厚みが０．２〜５ミリメートル、好ましくは０．３〜３ｍｍ、より好ましくは０．４〜１ｍｍである。色変換体が１つの層からなるかまたはそれらが積層構造を有する場合、好ましい実施形態では、個々の層は、連続的であり、孔または中断を何ら有さない。
【０１７３】
本発明の色変換体は、場合により、さらなる構成要素、例えば、バッキング層を含んでもよい。バッキング層は、色変換体に機械的安定性を付与する役割を担う。バッキング層の材料の種類は、それが透明であり、所望の機械的強度を有するのであれば、重要ではない。バッキング層に適した材料は、例えばガラスまたは透明な硬質有機ポリマー、例えば、ポリカーボネート、ポリスチレンまたはポリメタクリレートもしくはポリメチルメタクリレートである。バッキング層は、総じて、０．１ｍｍ〜１０ｍｍ、好ましくは０．２ｍｍ〜５ｍｍ、より好ましくは０．３ｍｍ〜２ｍｍの厚みを有する。
【０１７４】
場合により、ポリマーマトリックス材料は、シールまたはコーティングでコーティングまたは封入される。適切なシールおよびコーティング材料は当技術分野で知られており、例えば、国際公開第２０１２／１５２８１２号（ＷＯ  ２０１２／１５２８１２）の特に第８頁６行目〜３４行目に記載されている。
【０１７５】
本発明のさらなる態様は、ＬＥＤにより発せられた光を変換するための上記の色変換体の使用に関する。特に本発明は、４００〜４８０ｎｍ、特に４２０ｎｍ〜４８０ｎｍの発光中心波長を有する青色ＬＥＤにより発せられた光を変換して白色光を提供するための、上記の色変換体の使用に関する。
【０１７６】
同様に本発明は、３０００Ｋ〜２００００Ｋ、特に６０００Ｋ〜２００００Ｋの相関色温度を有する冷白色ＬＥＤにより発せられた光を変換して、より低い相関色温度を有する白色光を提供するための、上記の色変換体の使用に関する。より具体的にはこれらは、２００００Ｋ〜６０００Ｋ、例えば２００００Ｋ〜８０００Ｋ、１５０００Ｋ〜８１００Ｋまたは１２０００Ｋ〜８２００Ｋ等のＣＣＴを有する白色ＬＥＤにより発せられた光を変換して、より低いＣＣＴを有する光を生成するのに適している。換言すれば、本発明の色変換体は、白色光源の波長をより長波長方向にシフト（すなわち、赤方偏移）して、暖色調の白色光を生成することができる。
【０１７７】
３０００Ｋ〜２００００Ｋ、特に６０００Ｋ〜２００００ＫのＣＣＴを有する冷白色ＬＥＤは、市販されている。４００〜４８０ｎｍまたは４２０〜４８０ｎｍの発光中心波長を有する青色ＬＥＤも市販されている。
【０１７８】
これらはさらに、光電装置および蛍光変換太陽電池の集光システム（蛍光コレクタ）としての用途にも適している。
【０１７９】
上記の発光材料および任意にさらなる構成要素を、例えば、少なくとも発光材料および存在する場合はさらなる構成要素を押出法によりポリマー材料に混合することにより、当技術分野の標準的な方法に従ってポリマーマトリックスに組み込むことができる。得られた溶融ポリマーフィルムを最小限の空間に通し、冷却ドラムまたはロールまたはベルト等の可動の急冷部材上にキャストし、そこでフィルムを十分に冷却して固化させることができる。別の方法では、側方フィーダーを使用して、発光材料およびさらなる構成要素をポリマーの溶融物に供給し、得られたポリマー材料を薄膜の形で押し出す。色変換体フィルムは、発光材料および任意に他の成分、ならびにマトリックスの１つ以上の前駆体を合し、次いでマトリックスを合成することにより製造することもできる。例えばこれは、ポリマーのモノマー前駆体を使用し、発光材料および任意に他の成分の存在下で該モノマー前駆体を重合させてポリマーマトリックスを提供することによって行うことができる。
【０１８０】
従来技術による色変換体と比較して、本発明の色変換体は、長寿命および高い量子収率を示し、かつ良好な色再現性で快適な光を発する。
【０１８１】
一実施形態では、光源は、４００ｎｍ〜４８０ｎｍ、特に４２０ｎｍ〜４８０ｎｍの発光中心波長を有する青色光を提供するように構成され、照明装置はさらに、上記の色変換体を含む。さらなる実施形態では、光源は、３０００Ｋ〜２００００Ｋ、特に６０００Ｋ〜２００００ＫのＣＣＴを有する白色光を提供するように構成され、照明装置はさらに、上記の色変換体を含む。色変換体は、光源光の少なくとも一部を変換するように構成されている。
【０１８２】
したがって、本発明のさらなる態様は、３０００Ｋ〜２００００Ｋ、特に６０００Ｋ〜２００００ＫのＣＣＴを有する少なくとも１つの白色ＬＥＤと、上記の少なくとも１つの色変換体とを含む照明装置であって、該色変換体およびＬＥＤが、遠隔蛍光体配置の状態にある、照明装置に関する。本発明のさらに別の態様は、４００ｎｍ〜４８０ｎｍの発光中心波長を有する少なくとも１つの青色ＬＥＤと、上記の少なくとも１つの色変換体とを含む照明装置であって、該色変換体およびＬＥＤが、遠隔蛍光体配置の状態にある、照明装置に関する。一実施形態では、本発明の照明装置は、４００ｎｍ〜４８０ｎｍの発光中心波長を有する青色ＬＥＤと、３０００Ｋ〜２００００ＫのＣＣＴを有する白色ＬＥＤとから選択される複数のＬＥＤを含む。本発明の色変換体は、実質的に任意の幾何学的形態で、照明装置の構造に関係なく、４００ｎｍ〜４８０ｎｍの発光中心波長を有する青色ＬＥＤと、３０００Ｋ〜２００００ＫのＣＣＴを有する白色ＬＥＤとから選択されるＬＥＤと組み合わせて使用することができる。
【０１８３】
少なくとも１つの有機蛍光着色剤（Ｂ）を含む本発明の色変換体は、通常、遠隔蛍光体セットアップで使用される。この場合、色変換体は、ＬＥＤから空間的に分離される。総じて、ＬＥＤと色変換体との間の距離は、０．１ｍｍ超、例えば、０．２ｍｍ以上、一部の実施形態では、０．１〜１０ｃｍ、例えば、０．３〜５ｃｍまたは０．５〜３ｃｍである。色変換体とＬＥＤとの間には、種々の媒体、例えば、空気、希ガス、窒素もしくは他のガスまたはそれらの混合物があってもよい。
【０１８４】
色変換体は、例えば、ＬＥＤの周りに同心円状に配置されてもよく、また平面形状を有してもよい。色変換体は、例えば、プラーク、シートまたはフィルムの形態をとってもよく、液滴形態をとってもよく、またキャスティングの形態をとってもよい。本発明の照明装置は、室内、屋外、オフィス、車両、トーチ、ゲームコンソール、街灯、交通標識の照明に適している。
【０１８５】
本発明のさらなる態様は、（ｉ）脂肪族Ｃ２−Ｃ２０−ジオールおよび脂環式Ｃ３−Ｃ２０−ジオールから選択される少なくとも１つのジオールと、（ｉｉ）２，５−フランジカルボン酸および／またはそのエステル形成性誘導体と、（ｉｉｉ）任意に１，２−シクロヘキサンジカルボン酸、１，４−シクロヘキサンジカルボン酸、３，４−フランジカルボン酸、テレフタル酸および２，６−ナフタル酸および／またはそのエステル形成性誘導体から選択される少なくとも１つのさらなるジカルボン酸との反応により得ることができる少なくとも１つの２，５−フランジカルボキシレートポリエステル（Ａ）と、少なくとも１つの発光材料、好ましくは上記の少なくとも１つの有機蛍光着色剤（Ｂ）とを含むポリマー混合物に関する。適切な２，５−フランジカルボキシレートポリエステル（Ａ）に関しては、上記記載が同様に該当する。適切な蛍光着色剤（Ｂ）に関しては、上記記載が同様に該当する。
【０１８６】
さらなる態様は、光電池と上記の色変換体とを含み、光電池により吸収されない光の少なくとも一部が色変換体により吸収される、照光時に電力を生成する装置に関する。
【０１８７】
上記の実施形態は、本発明を限定するものではなく、例示するものである。
【国際調査報告】
2020515890.tif 000061
2020515890.tif 000062